(57)【要約】  有線及び／又は無線システム用のRFID及び／又はバーコードリーダを含む、多機能、多モード、相互接続可能なシステム動作についての多用途位置検出器、通信、医療及び制御システムが開示される。新規な対象は、ユニバーサルリモコン（URC）、無線、有線、ケーブル、インターネット、ウェブ型通信システム、通信及び放送装置、緊急又は他の警告通信システム、医療患者監視センサ装置、DNA用の診断通信システム、無線心刺激、及び心臓ペースメーカのパラメータの磁気検出又は磁気制御のない通信／制御装置、指紋識別、単一又は複数の通信で使用される指紋及び制御システム、放送、情報通信、及び遠隔測定システムを含む。相互接続可能な多標準システム（例えば、GSM、GPRS、EDGE又はE-GSM、CDMA、WCDMA又はW-CDMA、OFDM、TDMA、IEEE802.xx、DECT、IR、Wi-Fi、Bluetooth及び他の標準並びに非標準システム）での動作について、１つ以上の組み合わせ及び変形で構成される多用途システム構成要素が開示される。この出願は、2G、3G、4G及び5G並びに他の新世代の無線及び放送、処理、格納、医療診断通信、制御、インタラクティブ娯楽、教育及び企業システムと相互接続可能な拡張した性能の効率的な相互相関の直交変調及び極性非直交変調の実装の実施形態及びアーキテクチャを含む。
2009505454.tif 000002
【特許請求の範囲】
【請求項１】
位置検出及び通信システムであって、
３つ以上の位置検出及び通信システム送信機から変調無線周波数（RF）位置検出信号及び通信信号を受信する２つ以上のアンテナと、
前記変調RF信号を受信してベースバンド信号に復調する２つ以上の受信機及び復調器と、
前記ベースバンド信号を受信し、第１の指定ビットレートで相互相関した同位相及び直角位相ベースバンド信号を提供する信号処理ネットワークと、
前記ベースバンド信号を受信し、第２の指定ビットレートでフィルタリングされた信号を提供する信号処理ネットワークと、
相互相関信号若しくはフィルタリングされた信号又は相互相関信号とフィルタリングされた信号との双方を選択するセレクタと、
信号変調のために、選択された信号を１つ又は１つより多くの変調器に提供する接続回路と、
増幅された変調信号を増幅して送信する２つ又は２つより多くの増幅器及び２つ又は２つより多くのアンテナに変調信号を提供する接続回路と、
を有するシステム。
【請求項２】
位置検出及び通信システムであって、
２つ以上の位置決定送信機から位置決定信号を受信する２つ以上のアンテナ又は受信ポートと、
前記位置決定信号を処理する２つ以上の受信機と、
１つ以上の受信した位置決定信号を選択又は結合するセレクタ又はコンバイナ装置と、
２つ以上の通信送信機と、
選択又は結合処理された位置決定信号を１つ以上の通信送信機に接続する接続回路と、
前記位置決定信号を１つ以上の前記通信送信機に選択及び接続する制御及び選択装置と
を有するシステム。
【請求項３】
位置検出及び通信システムであって、
１つ以上の位置決定送信機から位置決定信号を受信する１つ以上の受信ポートと、
前記位置決定信号を受信してベースバンド信号に復調する１つ以上の受信機及び復調器と、
ベースバンド信号を処理し、相互相関した同位相及び直角位相ベースバンド信号を生成する相互相関回路と、
同位相及び直角位相ベースバンドチャネルで相互相関した形成及びフィルタリングされた信号を提供する形成TCS（Time  Constrained  Signal）ウェーブレットプロセッサ及びLR（Long  Response）フィルタと、
同位相及び直角位相ベースバンド信号を直交変調する直交変調器と、
前記直交変調器の変調出力信号を線形及び／又は非線形増幅（NLA）する線形及び／又は非線形回路を有する１つ以上の増幅器と、
線形又は非線型増幅（NLA）された変調信号を選択するスイッチ又はレベルコントローラと
を有するシステム。
【請求項４】
位置検出及び通信システムであって、
１つ以上の位置決定送信機又は１つ以上の位置検出信号以外の送信機から位置検出信号及び／又は位置検出以外の信号を受信する２つ以上の受信ポートと、
前記位置検出及び／又は前記位置検出以外の信号を受信してベースバンド信号に復調する１つ以上の受信機及び復調器と、
前記位置検出以外の信号を受信してベースバンド信号に復調する１つ以上の受信機及び復調器と、
１つ又は複数のベースバンド信号を選択又は結合するセレクタ又はコンバイナ装置と、
２つ以上の信号変調器と、
選択又は結合された単一又は複数のベースバンド信号を１つ以上の前記信号変調器に接続する接続回路と、
接続回路からベースバンド信号を受信し、第１の指定ビットレートで相互相関した同位相及び直角位相ベースバンド信号を提供する信号処理ネットワークと、
選択又は結合されたベースバンド信号を受信し、第２の指定ビットレートでフィルタリングされた信号を提供する信号処理ネットワークと、
相互相関信号、フィルタリングされた信号又は相互相関信号とフィルタリングされた信号との双方を選択するセレクタと、
信号変調のために選択された信号を１つ以上の変調器に提供する接続と
を有するシステム。
【請求項５】
位置検出及び通信システムであって、
１つ以上の位置検出及び通信システム送信機から変調された位置検出信号を受信する１つ以上の受信ポートと、
前記変調信号を受信してベースバンド信号に復調する１つ以上の受信機及び復調器と、
前記ベースバンド信号を受信し、第１の指定ビットレートで相互相関した同位相及び直角位相ベースバンド信号を提供する信号処理ネットワークと、
相互相関信号を直交変調する第１の直交変調器と、
第１のビットレートの信号と異なるビットレートを有する第２のビットレートの信号をフィルタリングし、フィルタリングされたベースバンド信号を提供するフィルタと、
フィルタリングされたベースバンド信号を変調する第２の変調器と、
相互相関した第１のビットレートの変調信号若しくはフィルタリングされた第２のビットレートの変調信号又は第１のビットレートの変調信号とフィルタリングされた第２のビットレートの変調信号との双方を送信機に選択及び接続するスイッチ回路と
を有するシステム。
【請求項６】
位置検出器及び通信システムであって、
位置検出信号を受信してベースバンド信号に復調する受信機と、
前記ベースバンド信号を処理し、相互相関した同位相及び直角位相ベースバンド信号を生成するためにこのベースバンド信号を処理する相互相関器と、
同位相及び直角位相ベースバンド信号を直交変調する変調器と
を有するシステム。
【請求項７】
位置検出及び通信システムであって、
位置検出信号を受信してベースバンド信号に復調する２つ以上の受信機と、
前記ベースバンド信号を受信し、同位相及び直角位相の相互相関ベースバンド信号を生成し、第１の変調信号を提供する第１の直交変調回路と、
前記ベースバンド信号を受信し、OFDM（Orthogonal  Frequency  Division  Multiplexed）信号を生成し、第２の変調信号を提供する第２の変調回路と、
第１若しくは第２の変調信号又は第１及び第２の変調信号を選択し、選択された信号を送信媒体に提供するセレクタと
を有するシステム。
【請求項８】
位置検出及び通信システムであって、
２つ以上の位置決定及び／又は通信送信機から無線周波数（RF）信号を受信する１つ又は１つより多くのアンテナと、
前記信号を受信してベースバンド信号に復調する１つ以上の受信機及び復調器と、
前記ベースバンド信号を受信し、相互相関してフィルタリングされた同位相及び直角位相ベースバンド信号を提供するベースバンド信号処理ネットワークと
を有するシステム。
【請求項９】
位置検出及び通信システムであって、
２つ以上の位置決定及び／又は通信送信機から無線周波数（RF）信号を受信する１つ又は１つより多くのアンテナと、
前記信号を受信してベースバンド信号に復調する１つ以上の受信機及び復調器と、
前記ベースバンド信号を受信し、相互相関した同位相及び直角位相ベースバンド信号を提供する第１のベースバンド信号処理ネットワークと
前記ベースバンド信号を受信し、フィルタリングされたベースバンド信号を提供する第２のベースバンド信号処理ネットワークと
相互相関若しくはフィルタリングされた信号又は相互相関とフィルタリングされた信号との双方を選択し、選択された信号を送信媒体に提供するセレクタと
を有するシステム。
【請求項１０】
位置検出及び通信システムであって、
１つ以上の位置決定及び／又は通信送信機から無線周波数（RF）信号を受信し、前記信号をベースバンド信号に復調する第１の受信機と、
１つ以上のOFDM（Orthogonal  Frequency  Multiplexed）処理されたビデオ信号送信機からOFDM処理されたビデオ信号を受信し、前記信号をベースバンド信号に復調する第２の受信機と、
１つ以上のCDMA（Code  Division  Multiple  Access）処理された信号送信機からCDMA信号を受信し、前記信号をベースバンド信号に復調する第３の受信機と、
１つ以上の信号変調システムと、
前記受信したベースバンド信号を処理し、１つ以上の前記信号を１つ以上の変調システムに提供するプロセッサと
を有するシステム。
【請求項１１】
位置検出及び通信システムであって、
１つ以上の位置決定及び／又は通信送信機から無線周波数（RF）信号を受信し、前記信号をベースバンド信号に復調する第１の受信機と、
１つ以上のGSM（Global  System  for  Mobile）信号送信機からGSM通信により指定された信号を受信し、前記信号をベースバンド信号に復調する第２の受信機と、
１つ以上のCDMA（Code  Division  Multiple  Access）信号送信機からCDMA信号を受信し、前記信号をベースバンド信号に復調する第３の受信機と、
前記受信したベースバンド信号を処理し、信号変調のために１つ以上の前記信号を１つ以上の変調システムに提供するプロセッサと
を有するシステム。
【請求項１２】
位置検出及び通信システムであって、
１つ以上の位置決定送信機又は１つ以上の位置検出信号以外の送信機から位置検出信号及び／又は位置検出以外の信号を受信する２つ以上の受信ポートと、
前記位置検出及び／又は前記位置検出以外の信号を受信してベースバンド信号に復調する１つ以上の受信機及び復調器と、
前記復調されたベースバンド信号を相互相関及び／又は他の処理をし、相互相関及び／又は他の処理されたベースバンド信号の変調のため、相互相関及び／又は他の処理をされたベースバンド信号を第１及び第２の変調器に提供するベースバンド処理回路と、
入力同位相及び直角位相の相互相関したベースバンド信号を受信し、第１の変調RF信号を提供する第１の無線周波数（RF）直交変調回路と、
入力OFDM（Orthogonal  Frequency  Division  Multiplexed）同位相及び直角位相の相互相関したベースバンド信号を受信し、第２の直交変調RF信号を提供する第２の無線周波数（RF）直交変調回路と、
第１若しくは第２の直交変調RF信号又は第１及び第２の直交変調RF信号の双方を選択し、選択された信号を送信媒体に提供するセレクタと
を有するシステム。
【請求項１３】
位置検出及び通信システムであって、
１つ以上の位置決定送信機又は１つ以上の位置検出信号以外の送信機から位置検出信号及び／又は位置検出以外の信号を受信する１つ以上の受信ポートと、
前記位置検出及び／又は前記位置検出以外の信号を受信してベースバンド信号に復調する１つ以上の受信機及び復調器と、
前記復調されたベースバンド信号を相互相関及び／又は他の処理をし、相互相関及び／又は他の処理されたベースバンド信号の変調のため、相互相関及び他の処理をされたベースバンド信号を第１及び第２の変調器に提供するベースバンド処理回路と、
を有するシステム。
【請求項１４】
位置検出、通信及びRFID（radio  frequency  identification）システムであって、
１つ以上の位置決定及び／又は通信及び／又はRFID送信機から無線周波数（RF）信号を受信する１つ又は１つより多くのアンテナと、
前記信号を受信してベースバンド信号に復調する１つ以上の受信機及び復調器と、
前記ベースバンド信号を受信して処理するベースバンド信号処理ネットワークと、
前記処理されたベースバンド信号を相互相関し、相互相関したベースバンド信号を生成する相互相関回路と、
同位相及び直角位相ベースバンドチャネルで形成されてビットレート機動的にフィルタリングされた信号を提供する形成TCS（Time  Constrained  Signal）ウェーブレットプロセッサ及びビットレート機動的LR（Long  Response）フィルタ構成と、
同位相及び直角位相ベースバンド信号を直交変調する変調器と
を有するシステム。
【請求項１５】
位置検出、通信及びRFID（radio  frequency  identification）システムであって、
位置決定及び／又はRFID送信信号を受信してベースバンド信号に復調する受信機と、
前記ベースバンド信号を処理し、相互相関した同位相及び直角位相ベースバンド信号を生成する相互相関器と、
同位相及び直角位相ベースバンド信号を直交変調する変調器と
を有するシステム。
【請求項１６】
位置検出、通信及びRFID（radio  frequency  identification）システムであって、
位置検出及び／又はRFID送信信号を受信してベースバンド信号に復調し、ベースバンドスペクトル拡散信号を直交変調するスペクトル拡散ベースバンドプロセッサ及び次の直交復調器に、及び前記ベースバンドフィルタリングされた信号を変調するベースバンドフィルタ及び次の変調器に、前記ベースバンド信号を提供する１つ以上の受信機及び１つ以上の復調器と、
スペクトル拡散変調信号若しくはフィルタリングされた変調信号又は変調されたスペクトル拡散信号とフィルタリングされた変調信号との双方を、スペクトル拡散変調信号及び／又はフィルタリングされた変調信号を送信する１つ又は１つより多くの送信機に提供する接続回路と
を有するシステム。
【請求項１７】
位置検出、多用途通信並びにRFID（Radio  Frequency  Identification）信号復調及び変調システムであって、
１つ又は１つより多くの位置検出及び／又はRFID送信機から変調無線周波数（RF）位置検出及び／又はRFID（Radio  Frequency  Identification）信号を受信する１つ以上のアンテナと、
前記変調RF又は変調RFID信号を受信してベースバンド信号に復調する１つ以上の受信機及び復調器と、
前記ベースバンド信号を受信し、第１の指定ビットレートで相互相関した同位相及び直角位相ベースバンド信号を提供する信号処理ネットワークと、
前記ベースバンド信号を受信し、第２の指定ビットレートでフィルタリングされた信号を提供する信号処理ネットワークと、
相互相関信号若しくはフィルタリングされた信号又は相互相関信号とフィルタリングされた信号との双方を選択するセレクタと、
信号変調のために選択された信号を１つ以上の変調器に提供する接続回路と
を有するシステム。
【請求項１８】
多用途通信及び遠隔制御システムであって、
１つ以上の遠隔制御送信機から変調遠隔制御信号を受信する１つ以上のアンテナと、
前記変調遠隔制御信号を受信してベースバンド信号に復調する１つ以上の受信機及び復調器と、
１つ以上の復調遠隔制御ベースバンド信号を選択又は結合するセレクタ又はコンバイナと、
１つ以上の通信送信機と、
選択及び／又は結合された復調遠隔制御ベースバンド信号を信号処理ネットワークに接続する接続回路と、
前記選択及び／又は結合された遠隔制御ベースバンド信号を受信し、第１の指定ビットレートで相互相関した同位相及び直角位相ベースバンド信号を提供する信号処理ネットワークと、
前記選択及び／又は結合された復調遠隔制御ベースバンド信号を受信し、第２の指定ビットレートでフィルタリングされた信号を提供する信号処理ネットワークと、
相互相関信号若しくはフィルタリングされた信号又は相互相関信号とフィルタリングされた信号との双方を選択するセレクタと、
信号変調のために、選択された信号を１つ以上の変調器に提供する接続回路と、
増幅された変調信号を増幅及び送信するために、変調信号を１つ以上の増幅器に提供する接続回路と
を有するシステム。
【請求項１９】
多用途通信及び遠隔制御システムであって、
１つ以上の遠隔制御信号送信機から遠隔制御信号を受信する１つ以上のアンテナ又は受信ポートと、
前記遠隔制御信号を処理する１つ以上の受信機と、
受信した遠隔制御信号を選択又は結合するセレクタ又はコンバイナと
１つ以上の通信送信機と、
選択又は結合処理された遠隔制御信号を１つ以上の通信送信機に接続する接続回路と
を有するシステム。
【請求項２０】
位置検出及び多用途通信並びにバーコードリーダシステムであって、
１つ以上の位置検出及び通信システム送信機から変調位置検出信号を受信する１つ以上の受信ポートと、
前記変調信号を受信してベースバンド信号に復調する１つ以上の受信機及び復調器と、
バーコード情報を読み取り、前記バーコード情報を電気信号に処理するバーコードリーダと、
前記ベースバンド信号を受信及び処理し、同位相及び直角位相ベースバンド信号を提供する信号処理ネットワークと、
前記ベースバンド信号及び前記バーコード電気信号をフィルタリングし、フィルタリングされたベースバンド信号及び前記バーコード電気信号を提供するフィルタと、
同位相及び直角位相ベースバンド信号を直交変調する第１の直交変調器と、
前記フィルタリングされたベースバンド及び前記バーコード電気信号を変調する第２の変調器と、
直交変調又はフィルタリングされた変調信号を送信機に選択及び接続するスイッチ回路と
を有するシステム。
【請求項２１】
位置検出及び多用途通信システムであって、
ユーザの位置を受信して処理する位置情報受信機及びプロセッサと
１つ又は複数の指紋情報を処理し、信号送信のために１つ又は複数の変調器を起動する指紋センサ、検出、識別及び処理装置と、
ユーザにより生成された信号を有する更なるユーザ信号で位置情報と指紋情報とにより起動された信号を処理して結合し、処理された信号を第１及び／又は第２の変調器に提供するプロセッサ装置と、
処理されたベースバンド信号をスペクトル拡散符号化及び変調する第１の変調器と、
処理されたベースバンド信号をフィルタリングして変調する第２の変調器と、
信号送信のために、スペクトル拡散変調信号若しくはフィルタリングされた変調信号又はスペクトル拡散変調信号とフィルタリングされた変調信号との双方を１つ以上の送信機に提供する接続回路と
を有するシステム。
【請求項２２】
位置検出及び多用途通信システムであって、
ユーザの位置を受信して処理する位置情報受信機及びプロセッサと、
１つ又は複数の指紋情報を処理し、信号送信のために１つ又は複数の変調器を起動する指紋センサ、検出、識別及び処理装置と、
ユーザにより生成された信号を有する更なるユーザ信号で位置情報と指紋情報とにより起動された信号を処理して選択又は結合し、処理された信号及び／又は選択及び／又は結合された位置情報及び指紋情報を第１及び／又は第２の変調器に提供するプロセッサ及び選択装置と、
選択及び／又は結合処理されたベースバンド信号をスペクトル拡散符号化及び変調する第１の変調器と、
選択及び／又は結合処理されたベースバンド信号をフィルタリングして変調する第２の変調器と、
信号送信のために、スペクトル拡散変調信号若しくはフィルタリングされた変調信号又はスペクトル拡散変調信号とフィルタリングされた変調信号との双方を１つ以上の送信機に提供する接続回路と
を有するシステム。
【請求項２３】
位置検出及び多用途通信システムであって、
ユーザの位置を受信して処理する位置情報受信機及びプロセッサと、
１つ又は複数の指紋を処理し、信号送信のために変調器を起動する指紋センサ、検出、識別及び処理装置と、
更なるユーザ信号で位置情報と指紋とにより起動された信号を処理して結合し、処理されたベースバンド信号を第１及び第２の変調器に提供するプロセッサ装置と、
処理されたベースバンド信号をスペクトル拡散符号化及び変調する第１の変調器と、
処理されたベースバンド信号をフィルタリングして変調する第２の変調器と、
信号送信のために、スペクトル拡散変調信号若しくはフィルタリングされた変調信号又はスペクトル拡散変調信号とフィルタリングされた変調信号との双方を１つ以上のアンテナに提供する接続回路と
を有するシステム。
【請求項２４】
位置検出及び多用途通信システムであって、
ユーザの位置を受信して処理する位置情報受信機及びプロセッサと、
１つ又は複数の指紋を処理し、変調及び信号送信のために１つ又は複数の指紋により生成された信号を起動する指紋センサ、検出、識別及び処理装置と、
ユーザにより生成された信号を有する更なるユーザ信号で位置情報と指紋とにより起動された信号を処理して結合し、処理されたベースバンド信号を第１及び第２の変調器に提供するプロセッサ装置と、
処理されたベースバンド信号を直交変調する第１の変調器と、
処理されたベースバンド信号をフィルタリングして変調する第２の変調器と、
信号送信のために、直交変調信号若しくはフィルタリングされた変調信号又は直交変調信号とフィルタリングされた変調信号との双方を１つ以上のアンテナに提供する接続回路と
を有するシステム。
【請求項２５】
位置情報受信機及び多用途通信システムであって、
ユーザの位置を受信して処理する位置情報受信機及びプロセッサと、
１つ又は複数の指紋を処理し、信号送信のために１つ又は複数の変調器を起動する指紋センサ、検出、識別及び処理装置と、
更なるユーザ信号で位置情報と指紋とにより起動された信号を処理して結合し、処理されたベースバンド信号を第１及び第２の変調器に提供するプロセッサ装置と、
処理されたベースバンド信号を相互相関して直交変調する第１の変調器と、
処理されたベースバンド信号をフィルタリングして変調する第２の変調器と、
信号送信のために、直交変調信号若しくはフィルタリングされた変調信号又は直交変調信号とフィルタリングされた変調信号との双方を１つ以上のアンテナに提供する接続回路と
を有するシステム。
【請求項２６】
位置情報受信機及び多用途通信システムであって、
ユーザの位置を受信して処理する位置情報受信機及びプロセッサと、
１つ又は複数の指紋を処理し、信号送信のために１つ又は複数の変調器を起動する指紋センサ、検出、識別及び処理装置と、
ユーザにより生成された信号を有する更なるユーザ信号で位置情報と指紋情報とにより起動された信号を処理して結合し、処理された信号を第１及び第２の変調器に提供するプロセッサ装置と、
処理された信号を相互相関して直交変調する第１の変調器と、
処理された信号をフィルタリングして変調する第２の変調器と、
信号送信のために、直交変調信号若しくはフィルタリングされた変調信号又は直交変調信号とフィルタリングされた変調信号との双方を２つ以上のアンテナに提供する接続回路と
を有するシステム。
【請求項２７】
位置情報受信機及び多用途通信システムであって、
ユーザの位置を受信して処理する位置情報受信機及びプロセッサと、
１つ又は複数の指紋情報を処理し、信号送信のために１つ又は複数の変調器を起動する指紋センサ、検出、識別及び処理装置と、
未許可の指紋及び許可された指紋により生じた信号を識別及び処理する指紋センサ、検出、識別及び処理装置と、
ダイヤルした受信者に加えて、警察署及び／又は緊急センタ又は他の法執行機関及び／又は医療機関及び／又は個人及び／又は警告監視会社及び／又は他の受信装置のような第三者の受信者に、未許可の指紋により生じた信号及び指紋を制御、信号処理及び送信する制御システムと、
ユーザにより生成された信号を有する更なるユーザ信号で位置情報と指紋情報とにより起動された信号を処理して結合し、処理された信号を第１及び第２の変調器に提供するプロセッサ装置と、
処理されたベースバンド信号をスペクトル拡散符号化及び変調する第１の変調器と、
処理されたベースバンド信号をフィルタリングして変調する第２の変調器と、
信号送信のために、スペクトル拡散変調信号若しくはフィルタリングされた変調信号又はスペクトル拡散変調信号とフィルタリングされた変調信号との双方を１つ以上の送信機に提供する接続回路と
を有するシステム。
【請求項２８】
多用途通信システムであって、
ユーザを識別し、ユーザの検出された認証識別情報を処理し、認証情報信号を生成するユーザ検出及び認証装置と、
前記情報信号及び他のユーザにより生成された入力信号に結合された変調器を有する第１の信号パスであり、前記入力信号はユーザにより生成された信号を有する第１の信号パスと、
前記情報信号及び／又は他のユーザにより生成された信号から同位相（I）及び直角位相（Q）の相互相関したベースバンド信号を生成する直交変調器を有する第２の信号パスと、
前記相互相関したベースバンド信号に結合された直交変調器と、
送信機に結合された第３の信号パスと、
第１の条件で第３の信号パスを第１の信号パスに結合するように、第２の条件で第３の信号パスを第２の信号パスに結合するように、又は第３の条件で第３の信号パスを第１の信号パス及び第２の信号パスに結合するように構成されたスイッチ又はコンバイナと
を有するシステム。
【請求項２９】
多用途通信システムであって、
ユーザを識別し、ユーザの検出された認証識別情報を処理し、認証情報信号を生成するユーザ検出及び認証装置と、
前記情報信号及び他のユーザにより生成された入力信号に結合された変調器を有する第１の信号パスであり、前記入力信号はユーザにより生成された信号を有する第１の信号パスと、
前記情報及び／又は他のユーザにより生成された信号に結合された直交変調器を有する第２の信号パスと、
信号送信のために、第１の条件で第１の信号パスを、第２の条件で第２の信号パスを、又は第３の条件で第３の信号パスを結合するように構成されたスイッチ又はコンバイナと
を有するシステム。
【請求項３０】
心刺激装置及び通信システムであって、
１つ以上の電極へ及び／又はから刺激パルスを伝達するリードと、
刺激パルスを生成し、前記リードにより前記パルスを電極に提供するパルス生成器と、
１つ以上の無線信号を送信及び／又は受信するために、１つ以上の無線送受信（T/R）回路へ及び／又はから前記刺激パルスを接続するインタフェース回路及び／又はプロセッサと、
１つ以上の前記無線送受信回路に結合され、移植可能な心刺激装置の動作パラメータを制御する制御信号を生成する制御信号生成器を有する制御回路と
を有するシステム。
【請求項３１】
心刺激及び通信システムであって、
心臓に位置する１つ以上の電極へ及び／から刺激パルスを処理するパルス生成器及びプロセッサと、
前記刺激パルスを受信し、相互相関した同位相及び直角位相ベースバンド信号を提供する信号処理ネットワークと、
前記刺激パルスを受信し、フィルタリングされたベースバンド信号を提供する信号処理ネットワークと、
相互相関信号若しくはフィルタリングされた信号又は相互相関信号とフィルタリングされた信号との双方を選択し、信号変調のために選択された信号を１つ以上の変調器に提供するセレクタと
を有するシステム。
【請求項３２】
心刺激及び変調システムであって、
１つ以上の電極へ及び／又はから刺激パルスを処理するプロセッサと、
前記刺激パルスを受信し、同位相及び直角位相ベースバンド信号を提供する信号処理ネットワークと、
前記刺激パルスを受信し、フィルタリングされたベースバンド信号を提供する信号処理ネットワークと、
同位相及び直角位相ベースバンド信号若しくはフィルタリングされた信号又は同位相及び直角位相ベースバンド信号をとフィルタリングされた信号との双方を選択し、信号変調のために選択された信号を１つ以上の変調器に提供するセレクタと
を有するシステム。
【請求項３３】
刺激及び変調システムであって、
１つ以上の電極へ及び／又はから刺激パルスを伝達するリードと、
刺激パルスを生成し、前記リードにより前記パルスを電極に提供するパルス生成器と、
１つ以上のスペクトル拡散信号を送信及び／又は受信するために、１つ以上のスペクトル拡散送受信（T/R）回路へ及び／又はから前記刺激パルスを接続するインタフェース回路及び／又はプロセッサと、
１つ以上の前記スペクトル拡散送受信回路及び前記パルス生成器に結合され、１つ以上の受信信号を処理及び検出するように更に構成され、刺激装置の動作パラメータを制御する制御信号を生成する制御信号生成器を有する制御回路と
を有するシステム。
【請求項３４】
医療診断及び通信システムであって、
１つ以上の医療診断装置から受信した信号を処理するプロセッサと、
前記処理された信号を受信し、同位相及び直角位相ベースバンド信号を提供する第１の信号処理ネットワークと、
前記処理された信号を受信し、フィルタリングされたベースバンド信号を提供する第２の信号処理ネットワークと、
同位相及び直角位相ベースバンド信号若しくはフィルタリングされたベースバンド信号又は同位相及び直角位相ベースバンド信号とフィルタリングされた信号との双方を選択し、信号変調のために選択された信号を１つ以上の変調器に提供するセレクタと
を有するシステム。
【請求項３５】
医療診断及び通信システムであって、
１つ以上の医療診断装置から受信した信号を処理するプロセッサと、
前記処理された信号を受信し、第１の指定ビットレートを有するベースバンド信号を提供する第１の信号処理ネットワークと、
前記処理された信号を受信し、第２の指定ビットレートを有するベースバンド信号を提供する第２の信号処理ネットワークと、
第１の指定ビットレートの信号若しくは第２の指定ビットレートの信号又は第１の指定ビットレートの信号と第２の指定ビットレートの信号との双方を選択し、信号変調のために選択された信号を１つ以上の変調器に提供するセレクタと
を有するシステム。
【請求項３６】
医療及び診断通信システムであって、
医療装置により生成された信号の送信機と、
前記医療装置により生成された信号を受信してベースバンド信号に処理する受信機と、
同位相及び直角位相スペクトル拡散ベースバンド信号を生成するために前記ベースバンド信号を処理する回路と、
同位相及び直角位相ベースバンドスペクトル拡散信号を直交変調する変調器と
を有するシステム。
【請求項３７】
医療及び診断通信システムであって、
医療装置により生成された信号の送信機と、
前記医療装置により生成された信号を受信してベースバンド信号に処理する受信機と、
OFDM（Orthogonal  Frequency  Division  Multiplexed）ベースバンド信号を生成するために前記ベースバンド信号を処理する回路と、
OFDMベースバンド信号を直交変調する変調器と
を有するシステム。
【請求項３８】
医療及び診断通信システムであって、
医療装置により生成された信号の送信機と、
前記医療装置により生成された信号を受信してベースバンド信号に処理する受信機と、
相互相関した同位相及び直角位相ベースバンド信号を生成するために前記ベースバンド信号を処理する回路と、
相互相関したベースバンド信号を変調する変調器と
を有するシステム。
【発明の詳細な説明】
【技術分野】
【０００１】
本発明の分野は、有線及び無線通信、放送、娯楽、遠隔制御、医療診断、緊急及び警告、インタラクティブ・タッチスクリーン、単一又は多モード通信用の指紋制御通信及び制御システム、放送、情報通信（teleinformatics）及び遠隔測定システムを含む。
【０００２】
開示される対象は、位置決定システム、位置検出型サービス及びアプリケーション、遠隔制御、無線、有線、ケーブル、インターネット、ウェブ型通信システム、通信装置、単一又は複数の装置を備えたRFID（radio  frequency  identification）システム、緊急又は他の警告システム、医療患者監視センサ装置、医療診断装置、指紋識別、指紋制御、通信及び制御システムのインタラクティブ通信又は制御、通信、放送、情報通信、及び遠隔測定システムを含み、多用途及び多目的アプリケーション、装置及びシステムについてである。
【背景技術】
【０００３】
従来技術の参照文献は、位置検出、トラッキング及び通信装置を開示している。例示的な従来技術は、米国特許6,865,395、米国特許6,889,135、米国特許6,879,584、米国特許6,876,859、米国特許6,876,310及び米国特許6,842,617を含む。従来技術から、位置（すなわち、無線ユーザの位置）を知ることが、しばしば望まれて時々必要になることがわかる。例えば、米国FCC（Federal  Communications  Commission）は、911電話が端末から行われる毎に、無線端末（例えばセルラ電話）の位置がPSAP（Public  Safety  Answering  Point）に提供されることを要求する拡張緊急911（緊急911又は拡張緊急E-911）無線サービスを発注している。改善された個人セキュリティ及び緊急応答機能についての認識された必要性は、従来技術に記載されている。個人が負傷した場合、行方不明になった場合、又は拉致された場合、個人の安全を維持して深刻又は悲劇的な状況を軽減又は回避するために、現地の法執行機関又は緊急応答組織への緊急状態（緊急事態の位置を含む）の迅速な通知が必要になる。
【０００４】
緊急状態に加えて、改善された個人健康管理（特に患者監視又は他の診断システム）について認識された必要性が存在する。患者は、しばしば固定の領域でケーブル接続された（又は拘束された）監視装置に制限される。Baisa,  N:“Designing  wireless  interfaces  for  patient  monitoring  equipment”,RF  Design  Magazine,  2005年4月により公開された例示的な従来技術の参照文献は、無線技術における近年の進歩が、患者をこれらの装置から解放することを可能にしており、更なる自由を許容し、患者が旅行中である間であっても健康提供者による監視を可能にしていることを記載している。無線端末の位置は、“領域ドメイン（range-domain）”及び“位置ドメイン（position-domain）”技術並びに他の技術及び／又は組み合わせのハイブリッド型技術を含み、様々な技術を使用して推定され得る。
【０００５】
略語及び省略：特許、刊行物、会議刊行物、本、公開標準、レポートを含む文献で使用される複数の用語、略語及び省略は、この特許と同じ及び／又は類似の意味を有する。特に、Feher他の特許（米国特許6,470,055(‘055特許)、米国特許6,665,348、米国特許6,757,334、米国特許4,567,602及び米国特許5,491,457）で使用される用語、略語及び省略は、しばしばこの文献で使用される。従来技術の文献で使用される用語のいくつかの解釈を容易にするために、従来技術の’055特許の一部がこの出願で再検討される。引用文献に記載された他の従来技術の用語、略語及び省略についても、引用文献及び他の従来技術の文献に含まれる参照が適用可能である。
【０００６】
位置決定エンティティ（PDE：position  determining  entity）及び位置決定送信機としても表される位置決定装置（PDD：position  determining  device）は、受信機により使用される信号を生成して送信する装置及び送信機を意味し、場所若しくは位置決定及び／又は場所若しくは位置推定を行う受信プロセッサも従来技術に記載されている。
【０００７】
例示的な従来技術の単一心室ペースメーカ及び移植可能心刺激装置は、例示的な引用文献の米国特許6,539,253及び米国特許6,907,291に記載されている。
【発明の開示】
【発明が解決しようとする課題】
【０００８】
拡張したサービスエリア、改善した性能、シームレスな相互接続、高速動作、拡張機能、多目的、多機能、多モード及び多標準の相互接続を有する多目的無線通信アプリケーションがかなり望まれている。この出願は、位置決定システム、位置検出型サービス及びアプリケーション、遠隔制御、無線、有線、ケーブル、インターネット、ウェブ型通信システム、通信装置、単一又は複数の装置を備えたRFID（radio  frequency  identification）システム、緊急又は他の警告システム、医療患者監視センサ装置、医療診断装置、指紋識別、指紋制御、通信及び制御システムのインタラクティブ通信又は制御、通信、放送、情報通信、及び遠隔測定システムを含み、多用途及び多目的アプリケーション、装置及びシステムを開示する。
【課題を解決するための手段】
【０００９】
ほとんどのマルチメディア及びビデオサービスは、現在動作中の第２世代（2G）及び／又は第３世代（3G）セルラサービスプロバイダの機能を超える帯域及び／又は他の多用途機能を必要とする。従って、例えばインターネットで急速に進化している多くの広帯域アプリケーション及びサービスは、無線ローカルエリアネットワーク（WLAN）及び／又は他の広帯域ネットワークを介して、移動無線ユーザに対して容易且つ広範囲にアクセス可能なセルラ相互接続を有していない。WLAN技術（IEEE802.x又はBluetooth等）を使用してそれぞれ広帯域の短距離ネットワーク機能を提供する又は含む新しいシステム及びエンドユーザ装置又はユニットが検討されている。これらの回線により、移動ハンドセットは、ネットワークアクセスポイント（NAP：network  access  point）に近づいたときに、インターネット結合を確立することが可能になる。これらのWLAN型システムは、固定の装置に予約されると、未連結の装置が高帯域サービスを享受する機会を生成し得る。しかし、WLANシステムは、短距離サービスエリアのみを提供し、広範囲に展開されておらず、又はユーザ移動性を提供しない。従って、広域で移動ユーザに拡張サービスを提供するのに一般的に適していない。セルラ、赤外線（IR）、衛星、広域ネットワーク（WAN）及びWLANシステムの機能を統合し、完全なエンドツーエンドの拡張サービスを提供する多用途、多モード、多標準の相互接続技術を開発することが望ましい。このことは、MFS（modulation  format  selectable）及びBRA（bit  rate  agile）の多モード、多用途の相互接続システムにより実現可能である。この開示では、Wi-Fi（Wireless  Fidelity）システム及びWi-Fiの実施形態は、他の実装アーキテクチャに包含されて統合される。この出願で使用されるWi-Fi若しくはwireless  fidelity又は関連の用語は、IEEE802.x標準のシステムのようなシステムについてであり、IEEE802.11b、802.11a、802.16、802.20デュアルバンド等であれ、何らかの形式の802.11ネットワークを参照するときに一般的に使用される。WiFiという用語もまた、Wi-Fi  Allianceにより公表されるように使用され、広い解釈をも有する。Wi-Fiへの代替の用語（UWB/W-USB、ZigBee、NFC及びWiMax等）も使用され、本発明の実施形態に含まれる。
【００１０】
近年では、個人がセルラ電話、ページャ、約３つ以上の遠隔制御（RC）装置（例えば、１つ以上のテレビセット、VCR、衛星チャンネルTVセット、ガレージオープナー、車自動オープナー、ポータブルFMラジオ、ビデオカメラ、コンピュータ、PDA、複数のコードレス電話及び他の電子装置について１つ以上のRC）を有することは異例ではない。これらの装置の全てを追跡管理することは計り知れない。従って、１つの多目的又は多用途ユニットへの多くの装置、ユニットの合併又は統合が望ましい。
【００１１】
複数の標準及び多数の非標準のシステムの間及びこれらの中で、多くの種類の通信及び制御送受信媒体（無線（例えば、セルラ、陸上移動、衛星）、ケーブル、光ファイバ通信（FOC）、インターネット、イントラネット及び他の媒体等）の間で、単一又は複数の情報信号及び通信について効率的な多用途通信装置の実装を可能にするために、適応可能又は機動的な（agile）システム及び適応可能な実施形態の構成を有する必要がある。IF（Intermediate  Frequency）及び／又はRF（Radio  Frequency）の機動性、BRA（Bit  Rate  Agile又はBit  Rate  Adaptable）、MFS（Modulation  Format  Selectable）及び／又はMES（Modulation  Embodiment  Selectable）システムを含み、このような構成が開示される。この出願で開示される多用途変調復調器（modem）及び／又は変調器及び／又は復調器の実装は、IF（Intermediate  Frequency）及び／又はRF（Radio  Frequency）の機動性を有する。すなわち、IFの適応可能及び／又はRFの適応可能な実施形態である。IF及び／又はRFの適応可能なシステム、又はIF及び／又はRFの機動的なシステムでは、変調信号の中心周波数は所望の送信周波数帯域に対して選択可能及び／又は適応可能である。RF送受信機（トランシーバ）の実施形態もRFの機動的な実装である。多用途の実施形態の複数の機能は任意選択であり、いくつかの実装の構成には含まれない。これらのいくつかは、任意選択のBRA（Bit  Rate  Agile又はBit  Rate  Adaptable）構成及び／又はRFの機動的な実装及び／又は相互相関及び／又は他の構成及び／又は機能を含む。ある実施形態では、１つ以上の変調器がBRA及び／又はコード選択性（Code  Selectable）及び／又はMFS及び／又はMESの実装を有する必要がある。この出願で使用されるMFS（Modulation  Format  Selectable）という用語は、ある実施形態で、変調技術（変調フォーマット）が適用可能、変更可能（選択可能）であり、また、システムで符号化が使用される場合に、符号化技術も適応可能、変更可能（選択可能）であることを意味するように規定される。いくつかの開示された実施形態では、同じ変調フォーマット及び同じビットレートが使用されるが、変調の実施形態は異なる。例えば、ある用途では、GMSK変調システムは、低送信電力用途にはQM（Quadrature  Modulation）構成を使用するが、高送信電力用途にはNQM（non-quadrature  modulation）（例えば、極性の実装構成（polar  implementation  structure）を使用する。従って、この例では、NQMの実施形態でQMの実施形態の代わりに送信されるように、同じビットレート（又は異なるビットレート）を有する同じGMSK変調フォーマットが切り替えられる（又は選択される）。
【００１２】
開示される対象は、位置決定システム、位置検出型サービス及びアプリケーション、位置検出、追跡、単一又は複数の追跡、遠隔制御（RC）、ユニバーサルリモコン（URC：Universal  Remote  Control）、無線、有線、ケーブル、インターネット、ウェブ型通信システム、通信装置、単一又は複数の装置を備えたRFID（radio  frequency  identification）システム、緊急又は他の警告システム、医療患者監視センサ装置、診断ユニット及びシステム、DNA（Deoxyribose  Nucleic  Acid）システム、指紋識別、指紋制御、及び／又は特定の通信及び制御システムのインタラクティブ通信又は制御へのDNAサンプルの使用、心刺激装置、プッシュツートーク（PTT：push  to  talk）選択肢を有するシステム、単一又は多モード通信用のインタラクティブ・タッチスクリーン制御通信及び制御システム、放送、情報通信、及び遠隔測定システムを含み、多用途及び多目的アプリケーション、装置及びシステムについてである。
【００１３】
提示される実装及び実施形態は、単一及び多モードのシステム及びネットワークでの単一又は複数の装置についてである。（動作検出器、体温、血圧又は他の装置のようなセンサを介した）特定の測定パラメータ又は診断結果の処理を含み、装置の位置検出、追跡及び識別は、中心位置でもよく、及び／又は監視されて見つかった装置の相手でもよく、及び／又は移動ユニット（携帯情報端末（PDA）又はラップトップコンピュータ、移動娯楽又は教育装置、移動ナビゲーション及びインタラクティブ装置等）でもよく、及び／又は固定の位置のユニット（例えば、有線電話又はコンピュータ）でもよい装置及びユニットに通信される。移動無線及び／又は有線媒体又はインターネットウェブメディア情報転送及び情報通信及び遠隔測定についてのインタラクティブ位置型及び教育及び／又は娯楽装置及びシステムも含まれる。画像、写真及びビデオと、走査又は格納された画像及び写真とに関して、３次元（3D）画像が通信ユニットに含まれる。特定の装置は、通信及び／又は表示装置との制御又は通信又は相互作用のために、タッチスクリーンを組み込んでいる。
【００１４】
位置検出器でのシームレスな動作で、及び有線又はインターネットウェブ型監視信号処理の実装で、ユーザの通信を可能にし、相互接続可能に接続されたセルラGSM（Global  Mobile  System）、Wi-Fi（Wireless-Fidelity）システム装置又は電話での制御を可能にし、広域からローカルエリア無線ネットワークへ及びこの逆への移動するための多モード装置の接続を含み、多モード、多用途システム動作、多目的診断、患者監視、多目的システムが提示される。特定の用途では、これらのシステムは、コードレス電話及び／又は他のコードレス装置に接続される。信号処理という用語は、信号及び／又はデータ処理を示す。この出願は、以下のシステム構成要素のうち１つ以上の複数の実施形態の多動作及び多機能を含む。すなわち、単一又は複数の位置検出器、位置追跡装置、位置検出装置（なお、“位置検出器”、“位置追跡器”及び“位置検出装置”はこの開示の複数の部分で実際に同じ意味を有する）、単一又は複数のBRA（Bit  Rate  Agile）に接続されたRFID（Radio  Frequency  Identification装置）、単一の変調又はMFS（Modulation  Format  Selectable）衛星及び／又は陸上型装置である。１つ以上の組み合わせ及び変形で構成されたこれらの多用途システム構成要素はまた、“プラグアンドプレイ”としても知られており、標準システム（例えば、GSM、GPRS（General  Packet  Radio  Service）、EDGE（Enhanced  Digital  GSM  Evolution）又はE-GSM（Evolution  of  GSM）、CDMA（Code  Division  Multiple  Access）、WCDMA又はW-CDMA（Wideband  Code  Division  Multiple  Access、OFDM（Orthogonal  Frequency  Division  Multiple  Access）、TDMA（Time  Division  Multiple  Access）、IEEE802.xx、DECT（Digital  European  Cordless  Telecommunication）、IR（Infrared）、Wi-Fi（Wireless  Fidelity）、Bluetooth、及び他の標準システム、並びに非標準システム）での動作について開示される。標準のBluetoothシステムのような従来技術の無線短距離システムは、携帯電話システムへの接続を提供するが、従来技術の短距離システムは、選択可能な拡張性能、多標準、多モード、MFS（Modulation  Format  Selectable）及びビットレート選択可能なシステム（BRA（Bit  Rate  Agile）システムとしても表される）カスケード型無線、有線及びインターネットプロトコル（IP）、並びに本発明に記載のような実施形態への接続を提供しない。この出願は、インターネット及び／又はマルチメディアシステムを使用する又は使用しない第２世代（2G）、第３世代（3G）、第４世代（4G）及び第５世代（5G）並びに他の新世代の無線及び放送、処理、格納、医療診断通信及び制御、インタラクティブ娯楽及び教育及び企業システムの更に効率的な実装及び拡張した性能についての実施形態及びアーキテクチャを含む。2G、3G、4G及び5Gという用語は、広い一般的な意味を有し、特定の特別な標準に限定されない。これらの用語は、ここに開示された新規な発明の中で、従来技術のシステムの新世代又は拡張性能又はより効率的な実装として解釈される。
【００１５】
行方不明者、逃走者又は誘拐された人、行方不明、逃走中又は盗難されたペット／動物又は物体を見つけることに加えて、多モードの無線、有線及びインターネットシステムで患者監視のための複数の医療用途もこの出願で開示される。手術について、人体に取り付けられたケーブル及び線を低減又は除去する他の医療手順及び医療患者監視及び診断、ハイブリッド型有線及び無線又は純粋に無線システムも記載される。前述の技術と共に、ビデオ放送、マルチキャスト、テレビ会議技術も開示される。記述したテキスト及びオーディオ変換されたテキストでの言語翻訳器が提示される。音声認識システム及び指紋認識送信及び起動方法が開示される。
【００１６】
患者監視システムのケーブルを除去又は最小化するために、多モード、多標準、非標準の無線、有線、ケーブル、赤外線の複数の“カスケード型”切り替え及び結合手法及びシステムについての新規なアーキテクチャ、構造及び実施形態がこの開示で提示される。これは、Wi-Fi、Bluetooth又は他のような１つ又は複数の短距離無線システムでのセルラ（すなわちGSM又はCDMAシステムに切り替えられたGSM）のカスケードを含む。ケーブルの数を低減する動機は、患者に接続された邪魔なケーブルを除去し、手術を容易にし、患者の回復を促進及び加速し（患者が移動して運動して手術中の患者の生活の質、回復及び回復後の監視を改善することを可能にする）、（制御の逆回線で）遠隔の医者、看護師又は他の許可された医療提供者を含む緊急時応答を短くし、特定の医療（薬剤、例えばインシュリン等）を管理し、ケーブルで引き起こされる潜在的に有害な患者への電流を除去又は低減する要求を含む。逆回線という用語は、医者、看護師又は他の許可された医療提供者から患者又は患者医療装置への回線（信号フロー）を意味し、順回線という用語は、患者医療装置（例えば心刺激装置）から医者、看護師又は他の許可された医療提供者若しくは医療監視システムへの回線を意味する。従来技術のペースメーカ制御は、磁気制御されたペースメーカのパラメータのために磁気検出回路を必要とする。不都合なことに、ペースメーカのパラメータのこの磁気依存の動作／変化は、多くの場合に課題をもたらし、及び／又はペースメーカを有する患者でMRI（Magnetic  Resonance  Imaging）及び／又は磁気共鳴映像走査を不能にする。MRIは、診断目的のために頻繁に要求される診断手順であるため、MRI走査からの情報が救命である緊急時であっても、MRIは現在利用可能な磁気検出・磁気制御型ペースメーカの正確な動作と干渉するため、実質的な磁気素材なしに（すなわち、磁気型検出及び磁気制御の必要なしに）動作及び制御され得る新世代のペースメーカを開発することがかなり望ましい。従来技術の磁気検出回路と異なり、本発明では、ペースメーカのパラメータ及び機能／動作をリセット又は変更するために、磁気検出回路の必要性はなく、磁石がペースメーカの上又は内に配置される必要はない。本発明では、ペースメーカの磁気検出及び磁気制御は、無線信号検出により置換され、検出された無線信号及び（医者の動作する無線送信機から受信した）この無線検出信号の処理に基づいて、ペースメーカのパラメータ及び動作を制御する制御信号が生成される。
【００１７】
指紋及び／又は他の手段を備えた無線システム認証も開示される。
【００１８】
この出願では、“多用途”及び／又は“多目的”という用語は、前述の用途、システム、システムアーキテクチャ、及び／又は実施形態若しくは前述のシステム構成要素の組み合わせが使用されることを意味する。
【発明を実施するための最良の形態】
【００１９】
この部分では、添付図面を参照して本発明について十分に説明する。添付図面には本発明の好ましい実施形態が図示されている。しかし、本発明は異なる形式で具現されてもよく、ここに示した図示の実施形態に限定するものとして解釈されるべきではない。むしろ、これらの実施形態は、この開示が十分且つ完全であり、本発明の範囲を当業者に十分に伝えるように提供されている。
【００２０】
１つ以上の装置（代替として、ユニット、要素、システム、端末、装置、リード又は接続と表される）は、この実施形態で任意選択である。要素は相互接続されてもよく、及び／又は様々な構成で使用されてもよい。図面及び図面の関連の説明で、並びにこの開示の明細書で、ユニット又は要素のいくつかは任意選択であり、特定の用途、実施形態及び／又は構成に必要はない。この文献において、“信号”という用語は従来技術で使用される最も一般的な意味を有しており、電気的、音響的、赤外線、X線、光ファイバ、光、音、位置、高度、診断、拍子、密度、及び他のセンサ又は装置又は人間又は動物又は物体により生成又は処理された波形、画像、写真、シンボル、ウェーブレット、波形、並びにアナログ又はデジタル又は“ハイブリッド型”アナログ及びデジタルの信号を含む。
【００２１】
図１は、GSM（Global  Mobile  System）、GPRS（General  Packet  Radio  Service）、EDGE（Enhanced  Digital  GSM  Evolution）又はE-GSM（Evolution  of  GSM）、CDMA（Code  Division  Multiple  Access）、WCDMA又はW-CDMA（Wideband  Code  Division  Multiple  Access、OFDM（Orthogonal  Frequency  Division  Multiple  Access）、TDMA（Time  Division  Multiple  Access）、IEEE802.xx、DECT（Digital  European  Cordless  Telecommunication）、IR（Infrared）、Wi-Fi（Wireless  Fidelity）、Bluetooth、及び他の標準システム、並びに非標準システムのための単一又は複数のBRA（Bit  Rate  Agile）、単一の変調又はMFS（Modulation  Format  Selectable）セルラ、他の移動無線、衛星及び／又は陸上型装置と接続された単一及び／又は複数の位置検出システム、RFID（Radio  Frequency  Identification  Devices）、医療診断、緊急及び遠隔制御システムを含む、単一及び／又は複数の通信システムの実装構成を示している。特に、図１は、１つ以上の通信システムに接続された単一又は複数のトランシーバ、通信システム、娯楽装置、教育システム及び／又は医療装置（例えば、患者監視装置及び／又はセンサ）とセレクタ又はコンバイナを通じて接続されたインタフェースユニット、プロセッサ、送信機及び受信機（トランシーバ又はTRとしても表される）、単一又は複数の通信及び／又は放送装置、位置検出器、位置検出及び追跡装置及びプロセッサの実施形態である。インタフェースユニット1.1は、装置又は通信システムの一部、及び／又は位置検出又は位置追跡又は位置決定システム又はプロセッサの一部（例えば、GPS（Global  Positioning  System）受信機の一部又はGPS受信機へのインタフェース）、又は他の位置検出器又は追跡装置又はセンサ、音響（例えば、音声、音、音楽）信号、ビデオ及び／又は視覚及び／又は画像信号（動画、静止画写真、X線写真、遠隔測定信号）、温度（例えば、人間の体温、動物の体温、物体の温度）、電気信号、RFID（Radio  Frequency  Identification  Device）受信又は生成信号、赤外線、X線及び／又は他の信号、センサにより生成されたパラメータ又は他のソースから取得されたパラメータの信号検出器及びプロセッサである。ユニット1.1は、心拍、強度、脈拍数、グルコース用のセンサ、動脈血ガスセンサ、インスリンセンサ又は監視器及び／又は他の医療装置を有してもよい。ユニット1.1はまた、患者監視のための手術中又は手術後に患者に接続されたセンサ又は医療装置を有してもよい。ユニット1.1は、唯一の前述の要素を有してもよく、より多くの前述の要素を有してもよい。ユニット1.1は、この部分に記載した装置の特定の組み合わせ及び／又は変形を有してもよい。他の実施形態では、ユニット1.1は、信号源及び／又は複数のソースから及び／又は通信媒体からの信号を接続する簡単なインタフェースユニットである。“信号源”又は“ソース”という用語は、音声、オーディオ、ビデオ、写真、ディスプレイ、データ記憶装置、情報プロセッサ及び信号を生成、包含又は処理する他のプロセッサを含み、広い種類の信号源、信号プロセッサ及び／又は信号生成器を有する。インタフェースユニット1.1の実装は、接続装置（有線若しくはケーブル、又はアンテナ若しくは電子若しくは音響若しくは赤外線若しくはレーザカプラ又はコネクタへの回線若しくは接続の一部、又は電子若しくは電子回路等）又は１つ以上の装置の組み合わせ���有する。インタフェースユニット1.1は、ビデオ又はテレビ（TV）又はデジタルカメラ（デジタル写真カメラ又はデジカメ）信号用の簡単なインタフェース、又は画像の連続又は写真、走査画像のような他の視覚信号のためのインタフェースユニット、従来技術のWindows（登録商標）  Mobileスマートフォンソフトウェア、コンピュータ、娯楽、ゲームにある又はこれらにない従来技術のポータブル音楽プレイヤ又は統合された従来技術のMP3プレイヤに含まれるような視覚信号及び／又は格納されてプログラム可能な音楽のプロセッサ又は装置、位置検出器のある又はこれのないインタラクティブビデオゲーム、ラジオFM/AM又はデジタルラジオ又は多の無線又はテレビ放送信号のある又はこれらのない位置検出器でもよい。１つの実装では、ユニット1.1は、ウェブ又はWEB又はワールドワイドウェブ（省略してウェブ又はwww）、移動装置からの移動ウェブを有する。いくつかの実施形態では、ユニット1.1は、プッシュツートーク（PTT）プロセッサを有する。信号又は複数の異なる種類の信号は、ユニット1.2に含まれる１つ以上のトランシーバ（TR）に接続される。トランシーバという用語は、１つ以上の複数の送信機及び受信機を示し、１つ又は複数の受信機及び送信機をも示す。特に、TRユニット1.2は、１つ又は複数の全体のトランシーバを有してもよく、１つ又は複数の受信機又は１つ又は複数の送信機を有してもよい。ユニット1.2（要素1.2又は装置1.2としても表される）は、１つ又は複数のBT（Bluetooth）、赤外線（IR）、又は他の無線（例えば、衛星又はケーブル）若しくは有線のトランシーバ、又はトランシーバの一部でもよい。ユニット1.3は、１つ以上の通信システム又は通信装置（ユニット1.4、ユニット1.5及びユニット1.6）に含まれるサブシステムに対して要素.1.2により提供された信号（１つ以上の信号）を選択又は結合及び接続する信号スプリッタ又は信号セレクタ装置又は接続である。通信装置（ユニット1.4、ユニット1.5及びユニット1.6）は、それぞれGSM、CDMA、無線ローカルエリアネットワーク（LAN）又は他の有線、ケーブル若しくは無線装置の一部又は全体である。“OFDM又はその他”として表されるユニット1.6のシステム構成要素は、“プラグアンドプレイ”としても知られる１つ以上の組み合わせ及び変形で組み立てられ、単一又は複数の標準システム（例えば、GSM、GPRS（General  Packet  Radio  Service）、EDGE（Enhanced  Digital  GSM  Evolution）又はE-GSM（Evolution  of  GSM）、CDMA（Code  Division  Multiple  Access）、WCDMA又はW-CDMA（Wideband  Code  Division  Multiple  Access）、OFDM（Orthogonal  Frequency  Division  Multiple  Access）、TDMA（Time  Division  Multiple  Access）、IEEE802.xx、DECT（Digital  European  Cordless  Telecommunication）、IR（Infrared）Wi-Fi（Wireless  Fidelity）、Bluetooth、及び他の標準システム、並びに非標準システム）で動作する。図１の構成要素の１つ以上は、MFS（Modulation  Format  Selectable）及び／又はBRA（Bit  Rate  Agile）システムでもよい。信号セレクタ又は信号コンバイナユニット1.7は、選択又は結合された信号を１つ又は複数のアンテナ（ユニット1.8aとして示す）、又は選択又は結合された信号を無線又は有線又はケーブル又はインターネット媒体（ウェブ（又はWEB）又はwww等）（ユニット1.8bにより表される）に提供する他のインタフェースユニットに提供する。���一又は複数の信号は、単一又は複数のアンテナ1.11a及び／又は単一又は複数のインタフェースポイント1.11bで受信され、１つ以上の受信信号をそれぞれ通信装置（ユニット1.13、ユニット1.14及び／又はユニット1.15）に接続するスプリッタ又は切り替えユニット1.12に提供される。ユニット1.15は、OFDM又はその他として表されるユニット1.6の送信信号の受信部分である。他の実施形態では、ユニット1.15は、他の信号（OFDM、赤外線、Wi-Fi、TDMA、FDMA、遠隔測定WLAN、WMAN、GSM、CDMA、WCDMA又は他の信号又はこのような信号の１つ以上の組み合わせ等）の受信部分である。信号セレクタ又は信号コンバイナユニット1.16は、１つ又は複数の信号をインタフェース又はプロセッサユニット1.17に提供する。いくつかの実装では、構造及びアーキテクチャ（ユニット1.6及びユニット1.15）は、１つ以上のOFDM、赤外線、Bluetooth、Wi-Fi、TDMA、FDMA、FDM、遠隔測定、RFID、WLAN、MLAN、セルラシステム、ケーブル、無線ウェブ、無線インターネット又は他の有線又はインターネットシステム用のインタフェース装置、プロセッサ、変調器、復調器、送信機、受信機、スプリッタ、コンバイナのような装置の１つ以上を有する。図１の上部に示す送信部及び図１の下部に示す受信部では、信号の選択又は結合は、プロセッサ及び／又はプログラム及び／又は手動制御の制御下にある。信号の選択又は結合は図１には図示されていない。インタフェース及び／又はプロセッサユニット1.17は、１つ以上の受信信号にインタフェース接続し、及び／又はこれを処理し、受信機及び送信機に制御信号を提供してもよい。ブロック矢印（ユニット1.9及びユニット1.10）は、図１に示す要素の一部の処理及び／又は制御のための信号及び制御パス及び／又は物理接続を表す。
【００２２】
図２は、単一又は複数の通信回線及び／又は通信トランシーバ（TTR）及び／又は通信及び制御ユニットとの無線、有線（又はケーブル）及びインターネットウェブ型接続を含み、多モード位置及び多モード通信システムの構成である。１つ以上のアンテナ（ユニット2.1、ユニット2.2、ユニット2.3及びユニット2.4）は、１つ以上の信号を送信又は受信する。ブロック矢印ユニット2.5では、１つ以上の他の信号が単一又は複数のトランシーバに又はトランシーバから接続されている。ユニット2.6は、信号送信又は信号受信媒体に接続されたインタフェースユニット又は単一又は複数のトランシーバである。ユニット2.6からの信号又はユニット2.6への信号は、単一又は複数の通信回線（ユニット2.8）と接続されている。接続2.16、2.18、2.19、2.20、2.21を通じたインタフェースユニット2.17と、通信及び制御ユニット2.10とは、信号を処理し、アンテナユニット2.11、2.12、2.13、2.14、インタフェースユニット2.15、インタフェース接続ユニット2.17、アンテナユニット2.1、2.2、2.3、2.4及びインタフェース接続ユニット2.5から及び／又はこれらに通信及び制御信号を提供する。全てのアンテナユニット及び接続2.5及び接続2.15は、双方向（２方向）信号転送を提供してもよい。ユニット2.6及び2.8は“カスケード型”である（すなわち、相互に順に接続される）。通信及び制御ユニット2.10はまた、１つ以上のユニット2.6又は2.8とカスケード型で動作してもよい。他の実施形態では、図２に示す１つ以上のユニットは、並列又はスター若しくはメッシュ型ネットワーク、又は他の構成で接続される。
【００２３】
図３は、単一又は複数の選択可能な位置決定エンティティ（PDE：Position  Determining  Entity）、基地局コントローラ（BSC：Base  Station  Controller）、端末（加入者ユニット）、基地局トランシーバサブシステム（BTS：Base  Station  Transceiver  Subsystem）装置を有するシステムの構成である。Rileyの米国特許6,865,395（Ref.8）、Qualcomm  CDMA  Technologies’  MSM  6275及びQualcomm  CDMA  Technologies’  MSM  6300  chipset  solution（Ref.65及びRef.66）のような引用された従来技術は、PDE、BSC、BTS及び加入者ユニットのシステム及びネットワーク動作を開示しているが、従来技術は、カスケード型及び／又は並列、スター若しくはメッシュ型構成で動作する多モード、多目的MFSシステムの構成及び接続、この出願に開示及び記載されたような選択可能な単一又は複数の信号構成を開示及び予想していない。カスケード型又はカスケードという用語は、相互に順に又は並列に動作するユニット又は装置を示す。図３は、受信機又は位置検出信号（例えばGPS信号及び／又は陸線及び／又はウェブインターネット情報信号）の処理を含み、複数の通信装置の送信部を含む。要素（ユニット又は装置とも表される）3.8、3.9、3.11、3.14、3.16及び3.18は、加入者間のピアツーピア直接通信を含み、位置決定エンティティ（PDE）送信機又は１つ以上の基地局トランシーバ（BTS）装置及び／又は加入者ユニットから／へ信号を受信及び／又は送信する単一又は複数のアンテナである。いくつかの実装では、PDE信号の送信機は、GPS衛星のような１つ以上の衛星システム、セルラ基地局、無線基地局又は他の無線送信機（セルラ電話PDA無線送信機、遠隔制御（RC）送信機、赤外線又は他の送信機等）を有する。ユニット3.1及び3.3は、アンテナ、赤外線送信機、レーザー送信機及び／又は有線接続若しくはインターネットからPDE信号を受信する、それぞれインタフェースユニット及び／又はフロントエンドポートである。有線接続は、光ファイバ、銅線、ケーブル、他の接続を有する。ある実施形態では、位置決定エンティティ（PDE）フロントエンドは遠隔フロントエンドであり、他の場合には、これは全体の受信機と共に配置される。ユニット3.2及び3.4は、ユニットBSC-1〜BSC-Nとして表される１つ又は複数の基地局コントローラ（BSC）ユニットである。BSCユニットは、基地局トランシーバサブシステム（BTS）ユニット3.7、3.10、3.12、3.13、3.15及び3.17の信号を制御する。アンテナユニット又は一式のアンテナユニット3.8、3.9、3.11、3.14、3.16及び／又は3.18による信号受信及び／又は信号処理及び／又は信号送信は、基地局トランシーバ（BTS）にある１つ以上のBSCユニット又はコントローラ装置、又はこれらのユニットの外部にある制御装置により制御される。
【００２４】
図４は、位置決定装置（PDD：Position  Determining  Device）、位置追跡器、位置検出器又は位置検出装置として表される複数位置決定エンティティ（PDE：Position  Determining  Entity）、基地局コントローラ（BSC：Base  Station  Controller）ユニット及び端末又は加入者ユニット（SU：Subscriber  Unit）基地局トランシーバサブシステム（BTS：Base  Station  Transceiver  Subsystem）ユニットを含むシステム及びネットワークの実施形態及び構成を示している。遠隔制御（RC）、ユニバーサルリモコン（URC：Universal  Remote  Control）、無線、有線、ケーブル、インターネット、ウェブ型通信システム及び通信装置、単一又は複数の装置を備えたRFID（radio  frequency  identification）サブシステム、緊急及び他の警告システム、医療患者監視センサ装置、診断ユニット及びシステム、DNA（Deoxyribose  Nucleic  Acid）システム、指紋識別、指紋制御、特定の通信及び制御システムのインタラクティブ通信又は制御のためのDNAサンプルの使用、プッシュツートーク（PTT）選択肢を有するシステムがいくつかの実施形態に含まれる。各ユニットは、単一又は複数の切り替え選択装置及び／又は信号結合及び分割装置のある又はこれらのないインタフェースユニット及び／又はプロセッサユニット、メモリ、通信ポート、単一又は複数の変調器又は送信機、及び単一又は複数の受信機及び／又は復調器を有してもよい。通信、テレマティックス、遠隔測定、ビデオ放送及び／又はポイントツーポイントビデオ送信、移動ユニットへのオーディオ及び／又はデータ及び／又はビデオの送信は、単一又は複数のBRA（Bit  Rate  Agile）の実装により具現され、単一変調フォーマット及び／又は多モードMFS（Modulation  Format  Selectable）、単一ビットレート及び／又は複数ビットレート及び／又はBRA（Bit  Rate  Agile）システム（この出願に開示される拡張性能又は新機能、新用途及び新実施形態に基づくGSM、GPRS（General  Packet  Radio  Service）、EDGE（Enhanced  Digital  GSM  Evolution又はE-GSM（Evolution  of  GSM）、CDMA（Code  Division  Multiple  Access、WCDMA又はW-CDMA（Wideband  Code  Division  Multiple  Access）、OFDM（Orthogonal  Frequency  Division  Multiple  Access）、TDMA（Time  Division  Multiple  Access）、IEEE802.xx、DECT（Digital  European  Cordless  Telecommunication）、IR（Infrared）Wi-Fi（Wireless  Fidelity）、Bluetooth及び他の標準システム並びに非標準システム等）の実装により具現される。ユニット4.1、4.3及び4.5は、単一又は複数の位置決定エンティティ（PDE）装置を有し、ユニット4.2、4.4及び4.6は、単一又は複数のBTS装置である。ユニット4.7、4.8及び4.9は、単一帯域又は複数帯域のアンテナシステムとして具現された単一又は複数の送信及び／又は受信又は送信／受信アンテナである。加入者ユニット（SU）としても表されるユニット4.14、4.16及び4.18は端末である。特定の実装では、SUは、PDE又は位置検出器又は位置検出又は位置追跡ユニット、又はRFIDユニットを有する。BTS装置又はBTSユニットは、SU装置（ユニット）と直接通信し、他の用途では、いくつかのSUユニットは、BTS装置（BTSユニットとしても表される）を使用せずに他のSCユニットと通信する。ブロック矢印4.10、4.11及び4.12は、BTSとPDEとSCユニット及びユニットの組み合わせの間の通信回線を示しており、全てのユニットがネットワークにある必要はない。
【００２５】
図５は、位置検出信号（例えば、複数通信装置の送信部とインタフェース接続する及び／又はこれから信号を受信する接続又はインタフェースユニット5.4及び5.14により受信した１つ以上の衛星又は１つ以上の陸上（地上波）型の単一又は複数のアンテナ（ユニット5.1、5.2、5.3、5.15及び5.16）又は陸線又はワールドワイドウェブ（www）信号から受信した無線信号、セルラ信号、GPS信号）を含み、単一又は複数の受信信号及び単一又は複数の送信信号の実装アーキテクチャ及び構成を示している。複数位置決定エンティティ（MPDE：Multiple  Position  Determining  Entity）はまた、位置決定装置（PDD：Position  Determining  Device）としても表される。位置決定エンティティ（PDE：Position  Determining  Entity）ポート／ユニット5.5及び5.17は、ある場合には、全体の受信機の一部であり、他の場合には、受信機の他の部分から離れた位置に実装され、遠隔RFフロントエンドとして表される。PDEポートに加えて、受信機の他のユニットは受信機の次の部分から遠隔位置にある。ユニット5.1〜5.23は、２つの受信機の部分を構成する。各ユニットは任意選択であり、全てのユニットがシステムの動作に必要であるとは限らない。ユニット5.6及び5.18は帯域通過フィルタ（BPF：Band  Pass  Filter）であり、ユニット5.7及び5.19は増幅器であり、ユニット5.8及び.20は信号ダウンコンバート用の信号乗算器（ミキサとしてもしられる）であり、ユニット5.9及び5.21は信号をミキサに提供する周波数合成器又は発振器である。ユニット5.10、5.22及び5.11、5.23は、任意選択の信号コンバイナ又は信号セレクタ（ユニット5.12）を通じて、復調及び処理された単一又は複数の出力信号を接続リード5.13に提供する復調器及び信号プロセッサである。特定のソフトウェア定義無線（SDR：Software  Defined  Radio）実装を含む直接の無線周波数（RF）からベースバンドへの変換受信機又は他の直接変換受信機では、複数の前述のユニットはこの実装では使用されない。ユニット5.24〜5.40は、１つ以上の通信装置の１つ以上の送信機の単一又は複数の送信部の要素又は装置である。SDR（Software  Defined  Radio）システムの概念、原理、SDRアーキテクチャ、及びSDR技術は、引用文献Tuttlebee,  W.:“Software  Defined  Radio:  Baseband  Technology  for  3G  Handsets  and  Basestations”,  John  Wiley  &  Sons,  Ltd.,  Chichester,  England,  ISBN0-470-86770-1,  Copyright  2004を含み、従来技術に記載されている。単一又は複数の入力接続又はリード5.24では、単一又は複数の信号が１つ以上の入力信号源、信号プロセッサ、センサ、検出装置又は他のシステムから受信される。これらの入力信号又は信号源は、ビデオ−移動ビデオ送信機、ViIP（Video  over  Internet  Protocol）、VoIP（Voice  over  Internet  Protocol）、無線システム（GSM、GPRS、TDMA、WCDMA、CDMA、W-CDMA、OFDM（Orthogonal  Frequency  Division  Multiple  Access）、IR（infrared）、Bluetooth、Wi-Fiを含む）、有線システム、ケーブル接続システム及び／又は有線／無線及び／又はインターネットウェブ型システム（移動ウェブ又は移動インターネット型システムを含む）の組み合わせから受信した１つ以上の信号を含む。図５の特定の実装では、接続リード5.24での信号は、図１６に要素16.1〜16.13及び16.15として図示される１つ以上の信号（位置追跡ユニット16.1、遠隔制御（RC）又はユニバーサルリモコン（URC）ユニット16.2、ビデオ、デジ��ルビデオ又はビデオゲームユニット16.3、デジタルカメラ、写真カメラ、スキャナ、X線又は他の画像ユニット16.4、緊急又は警告信号又は検出信号又は診断信号（医療センサ又は装置から取得されたようなもの）ユニット16.5、音声、音楽、記録／格納された音楽、録音、書き取り記録信号ユニット16.6、遠隔測定及び／又は診断遠隔測定又は空間遠隔測定又は他の遠隔測定又はテレマティック信号ユニット16.7、指紋又は他の個人識別及び／又は他の信号（DNA（Deoxyribose  nucleic  acid）情報及び／又はDNAサンプルからの生成又は取得又は処理済みの信号等）を有する。この出願では、DNAという用語は、DNA（Deoxyribose  nucleic  acid）は生命（及び多くのウィルス）の全ての細胞形式の生物発展を特定する遺伝命令を含む核酸である、という通例の従来技術の辞書の定義を示す。この出願では、DNAという用語はまた、より一般的なDNAの定義及び一般的な医療診断及び診断により取得されて関連のある可聴、視覚、血圧、温度、密度、動作及び他の診断信号をも示す。図５の下部において、ユニット5.25は、スプリッタ又はセレクタ又はコンバイナ装置である。スプリッタ、セレクタ及びコンバイナ装置又はユニットという用語は、これらの用語のそれぞれが１つ以上の入力信号を分割又は選択又は結合し、これらの信号を処理し、１つ以上の出力信号を提供する装置を示す。単一又は複数の接続リード5.26では、信号又は複数の信号がユニット5.28、第１のプロセッサの入力インタフェースユニット及び／又は第１の送信パスに提供される。単一又は複数の接続リード5.27では、信号又は複数の信号がユニット5.29、第２のプロセッサの入力インタフェースユニット及び／又は第２の送信パスに提供される。入力インタフェースユニット5.28及びインタフェースユニット5.29は、１つ以上の単一又は複数の変調ユニット5.30及び5.31に信号を提供する。これらのユニットの変調された出力信号は、接続リード5.38及び／又は5.40で１つ以上の増幅ユニット5.32a及び／又は5.32b、任意選択のフィルタ5.33及び5.34、次の増幅器5.35及び／又は5.36、及びアンテナ5.37及び／又は5.39、及び有線又はケーブル又は赤外線送信媒体に提供される。前述の増幅器の１つ以上は、線形増幅又は線形化増幅モード及び／又は非線形増幅（NLA：Non-Linearly  Amplified）モードで動作する。図５は、２つの信号パス（図面の上部）と２つの信号パス（図面の下部）とを示しているが、実装は、１つ又は２つ又は３つ以上の信号パスを含み、単一及び多モードの信号パスの用途を有する。ある実施形態では、単一の選択された信号が送信されるが、本発明の他の実施形態では、複数の信号が送信される。図５では、１つの実装構成は単一のアンテナ5.42に接続された複数の送信パスを有する。ある実施形態では、増幅された信号は、スイッチ又はセレクタ又はコンバイナ5.41によりアンテナユニット5.42に接続される。アンテナユニット5.42は、単一のアンテナ又は複数のアンテナを有してもよい。
【００２６】
図６は、Feherの米国特許6,665,348（348特許）（Ref.42）の従来技術の図６から得られた一般的な従来技術の送受信機（トランシーバ又はT/R）を表す。’348特許及びこの出願で使用されている複数の用語は従来技術の意味と同じ及び／又は類似の意味を有するため、繰り返し’348特許を参照する必要なく、この出願を読むことを容易にするため、以下の文では、この出願に関して’348特許の従来技術の図６の適切な重要部分及び／又は更なる説明が提示される。（’348特許の図６から得られた）この出願の図６では、相互相関及び他の非相互相関のTCS（Time  Constrained）波形及びカスケード型LR（Long  Response）フィルタ又はLRプロセッサと共に、カスケード型交換送信（Tx）及び受信（Rx）低域通過フィルタ（LPF：Low-Pass-Filter）を備えた実装図が示されている。相互相関（CC又はCCOR又はXcorとしても略される）という用語は、Feher他の米国特許4,567,602、5,491,457、5,784,402、6,445,749、6,470,055、6,665,348、6,757,334及びFeher,  K:“Wireless  Digital  Communications:  Modulation  &  Spread  Spectrum  Applications”,  Prentice  Hall  PTR,  Upper  Saddle  River,  NJ  07458,  Copyright  1995,  Book  ISBN  No:0-13-098617-8を含む従来技術に記載の説明、定義及び意味を有する。一般的に、相互相関信号又は相互相関波形は、信号（又は波形）が相互に関係していることを意味する。より具体定期には、“相互相関”という用語は、“同位相（I）及び直角位相（Q）チャネルで関連の出力信号を生成するように信号を処理すること”を意味する。図７、図８及び図９の説明に関して、信号が２つの信号パス又は２つの信号パスに分割され、２つのチャネルの信号は同じ又は実質的に同じである場合、２つのチャネルの信号は関連しており、相互相関である点に留意すべきである。“カスケード”又は“カスケード型”という用語は、フィルタ、プロセッサ又はユニットの間での直列信号フローのように、フィルタ又はユニットの間の信号フロー又は信号接続が順になっていること、又は信号フロー又は信号パスが複数のユニットの間で同時又は並列であることを意味する。図６では、LRフィルタ又はLRプロセッサは、別々の同位相（I）及び直角位相（Q）のLPF又は個々の時間共有LPFとして実装されてもよい。I及びQのLPFを含む送信ベースバンド信号プロセッサ（BBP：Baseband  Signal  Processor）は、デジタル技術により実装されてもよく、D/A変換器又はアナログ実装又はデジタル及びアナログ構成要素の結合により後続されてもよい。特定の実施形態では、唯一の信号パスが存在する。すなわち、別々のI及びQの信号チャネルは存在しない。特定のアーキテクチャは、BRA（Bit  Rate  Agile）、MFS（Modulation  Format  Selectable）を使用し、変調及び復調フィルタは、故意のMM（Mis-Matched）フィルタパラメータで実装及びテストされる。いくつかの実装は、ACM（Agile（Bit  rate  Agile又はBRA）  Cascaded  Mis-Matched）アーキテクチャを使用する。BRA（Bit  rate  Agile）という用語は、ビットレートが調整可能、選択可能又は変更可能なシステムを示す。I及びQの第１及び第２のセットにより具現されたLRフィルタユニットは、LPF又は代替として他の形式のフィルタ（帯域通過フィルタ（BPF：Band-Pass  Filter）又は高域フィルタ（HPF：High  Pass  Filter）又は他のフィルタ／プロセッサ、LRフィルタの組み合わせ等）として実装される。いくつかの実施形態では、前���のプロセッサ、フィルタ及び変調器、復調器（モデム）の全ては、BRA、MFS及びACMであるが、他の実装では、ビットレートの機動性及び／又はACM又はMFSの実装は必要なくてもよい。ユニット6.17は、線形（LIN）又はNLAモードで動作してもよい増幅器である。増幅ユニット6.17の出力は、リード6.18で送信媒体に提供される。いくつかの実施形態及び構成では、唯一の信号チャネル（例えば、Qチャネルとして表されるチャネル）にユニットが実装されるが、Iチャネルとして表される他のチャネルでは、構成要素は使用されない。実施形態の更に他のセットでは、ベースバンドプロセッサ部のみが実装される。図６において、受信機側では、変調された受信信号がリード6.19にある。ユニット6.21は、いくつかの実施形態では存在するが他の実施形態では必要ないBPFである。ユニット6.1〜6.35の詳細な説明及び実施形態並びに動作は、Feherの米国特許6,665,348（’348特許）に含まれる。
【００２７】
図７は、従来技術の相互相関信号、特に時間ドメインに表示された同位相（I）及び直角位相（Q）信号パターンを含む。この図面は、従来技術の引用文献であるFeher,  K:“Wireless  Digital  Communications:  Modulation  &  Spread  Spectrum  Applications”から得られたものである。（I信号として表される）上部の信号及び（Q信号として表される）下部の信号の表示された振幅パターン（時間の関数としての振幅）は、関連しており、すなわち、これらの信号は相互相関である点に留意すべきである。I及びQ信号（上部及び下部の信号）のこの関係又は相互相関特性は、例えば図７に記載されており、例えば、上部の信号（I信号）が最大の振幅を有するときには常に、下部の信号（Q信号）がゼロの値を有し、上部の信号が局所最大値を有するときに、下部の信号が局所最小値を有する。ゼロという用語は、ゼロ又は約ゼロを意味し、最大及び最小という用語は、最大及び最小又はほぼ最大及びほぼ最小を意味する。
【００２８】
図８は、Philipsにより製造され、PCD-5071チップとして表されるサンプル集積回路（チップ）での従来技術の測定された相互相関信号を示している。PhilipsのPCD-5071チップは、GSMシステム推奨／指定のGMSK変調信号の生成のために、GSMシステムで使用するために製造されている。この図８は、引用文献のFeher,  K:“Wireless  Digital  Communications:  Modulation  &  Spread  Spectrum  Applications”,  Prentice  Hall  PTR,  Upper  Saddle  River,  NJ  07458,  Copyright  1995,  Book  ISBN  No:0-13-098617-8から得られる。上部のチャネル（I信号として表される）及び下部のチャネル（Q信号として表される）の測定信号時間パターン（又は波形）は関連している。すなわち、これらが相互相関である。上部及び下部の信号の間でのこの相互相関又は関連特性は、明らかであり、例えば、上部の信号（I信号）がその最大振幅を有する場合には常に、下部の信号（Q信号）がゼロの値を有する。
【００２９】
図９は、リード9.1でインタフェースユニット9.2又はプロセッサユニット9.2に接続された１つ又は複数の信号を、図面の上部に示している。インタフェース及び／又はプロセッサ9.2は、単一又は複数のリード9.3及び／又は単一又は複数のリード9.4で、単一又は複数の信号を１つ以上の変調器に提供する。ユニット9.5は、従来技術のFM変調器及び／又は極性変調器又は他の非直交変調器のような１つ以上の非直交変調の実装構成を有している。非直交変調器は、直交（QUAD：quadrature）実装構成と異なる構成及び実装を有する変調器である。ユニット9.6は、直交（QUAD）実装構成を有する１つ又は複数のプロセッサ及び変調器を有する。直交構成を有する変調器は、直交変調器の入力に接続されたベースバンド同位相（I）信号、ベースバンド直角位相（Q）信号を有する。直交変調器の構成の例示的な実施形態が図６に示されている。従来技術の非直角変調器の実施形態は、図１３の下部に示されている。非直交変調器は複数の従来の参照文献に記載されており、これらは、FM変調器、FSK変調器、BPSK変調器として、又は同様及び／又は関連の名前及び略語により表される。ユニット9.7、9.8、9.9及び9.10は、フィルタリング、アップコンバート、線形（LIN）又はLNA信号増幅のような送信処理機能を提供する。図９の下部には、接続9.11での入力信号、並びに信号リード9.12及び信号リード9.13への9.11の入力信号の接続が図示されている。１つの実施形態では、同じ入力信号が、接続9.12でのIチャネルと接続9.13でのQチャネルとに提供（又はスプリッタによる分割）される。従って、この実装アーキテクチャでは、I及びQ信号として表される接続リード9.12及び9.13の信号は、同じ又は実質的に同じである。従って、これらは関連の信号又は相互相関信号である。他の実施形態では、スプリッタは、処理された異なる信号をそれぞれリード9.12及び9.13に提供する。すなわち、I信号はQ信号と異なる。異なるI及びQ信号は、プロセッサ／スプリッタに応じて、関連してもよく、関連しなくてもよい。すなわち、これらは相互相関であっても相互相関でなくてもよい。
【００３０】
図１０は、移動有線又は無線インターネットシステムを含み、これに限定されない有線又はケーブル又は他の送信媒体への１つ以上のプロセッサ、変調器及び増幅器、アンテナ及びインタフェース接続を備えた複数のBRA及びMFS送信アーキテクチャである。リード10.1では、１つ以上の入力信号は、信号インタフェースユニット10.2に提供される。これらの入力信号は、従来技術のNRZ（Non  Return  to  Zero）符号化又は他のデジタル信号のように、アナログ、合成のアナログ及びデジタル（ハイブリッド）又はデジタルベースバンド信号でもよい。これらの入力信号は、センサ、RFID装置、動作検出器、ビデオカメラ、テレビ、又は他の写真及び／又は画像プロセッサ、又はタッチスクリーン動作により生成された信号から得られてもよい。ユニット10.2は、１つ以上の直交（QUAD又はquadとしても表される）ベースバンド信号プロセッサ（ユニット10.3又は10.4）、及び／又はユニット10.17に含まれる１つ以上の非直交ベースバンド信号プロセッサに１つ以上の信号を提供する。これらのベースバンド信号プロセッサは、１つ以上のOFDM、CDMA、W-CDMA又はWCDMA、CDMA-2000、CDMA  EVO、他のCDMA、他のスペクトル拡散若しくはTDMA、又は変調用の連続データストリームアナログ若しくはデジタル信号をインタフェース接続、処理及び／又は生成する。図１０の実施形態は、複数のBRA及びMFS信号処理、変調及び送信についてであり、及び／又は単一変調フォーマット又は単一変調フォーマット選択されたシステムについてである。BRA（Bit  Rate  Agile）という用語は、ビットレートがシステム要件及びシステム目的に選択可能又は調整可能又は適応可能であることを意味し、MFS（Modulation  Format  Selectable）という用語は、様々な変調フォーマットが選択可能であること、及び／又は変調形式がシステム又はユーザ要件に適応可能であることを意味する。ユニット10.5、10.11及び10.18は、単一又は複数の非直交又は直交変調器である。ユニット10.6、10.7、10.8、10.9、10.10、10.13、10.14、10.15、10.16及び10.19〜10.23は、任意選択の増幅器、フィルタ、信号調整器又は信号プロセッサ、アンテナ及び有線又はケーブル送信システムへのインタフェースポイントである。単一又は複数のコントローラユニット10.24は、10.25の接続又はリード又はソフトウェア制御アルゴリズムに存在する制御信号を通じて、１つ以上の信号の選択又は結合処理を制御し、何の信号が送信媒体に接続されるべきか、いつ選択及び／又は結合された信号が送信されるべきかを制御する。ユニット10.11は、インタフェース又はプロセッサユニット10.2から信号を受信する。ユニット10.11は、非直交（非直交又は非QUAD又は非quad）としても表される）変調器を有する。
【００３１】
図１１ａは、複数の通信回線（カスケード型回線としても表される）、又は固定位置のシステム及び移動システムを有する多モード動作無線及び／又は有線及びインターネットシステムについて順に相互作用するカスケード型ユニットを有するシステムの新規な実装アーキテクチャ及びブロック図である。ユニット11.1は、位置検出器（位置決定エンティティ（PDE）又は位置決定装置（PDD）としても表される）、医療装置、診断装置、音声プロセッサ、データプロセッサ、画像プロセッサ、デジタルカメラプロセッサ、ビデオプロセッサ、指紋格納又は処理された信号又は画像、DNA信号プロセッサ、音楽、他の記憶装置又はタッチスクリーンにより生成又は処理された信号により生成された１つ以上の装置又は信号を有する。ユニット11.1に含まれる１つ以上の信号は、WLAN、Bluetooth、赤外線又は他の通信システム又はサブシステムのような短距離システムを有するユニット11.2に提供される。短距離システムは、任意選択の中距離通信システム（ユニット11.3）に接続される。中距離システムは、信号を１つ以上の遠隔ユニット（システムのユニット11.4として表される）に提供する。遠隔ユニットは、信号をインタフェースユニット又は送信媒体のユニット（ユニット11.5として表される）に提供する。信号パスは、位置検出器（ユニット11.1）からインタフェースユニット11.5に実装され、インタフェースユニット11.5から位置検出器の反対方向にも実装される。１つの実施形態では、この構成でのユニットは、固定のパラメータを有するが、他の実施形態では、BRA及びMFSユニットは、単一又は複数の多モードシステムで動作する。ユニット11.1〜11.5の実施形態では、任意選択の変調装置及び回路が含まれる。従来技術の実装の変調回路は、２つの異なる実装アーキテクチャを有する。１つの実装は直角変調器（QUAD-mod又はquad  modとしても表される）として知られ、第２の実装は、極性変調として知られ、及び／又はここでは非直交又は非QUAD変調として表される。
【００３２】
図１１ｂは、例示的な従来技術の直交変調器を示している。この出願の後ろの部分での図１７ｂ及び図１７ｃの説明で、２つの従来技術の極性及び／又は非QUADアーキテクチャが記載される。図１１ｂに示す例示的な従来技術の直交変調器では、リード11.6及び11.7に存在する入力ソース信号は、任意選択のデジタル−アナログ（D/A）変換器11.8及び11.9に接続される。これらの入力信号は、同位相（I）及び直角位相（Q）信号としても知られる。I及びQ信号は、任意選択のフィルタ（11.10として図示されるフィルタI及び11.11として図示されるフィルタQ）に提供される。リード11.6及び／又は11.7の入力信号は、マイクロフォン、ビデオカメラ、写真カメラ、ファクシミリ、無線インターネット接続、モデム、又は他の顧客、加入者のソース、又は他のユーザデータ信号、又は変換されて処理された信号のような信号を有してもよい。任意選択でD/A変換され及び／又は任意選択でフィルタリングされたI及びQ信号、又は入力リードに存在する信号は、ユニット11.13及びユニット11.6として表される２つの乗算器（ミキサとしても知られる）に提供される。これらの乗算器は、図面で局所発振器（LO：Local  Oscillator）ユニット11.12として表される周波数ソース又は周波数生成器から、変調されていない搬送波をも受信する。特に、ミキサ11.13は、リード11.14の変調されていない搬送波（CW：carrier  wave）信号により提供され、ミキサ11.16は、ミキサ11.13に提供される信号から90度位相シフトしたCW信号を提供される。ミキサ11.16は、90度位相シフトユニット11.15から90度位相シフトした信号を受信する。ミキサ11.13及び11.16の出力は、加算装置11.17の入力に提供される。加算装置11.17の出力は、直交変調信号である。これは任意選択の信号増幅器（Ampl）に提供される。変調信号は、リード11.9で送信媒体に提供される。
【００３３】
図１２は、ベースバンド及び／又は中間周波数（IF：Intermediate  Frequency）処理ユニットと共にある、又は遠隔位置にあるRFヘッドエンド（代替としてRFサブシステム又はRF部として表される）の実施形態である。遠隔位置は、ベースバンド処理（BBP）及び／又は中間周波数（IF）ユニットのユニット及び／又は位置の他に、別々の物理ユニット（筐体又はボックス）が存在することを意味する。ユニット12.1は、BBP及び／又はIF装置を有するが、ユニット12.2はRFヘッドである。ある実施形態では、ユニット12.1のBBP回路は、単一のベースバンド信号を処理する単一のプロセッサを有するが、他の実施形態では、１つより多くの信号を処理する複数のベースバンドプロセッサ及び／又は複数のIF又は複数のRFプロセッサ又は複数のRFヘッドエンドを有する。RFヘッドは、無線周波数（RF）構成要素、RF増幅器、RFフィルタ、サーキュレータ、RFスプリッタ又はRFコンバイナ、RFダイプレクサ、RFスイッチ、及び／又は光ファイバ通信（FOC）回線を含むRFケーブル又は接続のうち１つ以上を有する。ユニット12.3は、１つ以上の送信及び／又は受信アンテナの実施形態であり、ユニット12.4は、ユニット12.2へ又はユニット12.2からの信号を有線又はケーブル又はOFC通信又は放送媒体にインタフェース接続する１つ以上のインタフェース要素の構成である。全ての信号は、ユニット12.1からユニット12.3及び12.4に流れ、ユニット12.3及び／又はユニット12.4からユニット12.1に逆方向に流れることができる。図１２の実施形態及び動作は、単一及び複数のBRA（Bit  Rate  Agile）、及び単一変調又はMFS（Modulation  Format  Selectable）衛星及び／又は陸上型装置に接続された単一又は複数位置検出器、位置追跡装置、位置検出装置、RFIDを含み、複数のシステムの多動作及び多機能を含む。１つ以上の組み合わせ及び変形で構成されたこれらのシステム構成要素は、GSM、GPRS（General  Packet  Radio  Service）、EDGE（Enhanced  Digital  GSM  Evolution）又はE-GSM（Evolution  of  GSM）、CDMA（Code  Division  Multiple  Access）、WCDMA又はW-CDMA（Wideband  Code  Division  Multiple  Access）、OFDM（Orthogonal  Frequency  Division  Multiple  Access）、TDMA（Time  Division  Multiple  Access）、IEEE802.xx、DECT（Digital  European  Cordless  Telecommunication）、IR（Infrared）、Wi-Fi（Wireless  Fidelity）、Bluetooth、及び他の標準システム並びに非標準システムで動作する。図１２の動作は、単一及び／又は複数のアンテナを有する同一位置及び遠隔位置のRFヘッドを備えた単一モード及び／又は多モード通信システムを有する。
【００３４】
図１３は、単一又は複数の無線、有線、ケーブル又はFOC接続及び／又はインターネット又は移動インターネットウェブ型システムに接続された多モードBRA及びMFSシステムの代替実施形態を表している。単一ビットレート及び／又はBRA（Bit  Rate  Agile）ベースバンドプロセッサ及び単一変調フォーマット及び／又はMFS（Modulation  Format  Selectable）システム構成が図示されている。ユニット13.1〜13.4は、単一ビットレート及び／又は単一変調フォーマットプロセッサ、及び／又は複数ビットレート又はBRA及びMFSプロセッサ、フィルタ、変調器及び増幅器の実施形態である。通信構成の単一又は複数の増幅信号は、物理ハードウェア又はファームウェア接続又はコネクタを有するシステムについて、無線通信のためのインタフェースポイント及び単一又は複数のアンテナ（アンテナ13.5及び／又はインタフェースポイント13.6として図示される）に提供される。ユニット13.1〜13.4は、単一のプロセッサ、フィルタ及び／又は変調器を有してもよく、又はカスケード（直列モード）又は並列又は他の構成で接続された複数のプロセッサ、フィルタ及び／又は変調器を有してもよい。ユニット13.2は、１つ以上のTCS（Time  Constrained  Signal）プロセッサ及び／又はLR（Long  Response）フィルタを有する。ユニット13.2で処理及び／又はフィルタリングされた信号は、ユニット13.3に含まれる単一又は複数の変調器に提供される。１つの実施形態では、ユニット13.3の変調器は直交（QUAD）変調器であり、他の実施形態では、非直交（非QUAD）変調器であり、他の実装構成又は実施形態では、単一又は複数のQUADと単一又は複数の非QUAD変調器との組み合わせである。いくつかのQUAD変調器は、同位相（I）及び直角位相（Q）ベースバンド信号で相互相関してもよいが、他のQUAD変調器の実施形態は、I及びQベースバンド信号の間で相互相関を有さない。いくつかの実装では、送信フィルタは受信フィルタに一致するが、他の実施形態では、送信プロセッサ／フィルタと受信プロセッサ／フィルタとの間に故意のミスマッチが行われる。従来技術の非直交変調器の実施形態が図１３の下部に図示されている。非直交変調器は、複数の従来技術の参照文献に記載されており、FM変調器、FSK変調器、BPSK変調器又は同様の及び／又は関連する名前及び略語で表される。インタフェースユニット13.7aは、任意選択のプロセッサ13.7bに信号を提供する。プロセッサ13.7bの実装構成は、アナログ又はデジタル又はハイブリッド型（アナログとデジタルとの合成）ベースバンドプロセッサである。処理されたベースバンド信号は、変調のために非直交変調器（ユニット13.8）に提供され、変調された信号の増幅のために増幅ユニット13.9に提供される。増幅信号は、送信媒体、アンテナユニット13.10又は有線若しくはケーブル送信媒体のインタフェースユニット13.11に提供される。
【００３５】
図１４は、BRA、MFS及び符号選択可能OFDM、WCDMA、Wi-Fi、WLAN、赤外線、Bluetooth及び／又は他のスペクトル拡散又は連続データシステムでの多モード、他ビットレートシステムの実施形態である。実施形態は、単一モード又は同時多モード構成で動作するシステムアーキテクチャの接続及び／又は要素又はユニットを有する。単一リード又は複数リード14では、入力アナログ及び／又はデジタル及び／又はハイブリッド型信号は、インタフェース及び／又はプロセッサユニット14.2に提供される。ハイブリッド型信号は、単一又は複数のアナログ及び／又はデジタル信号の組み合わせを有する。特定の実施形態では、入力リード14.1の信号は、ビデオ信号又はオーディオ信号、処理された写真、DNAサンプル、指紋から得られた信号、タッチスクリーン制御又は識別信号、RFID信号、遠隔測定、テレマティクス、遠隔制御処理された信号、又は他のウェブ若しくはwww型通信若しくは放送信号を有する。インタフェースプロセッサは、１つ以上の出力接続リードを備えた簡単な接続装置又はスプリッタ又はコンバイナ又は信号処理回路を有してもよい。単一又は複数の出力信号は、信号インタフェース及び／又は更なる処理のためにユニット14.3〜14.6に提供される。図１４に示すように、これらのユニットは、以下のインタフェースユニット（接続）及び／又は信号プロセッサのうち１つ以上を有する。ユニット14.3はGSM及び／又はGPRS及び／又はEDGE接続及び／又は信号プロセッサであり、ユニット14.4は接続及び／又はスペクトル拡散信号プロセッサ（例えばCDMA（Code  Division  Multiple  Access）プロセッサ、他の形式のDS-SS（Direct  Sequence  Spread  Spectrum）プロセッサ、FH-SS（Frequency  Hopped  Spread  Spectrum）プロセッサ、CSMA（Collision  Sense  Multiple  Access）スペクトル拡散接続リード及び／又はプロセッサ又は他の形式のスペクトル拡散プロセッサ）である。ユニット14.5は、OFDM信号接続及び／又はプロセッサであり、ユニット14.6は赤外線信号又は複数の赤外線信号用のインタフェースユニット接続及び／又はプロセッサである。ある実装では、唯一のユニット14.3〜14.6が使用されるが、他の実施形態では、これらのユニットの組み合わせが具現される。代替の実装では、１つの図示／指定のプロセッサのインタフェース又はプロセッサは、Wi-Fi又は光ファイバ通信（FOC）のような他のインタフェース、又はケーブルシステム又は他の有線及び／又は無線により置換される。ユニット14.3〜14.6の１つ又は複数の出力信号は、セレクタ（スイッチ、コンバイナ又はスプリッタ又は同様の装置）に接続される。ユニット14.7は、ユニット14.8に具現された１つ又は複数のプロセッサに提供される。ユニット14.8からの１つ以上の出力信号は、ユニット14.10で示す１つ又は複数の変調器に接続される。14.10の出力は、ユニット14.11として示す単一又は複数の送信インタフェースポイントに接続される。コントローラ（ユニット14.12）は、送信インタフェースユニット14.11への選択された信号の１つ以上の信号及び／又は接続の選択及び／又は処理のため、図１４に示す１つ以上のユニットに制御信号を提供する。
【００３６】
図１５は、適応無線周波数（RF）波生成器、RFプロセッサ、無線及び変調構成である。この実装は、ベースバンドプロセッサ、インタフェース及び制御ユニット、データクロックインタフェース及びRF増幅器、RFスプリッタ又はRFスイッチ装置及びアンテナを有する。実装の実施形態は、単一又は多モード変調フォーマット及び／又はMFS（Modulation  Format  Selectable）及びBRA（Bit  Rate  Agile）システムについてである。BRA（Bit  Rate  Agile）という用語は、ビットレートが適応可能又は選択可能であることを意味する。特に、複数の送信機のある又はこれらのない、及びダイバーシチのある又はこれのないSDR（Software  Defined  Radio）システムで使用されるような直接ベースバンド−RF送信機の実施形態が使用される。周波数ソース信号は、単一のリード15.1又は複数のリード15.1で、適応RF周波数及び／又はRF波生成ユニット15.2に提供される。リード15.1でのソース信号は、発振器又はPLL（Phase  Locked  Loop）又は数値制御発振器又は周波数合成器のような周波数基準ソース、又は他のシステムから受信したクロック信号、又は変調されていない搬送波（CW）又は他の信号ソースを有する。ある実施形態では、RF周波数及び／又はRF波生成ユニット15.2は、単に１つ又は複数のリード（接続）15.3にリード（接続）15.1で受信した信号を提供するインタフェースユニットである。他の実施形態では、RF周波数及び／又はRF波生成ユニット15.2は、適応RFA（RF  agile）信号プロセッサ及び信号生成器である。ある実施形態では、RFA生成器は、複数の変調されていないCW信号を生成する周波数合成器を有し、他の実施形態では、１つ又は複数の変調されていない又は変調されたRF信号を生成する。接続15.3が定期又は非定期信号であることを仮定して、生成されたRF信号は、正弦波形状又は矩形波形又は他の波形及び１つ以上のRF信号を有してもよい。単一又は複数の接続（接続はリードとしても表される）15.4で、ユニット15.15及び／又は15.16から得られた制御信号は、リード15.3でプロセッサ15.5に提供される１つ以上の選択されたRF信号の制御、選択及び更なる処理のため、プロセッサユニット15.5に提供される。RFプロセッサユニット15.5は、リード15.3で受信した１つ以上の信号を選択する入力セレクタを有し、リード15.6に１つ以上の出力信号を選択及び提供し、１つ又は複数の増幅器15.7及び／又は15.12に選択された出力信号の次の接続を選択及び提供する出力セレクタをも有する。ユニット15.15は、信号変換（例えば、アナログ−デジタル（A/D）信号変換、デジタル−アナログ（D/A）信号変換）のためのインタフェース回路及び任意選択のプロセッサ回路、温度、血圧、心拍、指紋、DNA、タッチスクリーン（圧力又は単なる物理的接触）、動作検出器、インタラクティブ緊急センサ及び／又は緊急信号の起動装置（例えば、煙、火又は熱検出器）、過度の湿度又は浸水又は水位レベルセンサ、オーディオ及び／又はビデオ信号、走査画像、RFIDにより生成された信号、位置に基づく信号及び／又は他の信号の処理された電気、光、赤外線又は他の信号への変換用の変換器及び／又はトランスデューサを有するインタフェース及び／又はプロセッサユニットである。ユニット15.15の実装構成の１つは、SDR（Software  Defined  Radio）のベースバンド回路の一部及び／又は全体のソフトウェア部分及び／又はSDRの非RF部のハードウェア若しくはファームウェア部分を有する。SDR（Software  Defined  Radio）の実装及び構成の原理及び技術は、Hickling,  R.M.:“New  technology  facilitates  true  software-defined  radio”,  RF  Design  Magazine  April  2005、Tuttlebee,  W.:“Software  Defined  Radio:  Baseband  Technology  for  3G  Handsets  and  Basestations”,  John  Wiley  &  Sons,  Ltd.,  Chichester,  West  Sussex,  England,  Copyright  2004,  ISBN  0-470-86770-1及びBallantyne,  GJ.,出願人Qualcomm,  Incに発行された米国特許6,906,996、Black他,  出願人Motorolaに発行された米国特許5,430,416のような特許を含む従来技術に開示されているため、この出願で更なる詳細を含める必要はない。プロセッサユニット15.5は、１つ以上の任意選択の回路を有する。ユニット15.5内に、左側に図示する入力信号リード（矢印）と、右側に図示する出力信号リードとが存在する。ユニット15.5では、太線は、入力リード15.3から出力リード15.6への選択された信号の間の信号接続を表す。太線（接続を表す）に存在する信号は、選択されてもよく、選択されなくてもよい。第１のRFプロセッサ、第２のRFプロセッサ、フィルタ増幅器、LIN又はNLAは、異なるプロセッサ及び／又は異なる変調器の実装である。ある実施例では、実装される変調器は、直交（QUAD）変調器であるが、他の実施形態では、極性変調器のような非直交（非QUAD）変調器である。ある設計では、増幅器は相対線形モード（LIN増幅器）で動作するが、他の実施形態では、近く又は飽和状態で非線形増幅（NLA：Non-Linearly  Amplified）モードで動作する。他の実装では、増幅器は、LIN又はNLAモードで動作するように切り替えられ又は適合されてもよい。ある実装では、複数の前述のRFプロセッサ及び／又は変調器、フィルタ及び増幅器が使用される。データクロックインタフェース15.16と結合したインタフェース及び／又は制御／プロセッサユニット15.5は、１つ以上の出力信号を選択し、単一又は複数の選択されたユニット15.5の出力信号を１つ以上の任意選択の増幅器15.7及び／又は15.12に接続する。１つ又は複数の出力信号は、15.8、15.10、15.11及び15.14として示される１つ以上の送信媒体インタフェースポイントに提供される。要素15.9及び15.13は、任意選択の信号スイッチ又はスプリッタ又はコンバイナ又はデュプレクサ、又はデュプレクサユニットである。
【００３７】
図１６は、拡張した性能、増加したサービスエリア、高速情報及びデータ転送有線及び無線通信のシームレスな通信、米国及び国際標準システム、非標準システムを含む異なるオペレーティングシステム及び異なる標準での通信、信号処理及び記憶、データ操作、診断、放送、娯楽、教育及びシームレスな適応的通信のための警告システム、緊急報告、位置検出、遠隔制御の実施形態を含み、これらに限定されない複数の用途の実施形態を組み込んだ多モード、多目的システムである。図１６に示す１つ以上のシステム及びネットワーク構成要素の実装及び／又は選択により、音声、音楽、カメラ、高解像度カメラ、リアルタイムな一方向、双方向又は多方向及び／又は音声電話、放送及び通信、静止画及び動画キャプチャ及び編集を含み、マルチメディアツールの情報格納、使用が可能になる。画面の接触又は他の直接アクセスにより画面からブラウザを起動するための直接のアクセスは、プッシュボタンを必要としない。補助メモリの追加、又はメモリ及び／又は他の構成要素の除去は、図１６に示す１つ以上のユニットへの構成要素の挿入又は除去により可能になる。セルラ電話及び自動車型又は家型無線又はテレビ及び／又はコンピュータシステムを有するセルラシステム、Bluetooth、赤外線、遠隔制御装置を備えたWi-Fiの間の相互接続が可能になる。オートバイ又は他の乗物（例えば、トラクタ又は電車又はボート又は船又は飛行機）及び／又は遠隔制御システムを含む自動車、他のポータブル又は移動装置での移動装置との図１６の任意選択の相互接続又は通信の１つが図２７にも図示されている。情報及び信号送信及び受信（通信及び／又は放送）は、２人以上のユーザの間で可能になる。アーキテクチャ及び実施形態は、単一のユーザが情報を処理して格納して操作すること、及び／又はこれを他人に送信すること、又はユーザ、コンピュータ、プリンタ、カメラ、ファクシミリ又は他のインタフェースに転送することを可能にする。システムの異なるユニット及び／又は要素（構成要素）は、任意選択であり、複数の実施形態において、システムは、特定の要素（ユニット）を使用せずに、及び／又はユニット間の異なる相互接続で動作可能である。特に、１つ又は複数の要素16.1〜16.13は、ユニット16.15へ及びこれからの接続のため、単一又は複数のリード16.14を通じて接続及び／又は選択される。ユニット16.1は、位置決定及び／又は追跡装置により生成された信号のための信号インタフェース及び／又は信号プロセッサを有する。ユニット16.2は、遠隔制御信号インタフェース又は信号プロセッサユニットを有する。ユニット16.3は、ビデオゲーム信号インタフェース又は信号プロセッサユニットを有する。ユニット16.4は、デジタルカメラ及び／又はスキャナ信号インタフェース又は信号プロセッサユニットを有する。ユニット16.5は、緊急及び／又は警告信号インタフェース又は信号プロセッサユニットを有する。ユニット16.6は、音声又は電話信号又は音楽信号インタフェース又は信号プロセッサユニット、又はこれらのインタフェースユニットの組み合わせを有する。ユニット16.7は、遠隔測定、テレマティクス又は写真又は走査又はファクシミリ信号のためのインタフェース回路又は信号プロセッサを有する。ユ��ット16.8は、指紋識別及び／又は指紋制御及び／又はタッチスクリーン制御又はDNA型信号のための信号インタフェース又は信号プロセッサ要素を有する。ユニット16.9は、センサ、トランスデューサ、検出器（動作検出器、圧力検出器、熱又は煙検出器を含む）、RFID（Radio  Frequency  Identification  and  Detection）により得られた信号のための信号インタフェース又は信号プロセッサ要素を有する。ユニット16.10は、格納された音楽、格納されたビデオ、格納された画像、格納された走査データ情報又は他の格納された情報を含み、格納されたアナログ又はデジタル情報とインタフェース接続するための信号インタフェース又は信号プロセッサユニットを有する。ユニット16.11は、移動コンピュータ、携帯情報端末（PDA）及び他のデジタル又はアナログ信号を含むコンピュータの接続及び／又は処理のための信号若しくはデータインタフェース又は信号若しくはデータプロセッサを有する。ユニット16.12は、教育及び／又は娯楽教材を含む信号を含み、音楽及び／又はビデオ及び／又は動画グラフィック及び／又はセンサ検出・変換された信号、又は他の格納及び／又は検索された情報信号の接続、インタフェース接続又は結合のための信号インタフェース又は信号プロセッサユニットを有する。ユニット16.13は、診断、センサ、トランスデューサにより得られた信号、動作検出器又は圧力検出器又はDNAにより生成又は格納された信号及び／又は情報を含み、医療及び／又は情報信号インタフェース又は信号プロセッサユニットを有する。ユニット16.15は、単一又は複数の端末16.18、16.21及び16.23及び／又は１つ又は複数のインタフェースユニット16.1〜16.13への単一又は複数の通信及び／又は放送媒体を通じた単一又は多モード通信、多方向（へ及びから）を提供する１つ以上の信号プロセッサ及び通信装置を具現する。端末又は加入者ユニット（SU）（加入者（SC：Subscriber）とも表される）は、ある実施形態では、ピア加入者モードで動作し、他の構成では、任意選択の適応的ネットワークを含み、スター、メッシュ又は他のネットワーク構成になる。適応的ネットワークは、ネットワークの様々な要素の間の接続及び通信システムフォーマットが変更可能であるネットワークである。すなわち、これらは選択可能又は適応可能である。適応的ネットワーク構成、様々な要素の間の相互接続、信号の選択、１つ又は複数の信号及び／又はインタフェースユニット及び／又は１つ以上のプロセッサの選択及び接続は、制御ユニット16.24により制御される。制御ユニット16.24は、ユニット16.15から又はこれに、加入者ユニット（SU）から又はこれに、１つ以上のインタフェースユニット16.1〜16.13から又はこれに、単一又は複数のリード16.25を通じて１つ又は複数の信号を提供及び／又は受信する。制御ユニット16.24から又はこれへの信号は、手動制御又は音声制御又は他の直接オペレータの制御により選択され、及び／又は遠隔で及び／又は電子的に及び／又はソフトウェア又はファームウェアにより及び／又はハードウェア又はファームウェアにより選択される。ユニット16.15は、単一及び／又は多モードの単一及び／又は多目的通信及び信号処理及び／又はデータ処理ユニットである。ユニット16.15は、TDMA、FDMA、GSM、GPRS、EDGE、WCDMA、CDMA  1x、EV-DO、WLAN、WMAN、Wi-Fi、IEEE802.xx、ケーブル、DSL、衛星、IR（infrared）、Bluetooth、位置検出器、GPS、緊急警告、医療診断又は機器通信機用の１つ以上のプロセッサ、変復調器（モデム）、送受信機（TR）を含み、VoIP（VoIP）又はViIP（Video  Internet  Protocol）又はインターネット上ビデオ若しくはイントラネット上ビデオ、無線、移動システム要素のようなインタフェースポイント及び／又は接続及び／又は通信装置のうち１つ以上を有する。これらのユニットは“プラグランドプレイ”構成で動作する。すなわち、各ユニットは単一のユニットとして、又は複数の他のユニットを有するネットワーク又は適応的ネットワークでの同時動作の一部として動作可能である。特定の実装では、ユニット16.15に含まれるプロセッサ及び／又は変調器は、特定の周波数変調（FM）又は位相変調（PM）システム（例えばFSK変調又はGFSK変調システム）、及び振幅変調（AM）システム（極性変調システムの実装を含むがこれに限定されない）のような非直交（非QUAD）アーキテクチャを有する。他の実施形態では、送信ベースバンド同位相（I）及び直角位相（Q）信号で相互相関のある又はこれのない直交変調（QUAD変調）アーキテクチャが実装される。他の実施形態では、複数モデムアーキテクチャが実装される。ある実施形態では、ユニット16.15又は１つ以上のインタフェースユニット16.1〜16.13及び／又は加入者ユニット（SU）16.18、16.21及び／又は16.23は、位置／追跡・位置決定エンティティ（PDE）、遠隔制御（RC）、ビデオ、写真、ファクシミリ、緊急警告、電話信号、音声、音楽、遠隔測定、指紋、DNA装置、起動センサ、動作センサ、人体センサ、基地局コントローラ（BSC）、端末又は加入者ユニット（SU）、基地局トランシーバサブシステム（BTS）装置のための多目的システム及び装置のようなシステム、構成要素又は信号を有する。各ユニットは、プロセッサ、メモリ、通信ポート又はインタフェース、単一又は複数の変調器及び／又は復調器、未許可及び許可された指紋により生成した信号の自動送信警告を有してもよい。リード16.25a及び16.25bは、図２７のユニット、図１６の１つ以上の要素、及び／又は他の図面のユニットとの任意選択の接続を示す。ユーザ識別、ユーザ認証、医療情報、緊急及び警告処理、法的処理、金融及び／又は他のトランザクション、１つ以上のユニット16.1〜16.13の信号送信、受信及び／又は制御のため、ある実装では、これらのユニットは、図２６及び／又は図２７及び／又は図３０及び／又はこの開示の他の図面の選択されたユニットと相互接続され、及び／又はこれらを有する。例示的な実施形態として、ユニット16.8は、１人又は複数のユーザの多用途信号処理、格納、認証及び／又は識別に適した信号への指紋に含まれる情報の変換及び／又は符号化のため、及び単一及び／又は複数の信号送信のため、単一及び／又は複数の指紋センサ及び変換装置を有する。信号送信機は、単一又は複数の指紋センサにより提供される信号を送信する。指紋信号の信号送信は、送信機の設定に応じて、許可されたユーザ又は未許可のユーザに基づく。許可及び未許可の信号送信は、制御ユニット16.24の制御下にある。特定の用途では、制御ユニット16.24は、許可及び未許可のユーザの指紋情報を格納するメモリ、処理及び記憶装置を有し、ダイ���ルした受信者に加えて第三者（例えば警察署）、緊急センタ、又は他の法執行機関及び／又は医療機関、又は個人又は警告監視会社に指紋情報の送信のための制御信号を提供してもよく、又はユーザは、受信装置を入れ替え、信号送信が生じた同じ装置で情報を記録及び／又は格納することを含んでもよい。電話番号及び／又は他の情報（例えば、第三者の電子メールアドレス）は、未許可のユーザにより予めプログラムされてもよく、及び／又は法執行機関により遠隔で予めプログラムされてもよい。未許可の信号送信（又は許可されたユーザの強制で及び／又は自由意思で許可された送信）が進行中である場合、制御ユニット16.24は、受信者が未許可の指紋及び／又は会話及び／又は通信の全体又は一部を格納するための信号を含み、“警告”又は“フラグ”信号を送信パスに挿入し、未許可及び／又は記入の信号が送信された第三者の受信者を含み、単一又は複数の受信者に警告する。指紋ユニット16.8及び／又は制御及びプロセッサ及びメモリユニット16.24の部分の１つは、制御ユニットにより要求されると、受信信号の受信及び検出情報に基づいて、受信した指紋情報及び／又は受信した通信、音声、写真、ビデオ又はDNA又は他の形式の情報を格納してもよい。許可は、遠隔で実行されてもよく、遠隔の許可信号に基づいて実行されてもよい。未許可の信号送信の場合、特定の用途では、制御ユニット16.24は、未許可の指紋ユーザの信号送信に基づいて、未許可の送信機の周辺の写真及び／又はビデオクリップを撮り、これらの信号を目的の受信者及び第三者の受信機に追加するようにカメラ及び／又はビデオレコーダに指示する。ある実施形態では、１つ以上の他のユニット16.1〜16.13と共に、ユニット16.8及び／又はユニット16.6は、ユニット16.8の使用をせずに、第三者及びユーザ装置へのユーザ許可及び信号送信、記憶、処理に使用される。ある実施形態では、指紋センサ及び指紋センサの変換器により特定の個人で処理及び格納及び／又は分析、特定可能な信号に提供された情報は、単一又は複数の指紋について、ユニット16.8及び／又はユニット16.24に含まれる。１つ又は複数の指紋は、単一又は複数の通信及び／又は制御及び／又は位置決定目的に使用される。例えば
、移動ユニットの位置は、指紋データベースの各指紋が関連する固有の位置を有する、複数の送信された指紋を有する指紋データベースを提供することにより拡張される。指紋情報は、許可された使用又は未許可の使用の認証、装置（移動装置及び／又は静止装置）の位置の決定、第三者への緊急の要求及び／又は信号送信及び／又は格納、未許可のユーザの識別を含み、複数の利点を有する。バーコードリーダ（ユニット16.13b）は、図１６の構成内で、及び／又はこの開示の他の図面の構成と組み合わせて又は接続して（図２７の構成を含むがこれに限定されない）、前述の用途及びアプリケーションを含み、多用途アプリケーションを有する。
【００３８】
図１７ａは、１つ又は複数の増幅器及び／又は１つ以上の任意選択のアンテナへの１つ以上の変調信号の選択及び／又は結合及び接続のある又はこれらのない、単一又は複数の変調器、増幅器及びアンテナを有するBRA（Bit  Rate  Agile）又はBRA（Bit  Rate  Adaptive）、MFS（Modulation  Format  Selectable）及びRFA（radio  frequency  agile）システムの実装のための相互相関の直交変調の実装のある又はこれのない極性変調構成を含み、非直交（非QUAD）及び直交変調（Quad  Mod又はQUAD変調）の複数変調の例示的な実施形態を有する。
【００３９】
図１７ｂは、極性（非直交）の例示的な従来技術の変調器の実装ブロック図が示されている。
【００４０】
図１７ｃは、非直交（非QUAD）の例示的な従来技術の変調器アーキテクチャが示されている。
【００４１】
図１７ａについて、この部分で詳細に説明する。一般的な従来技術及びFeherの米国特許（例えば、米国特許5,491,457、6,470,055、6,198,777、6,665,348、6,757,334）及びQualcomm  Inc.に譲渡されたBallantyneの米国特許6,906,996は、複数変調の無線送信機及び通信システムの開示を含んでいるが、従来技術は、図１７ａ、図１、図２、図３、図１６、図１８、図２７及び／又は他の図面並びにここで開示された明細書及び請求項の関連部分に関して開示された１つ又は複数の増幅器及び／又は１つ以上の任意選択のアンテナに対する１つ以上の変調信号の選択及び／又は結合及び接続のある又はこれらのない、選択可能な単一又は複数の信号源での単一又は複数の変調器、増幅器及びアンテナを有するBRA、MFS及びRFAシステムの実装についての相互相関の直交変調の実装のある又はこれのない極性変調構成を含み、複数変調器の実施形態のシステム構成及び実装について図１７ａに開示されたアーキテクチャ、構成及び実施形態を開示していない。図１７ａでは、ユニット17.1は、ユニット17.2として示す１つ以上の信号及び／又はデータプロセッサ要素への単一又は複数の信号の接続のための単一又は複数のインタフェースユニットである。４つのプロセッサユニット（ボックス）が図示されているが、特定の実施形態では、唯一のプロセッサが使用され、他の実施形態では、２つ以上のプロセッサが実装される。単一又は複数のプロセッサは、変調のために処理信号を１つ以上（複数）の変調ユニット17.3に提供する。処理された信号又は処理された複数の信号は、単一又は複数の変調ユニット17.3に提供される。プロセッサ17.2と変調器17.3との間の信号接続又は複数の接続は、制御ユニット17.9及び／又はオペレータの制御下にある。１つ以上の変調信号は、第１の任意選択の変調信号セレクタ（スイッチ）及び／又はコンバイナ及び／又はスプリッタユニット17.4に提供される。ユニット17.4の１つ以上の出力は、１つ又は複数の増幅器17.5に接続される。増幅された信号は、第２の任意選択のセレクタ、コンバイナ又はスプリッタユニット17.6に接続される。ユニット17.6の出力は、任意選択の信号インタフェースユニット17.7に提供され、その後、１つ以上の任意選択のアンテナ（ユニット17.8）に提供される。従来技術に開示された様々な直交変調器の実施形態が存在する。この出願の図１１ｂでは、例示的な従来技術の直交変調の実装が記載されている。１つ又は複数の直交変調器（QUAD変調）の実装及び実施形態が図１７に示す直交変調器の実施形態で使用される。図１７の特定の実施形態では、QUAD変調器に加えて及び／又はQUAD変調器の代わりに、１つ以上の非直交（非QUAD）変調器が実装される。いくつかの非直交変調の構成は、極性変調として従来技術で知られているが、他の非QUAD変調器は従来技術のFM（Frequency  Modulator）、FSK（Frequency  Shift  Keying）、GFSK（Gaussian  Frequency  Shift  Keying）、AM（Amplitude  Modulator）システム及び装置がある。図１７ｂ及び図１７ｃは、２つの従来技術の非QUAD変調アーキテクチャを示している。
【００４２】
図１７ｂは、Lindoff他の米国特許6,101,224及びMotorolaに譲渡されたBlack他の米国特許5,430,416に基づく。図示の非QUAD変調技術はまた、ベースバンド信号の極性表示に基づくため、極性変調としても知られる。この非直交変調器では、直交変調技術で使用される同位相（I）及び直角位相（Q）成分の代わりに、極性成分（すなわち、振幅（r）及び位相（p）成分）が使用される。この例示的な従来技術の変調器では、送信されるソース信号（又は情報信号）は、接続17.10に存在する。信号プロセッサ17.11は、信号振幅成分と信号位相成分とを生成する。これらの信号成分は、デジタル・アナログ（D/A）変換器及び位相変調器（PM：Phase  Modulator）にそれぞれ提供される。位相成分は、位相変調器17.13で搬送波信号を変調し、一定エンベロープで位相変調を生じる。振幅成分は、D/A変換器でアナログ信号に変換され、信号及び出力のD/A変換された信号17.2に基づいて電力増幅器（PA）17.15の電力を制御する信号の電流又は電圧を調整するレギュレータ（Reg）17.14を通過する。調整されたアナログ信号は、電力増幅器の電力を制御することにより、電力増幅器17.15で位相変調された搬送波信号を変調する。結果の増幅信号は送信に提供される。
【００４３】
図１７ｃは、例示的な他の従来技術の非QUAD変調器を示している。この実装では、リード17.16に存在するソース信号が位相変調器（PM）又は周波数変調器（FM）（ユニット17.17）に提供される。PM及び／又はFM変調信号は次の振幅変調器（AM）に提供され、AM変調信号は、リード17.19で送信媒体インタフェースに提供される。
【００４４】
図１８は、位置検出器、通信及び／又は放送及びRFID（Radio  Frequency  Identification  Detection）の単一及び／又は多モードシステムである。ユニット18.1は、１つ又は複数の位置検出器及び／又は追跡インタフェースユニット又はシステムを有し、これらは衛星型又は陸上型又は水上型若しくは水中型及び／又は空中型である。水上型システムには、船、ボート、大型船、ブイ、泳ぐ人、浮遊装置が含まれる。水中型システムは、潜水艦、ダイバー、魚、鮫、生物及び／又は取り付けられた装置を含む。空中型システムは、飛行機、ヘリコプタ、無人乗物（UV：Unmanned  Vehicle）のような飛行物体又はバルーン又は取り又は他の物体若しくは空中型の項目にあり、ロケット、ミサイル、スペースシャトル又は他の項目を含み、これらに限定されない。ある実施形態では、ユニット18.1は、遠隔制御（RC）装置のような任意選択の通信及び／又は制御装置を有する。１つ又は複数の通信及び／又は制御装置は、図１８に示す１つ以上のユニットに含まれる。一実施形態では、全てのユニット18.1〜18.15は、単一又は複数の位置検出器、単一又は複数の通信及び／又は単一又は複数のRFID及び／又は単一又は複数の制御のためのインタフェース及び／又はプロセッサ回路を有する。ユニット18.2は、GSM、GPRS、EDGE、TDMA、OFDMA、CDMA、WCDMA、Wi-Fi、Bluetooth、IR（Infrared）、CDMA、WCDMA、IEEE802.xx又は他の通信システムのための１つ以上のインタフェース及び／又は処理及び／又は変復調ユニットを有する。ユニット18.3は、単一又は多モード無線又は有線トランシーバ及び図１８に示す複数のユニットの間の相互接続を有する。任意選択のインタフェース18.10及び18.11は、１つ以上のインタフェース接続18.12、18.13、18.14及び／又は18.15に更なる処理のための信号を提供する。
【００４５】
図１９は、単一又は複数のプロセッサ、単一及び／又は複数のRF増幅器及びアンテナ及び単一又は複数のSDR及び／又は非SDR実装アーキテクチャを備えたSDR（Software  Defined  Radio）、MSDR（Multiple  SDR）及びHDR（Hybrid  Defined  Radio）送信機及び受信機の実施形態である。SDRの実装及び実施形態は、例示的な引用文献であるTuttlebee,  W.による文献:“Software  Defined  Radio:  Baseband  Technology  for  3G  Handsets  and  Basestations”,  John  Wiley  &  Sons,  Ltd.,  Chichester,  West  Sussex,  England,  Copyright  2004,  ISBN0-470-86770-1、Hickling,  R.M.による記事:“New  technology  facilitates  true  software-defined  radio”RF  Design  Magazine  April  2005,  www.rfdesign.comから入手可能（5ページ）、及び例示的な引用文献のような多数の特許（Sony  Corporation,  Tokyoに譲渡されたKohno他の米国特許6,823,181,Qualcomm,  Inc.に譲渡された“Universal  platform  for  software  defined  radio”、Ballantyneの米国特許6,906,996“Multiple  Modulation  Wireless  Transmitter”を含む）を含み、従来技術に開示されているが、従来技術は、図１９及びこの出願の他の部分に関する明細書に記載された単一又は複数のプロセッサ、単一及び／又は複数のRF増幅器及びアンテナ及び単一又は複数のSDR実装アーキテクチャを備えたSDR（Software  Defined  Radio）及び／又はMSDR（Multiple  SDR）及び／又はHDR（Hybrid  Defined  Radio）の送信機及び受信機の実施形態の実装、実施形態及びアーキテクチャを開示又は予想していない。例示的な従来技術のSDRは、インタフェースユニット（ユニット19.1等）、プロセッサ及びデジタル・アナログ（D/A）変換器ユニット19.2、送信RF増幅器を有するRFサブシステム（ユニット19.3）、送信アンテナから及び受信アンテナへの信号接続（ユニット19.4）、受信信号パスでの任意選択のRF帯域通過フィルタ（BPF：Band-Pass-Filter）（ユニット19.9）、アナログ・デジタル変換器（A/D）（ユニット19.8）、及び信号プロセッサ（ユニット19.7）を含む。この出願に開示される新規のSDR（Software  Defined  Radio）システムは、１つ以上のRF送信増幅器に接続され、１つ以上の送信アンテナ及び１つ以上の受信アンテナに接続された１つ以上のSDRを有する。複数のアンテナで、送信及び／又は受信ダイバーシチシステムが実装される。複数のSDRが使用される場合、システムは、MSDR（Multiple  SDR）として表される。SDR受信部は、１つ以上のSDR受信機及び／又は１つ以上の従来（非SDR）の受信システムを有する。ある実施形態では、１つ以上のSDR送信機及び／又はSDR受信機は、１つ以上の非SDR送信機又は受信機の実装と共に使用される。非SDRシステムは、ファームウェア及びハードウェア構成要素により実装され、デジタル信号プロセッサのようなソフトウェアアプリケーション又はソフトウェアプロセッサを有してもよい無線システムである。SDR構成要素と非SDR構成要素（例えば、ベースバンド及び／又はIF及び／又はRFで混合のソフトウェア、ファームウェア及び／又はハードウェアを有する従来技術の無線システム）とを組み込んだシステムは、HDR（Hybrid  Defined  Radio）システムとして表される。ユニット19.4及び19.12は、送信及び／又は受信アンテナである。更なるアンテナ19.6及び19.13は、信号をSDR及び／又はMSDR及び／又はHDRユニットに送信及び／又は受信する。この図面では、全てのユニット19.1〜19.13は、ある実施形態では単一のユニットであるが、全てのユニット19.1〜19.13は、他の実施形態では単一又は複数のユニットである。ユニット19.5は、１つ以上のユニットの制御のための制御ユニットである。特定の実装では、図１９での選択されたユニットは、BRA及びMFSユニットであるが、他の実施形態では、単一及び／又は複数のユニットは、同じビットレート及び同じ指定の変調フォーマットを有する信号の送信に使用される。制御ユニット19.4は、指定の信号の選択及び受信のために、様々な送信機及び受信機及びアンテナに制御信号を生成して提供する。
【００４６】
図２０は、RF信号を送信媒体に提供するインタフェースユニット又は複数のインタフェースユニット、一式の変調器、増幅器、選択装置及び／又はコンバイナ装置を有する。単一又は複数のインタフェースユニット、単一又は複数の変調器、単一又は複数の増幅器、BRA及びMFS構成及び実装が含まれる。この実施形態では、入力リード20.1又は複数の入力リード20.1は、入力信号又は複数の入力信号を単一又は複数のインタフェース及び／又はプロセッサユニット20.2に提供する。ユニット20.2の出力では、１つ又は複数の信号リードで、直交又は非直交信号が提供される。同位相（I）及び直角位相（Q）のベースバンド信号がユニット20.3aに提供される。ユニット20.3aは、ある実施形態では、相互相関のI及びQ（I/Qとして表される）のベースバンド信号を提供する直交変調器であるが、他の実施形態では、ユニット20.3で直交変調（QM）されたI/Qベースバンド信号に提供される相互相関は存在しない。ユニット20.3bは、１つ以上の直交変調器（QM）を有する。特定の実施形態では、ユニット20.3bに含まれる１つ以上のQMの実装はSDR実装構成であり、他の実施形態では、MSDR構成であり、特定の他の実施形態では、HDRであり、及び／又は他の従来技術のQM構成である。ユニット20.4a及び20.4bは、非直交変調器である。１つ以上のこれらの変調器は、FM、PM又はAM又はBPSK又はFSK又は他の非SDRアーキテクチャのような従来技術の非直交変調器により具現されるが、特定の他の実施形態では、非直交変調器は、SDR及び／又はMSDR及び／又はHDRアーキテクチャ及び／又はデジタル若しくはアナログ極性変調構成により実装される。ある実装では、１つ以上の変調器20.3a、20.3b、20.4a及び／又は20.4bは、中間周波数（IF：Intermediate  Frequency）で動作し、所望の無線周波数（RF）へのアップコンバータユニット（周波数変換装置）を有する。ある実装では、１つ以上の変調器20.3a、20.3b、20.4a及び／又は20.4bは、BRA（Bit  Rate  Agile又はBit  Rate  Adaptable）及び／又はMFS（Modulation  Format  Selectable）及び／又はMES（Modulation  Embodiment  Selectable）システムである。特定の設計及び／又は実施形態では、同じ変調フォーマット及び同じビットレートが使用されるが、変調の実施形態は異なる。例えば、ある用途では、GMSK変調システムは低送信電力用途に直交変調（QM）構成を使用するが、高送信電力用途には、非直交変調（NQM）（例えば極性実装構成）を使用する。従って、この例では、同じビットレート（又は異なるビットレート）を有する同じGMSK変調フォーマットが、NQMの実施形態でのQMの実施形態の代わりに送信されるために切り替えられる（又は選択される）。特定の実装では、１つ以上の変調器20.3a、20.3b、20.4a及び／又は20.4bは、IF及び／又はRFの機動性があり、すなわち、所望の送信周波数帯域に最も適した変調信号の選択可能及び／又は適応可能な中心周波数を有するIF及び／又はRFの適応可能な変調器である。１つ以上の変調器は、１つ以上の任意選択の前置増幅器20.5a、20.5b、20.6a及び／又は20.6b及び／又は１つ以上の任意選択の電力増幅器（PA：Power  Amplifier）20.7a、20.7b、20.8a及び／又は20.8bに信号を提供する。前置増幅器は、線形若しくは線形増幅（LINA）モードで、又は非線形増幅（LNA）モードで動作する。１つ以上の増幅信号は、任意選択の単一又は複数のコンバイナユニット20.9を通じて出力コネクタ20.10に提供される。
【００４７】
図２１は、単一又は複数の送信機を使用した単一又は複数の送信アーキテクチャの実施形態である。複数の送信機の実装もダイバーシチ送信機として表される。この図面は、従来技術の参照文献であるFeherの米国特許6,665,348に開示されているいくつかの要素を有する。入力リード21.1では、ユニット21.2に提供される単一の信号又は複数の信号が存在する。ユニット21.2は、１つ以上のインタフェース回路及び／又は１つ以上のプロセッサ及び／又は１つ以上のスプリッタ及び／又は１つ以上の直列・並列（S/P）変換回路及び／又は１つ以上の信号スイッチ（セレクタ）回路、１つ以上の相互相関（XCor）回路及び１つ以上の任意選択の同位相（I）及び直角位相（Q）信号プロセッサ及び／又は生成器を有する。ユニット21.3は、ユニット21.2から１つ以上のI及びQ信号を受信する。ユニット21.3では、１つ以上の信号プロセッサ及び１つ以上の任意選択の直交変調器（QM）が実装される。出力処理され及び／又は変調された信号は、１つ以上の線形増幅器（LIN）又は１つ以上の非線形増幅器（NLA）及び／又は１つ以上の電力増幅器（PA）による任意選択の信号増幅のため、任意選択のユニット21.5、21.7及び21.9及び／又は21.11に提供され、１つ以上の通信システムとインタフェース接続するために１つ以上のアンテナ21.9及び／又は１つ以上のインタフェース接続21.12に提供される。ユニット21.4は、ユニット21.2から１つ以上の信号を受信する。ユニット21.4では、１つ以上のインタフェースポイント（又はインタフェース接続）、プロセッサ及び／又は１つ以上の非直交変調器（非Quad又は非QUAD又はNQM）が存在する。ユニット21.5、21.6、21.7、21.8、21.10、21.12は、任意選択の増幅器、アンテナ及び／又はインタフェースポイントである。
【００４８】
図２２は、MIMO（Multiple  Input  Multiple  Output）システムである。単一又は複数の入力リード22.1では、１つ以上の入力信号が単一又は複数のインタフェース及び／又は単一又は複数のプロセッサユニット22.2に提供される。非直交の入力信号はIn1〜Innとして表され、nの添え字はnの非直交入力信号が存在することを示す。ただし、nは整数（n=1,2,3,...）である。また、直交入力はIm及びQmとして表され、mの添え字はmの入力直交信号が存在することを示す。ただし、mは整数（m=1,2,3...）である。ユニット22.3では、単一又は複数のインタフェースユニット及び単一又は複数のプロセッサユニットが具現される。プロセッサは、CDMA、WCDMA、EvDo、GSM、GPRS、EDGE、OFDM、TDMA又はビデオデジタル又はカメラ信号、写真カメラにより生じた信号、診断、走査X線又は医療装置信号、Bluetoothにより生じた信号又は赤外線により生じた信号の次の変調について次の単一又は複数の信号選択のために、又はユニット22.3に実装される１つ以上の直交又は非直交変調器への１つ以上のこれらの信号の選択又は接続のために、ベースバンド信号を適切なベースバンドフォーマットに処理する。ユニット22.3に実装される１つ又は複数の変調器は、１つ以上のこれらの信号を受信し、単一又は複数の非直交又は直交変調器の実施形態でこれらを変調する。任意選択のユニット22.4に具現される１つ又は複数の任意選択の増幅器は、任意選択の単一又は複数のスイッチ又はスプリッタ要素22.4b、22.5a又は22.5bにより、アンテナアレイユニット22.6として図示される１つ以上のアンテナ及び／又は任意選択のRFユニット22.7に接続される。ユニット22.7は、RFインタフェースポイント及び／又は１つ以上のRFスイッチ、結合、デュプレクサ又はダイプレクサ及び／又はスプリッタユニットを有する。RFユニット22.7は、出力インタフェースポイント22.8及び／又はユニット22.7で具現される１つ以上のアンテナに接続される。図２２の選択された要素の１つ以上の構成及び接続で具現される、１つ又は複数のプロセッサ、変調器、任意選択の増幅器、RFコンバイナ又はRFスイッチ要素及びアンテナに接続される複数の非直交入力を備えた複数のI及びQ入力（I/Q入力）は、従来技術と異なる。
【００４９】
図２３は、１つ又は複数のRFインタフェースポイント及び／又は１つ又は複数のアンテナを有するSIMO（Single  Input  Multiple  Output）、MIMO（Multiple  Input  Multiple  Output）及び／又はMISO（Multiple  Input  Single  Output）の実施形態である。複数のアンテナを備えた構成も、アンテナアレイを備えたシステム及び／又はダイバーシチシステムとして知られている。入力リード又は複数の入力リード23.1では、１つ又は複数の信号は、単一又は複数のインタフェースユニット23.2に接続される。１つ又は１つより多くの任意選択のベースバンドプロセッサ（BBP）が、ユニット23.2のいくつかの実施形態に含まれる。１つ又は複数の信号は、1,2,...Mとして表される接続（又はリード）に存在する。１つ以上のこれらの信号は、ユニット23.3に含まれる１つ以上の変調器に接続される。Mod.1,Mod.2...及びMod.Mとして表されるこれらの変調器は、１つ以上の入力信号を変調し、ユニット23.4に含まれる１つ以上の任意選択の増幅器に変調信号を提供する。Sw1,Sw2...SwMとして表される任意選択のスイッチ要素23.6を通じて、１つ以上の変調信号は、１つ以上の任意選択のアンテナ23.5（Ant.1,Ant.2,...Ant.N）及び／又はRFユニット23.7に提供される。特定の実装で具現される変調器の数は、ユニット23.5のスイッチ及びアンテナの数と同じであるが、他の実施形態では異なる。ユニット23.7には、１つ以上のRF信号を次の単一又は複数のRFインタフェースユニット23.9及び／又は任意選択の単一又は複数のアンテナ23.8に提供するための、RFインタフェース及び任意選択のRFコンバイナ、スプリッタ又はスイッチユニットが存在する。
【００５０】
図２４は、送信アンテナダイバーシチ及び受信アンテナダイバーシチシステムを含み、MIMO（Multiple  Input  Multiple  Output）及び／又はSIMO（Single  Input  Multiple  Output）及び／又はMISO（Multiple  Input  Single  Output）通信、位置検出及び放送送受信システムを実装するアンテナアレイである。システムは、１つ以上のFeherの従来技術の参照文献（例えばFeherの米国特許6,665,348）の要素を有するが、この出願に開示され、この開示の以前又は以後の図面に図示される他のシステム要素との構成、相互接続及び動作は新しい。単一又は複数の入力リード24.1では、１つ以上の変調RF信号が受信され、任意選択の単一又は複数のRFインタフェース及び／又はRFプロセッサ24.2に接続される。特定の実施形態では、ユニット24.2は送信プロセッサを有するが、他の実施形態では、送信及び／又は受信プロセッサを有する。接続24.1で受信したRF変調信号は、この開示の以前又は以後の図面の記載で１つ以上の開示された実施形態により提供される。ユニット24.3に含まれる１つ又は複数の送信アンテナは、１つ以上のRF変調信号に接続される。単一又は複数の受信機は、ユニット24.4に具現される単一又は複数のアンテナを有する。特定の実施形態では、接続／リード、インタフェースユニット、プロセッサ及びアンテナを含む送信及び受信構成要素は、同じ構成要素であり、又は同じ位置にあるが、他の実装では、送信及び受信構成要素は、別個の物理ユニットである。ある代替の実装では、特定の送信及び受信構成要素が同じ物理ユニットに含まれるが、特定の送信及び受信構成要素は異なるユニットにある。受信側の単一又は複数の接続24.5で、受信アンテナからの１つ以上の信号は、周波数ダウンコンバート構成要素に結合された任意選択のコンバイナ、セレクタ又はスイッチ又は他のRF信号プロセッサ及び／又はRFプロセッサ、IRプロセッサ及びベースバンドプロセッサを有する任意選択の受信RFインタフェースユニット24.6に接続される。単一又は複数の出力信号は、出力接続リード24.7（Out1〜OutN）に提供される。
【００５１】
図２５には、ダイバーシチシステムを含み、MIMO（Multiple  Input  Multiple  Output）及び／又はSIMO（Single  Input  Multiple  Output）及び／又はMISO（Multiple  Input  Single  Output）通信、位置検出及び／又は放送送受信システムのためのSDR（Software  Defined  Radio）及びHDR（Hybrid  Defined  Radio）システムが実装されている。単一又は複数の出力接続には、信号が１つ以上の送信（Tx）インタフェース及び／又は送信プロセッサユニット25.1、25.5及び25.9に提供される。これらのユニットは、SDR及び／又はHDRシステムの実施形態である。１つ以上のユニット25.1、25.5及び／又は25.9は、１つ又は複数のソース（例えば、位置検出器及び／又は追跡ソース、通信装置、リモコン、複数のリモコン、RFID装置、患者監視装置、ビデオソース、ビデオ放送源、ビデオ会議ソース、ビデオクリップを提供するソース、セルビジョン（セルラテレビ）、移動ビジョン、WiFi、WiMax、警告モニタ、カメラ、クレジットカード確認及び／又はクレジットカードトランザクションを提供するソース、銀行トランザクションを提供するソース、電子商取引信号／データを提供するソース、及び／又は他のソース）から信号を受信する。SDRでは、ユニット25.1及び25.5は、信号を処理し、これらをデジタル・アナログ（D/A）変換器（DAC）25.2及び25.6に提供する。HDRでは、１つ以上の信号及び／又はD/A変換信号は、１つ又は複数のRF処理ユニット25.3及び／又は25.7又は25.11に提供される。SDRユニットのRF処理及び／又はRF増幅された出力は、出力25.4及び25.8として表される単一又は複数の送信インタフェースユニット又は単一又は複数のアンテナに提供される。要素25.9は、システムのベースバンド及び／又は中間周波数（IF）及び／又はIF及び／又はIF及びRF又は単にRF送信処理のために、単一又は複数の入力信号を受信する。RF信号は、任意選択のユニット25.10で更に処理され、出力25.11として表される単一又は複数の送信インタフェースユニット又は単一又は複数の送信アンテナに提供される。ユニット25.9、25.10及び25.11は、単一又は複数の従来の無線送信機の実装の一部である。すなわち、これらのユニットはSDRの一部ではない。ユニット25.1〜25.8は単一又は複数のSDR送信機の一部であり、従来の無線送信機（Tx）のユニット25.9〜25.11であるため、SDRと従来の無線送信機との組み合わせは、HDR（Hybrid  Defined  Radio）システムとして表される。１つ又は複数の入力信号は、１つ以上のSDR及び／又はHDRの１つ以上の従来の無線システム部分に接続される。リード25.12、25.17及び25.22でのHDRの受信部では、単一又は複数のRF信号は、単一又は複数のアンテナから受信される。ユニット25.13、25.18及び25.23は、帯域通過フィルタ（BPF）の単一又は複数の実施形態である。ユニット25.14、25.19及び25.24は、アナログ・デジタル（A/D）変換器（ADC）の単一又は複数の実施形態である。ユニット25.16、25.21及び25.26は、それぞれ出力リード25.16、25.21及び25.26で単一又は複数の出力信号を提供する信号インタフェースプロセッサ要素の単一又は複数の実施形態である。
【００５２】
図２６は、情報監視処理及び通信システムである。特定の用途では、このシステムは、患者監視システムを有してもよい。単一及び／又は複数のシステムについてのDNA、指紋情報及び／又は写真又はビデオクリップを含む診断信号、他の信号のこの情報処理及び送信が、この図面に実装されている。信号源は、１つ以上のインタフェースユニット26.1〜26.6への１つ以上のセンサ、プローブ又は医療手順又は他の手順で提供された信号からの結果の信号を含み、単一又は複数のソースを有する。信号源は、医療装置、センサ、プローブ又は装置から、血圧又は他の血液診断、皮膚診断、内部医療情報の診断、体温、ECG、電子心電図又は他のセンサの診断及び／又は測定からの信号、手術中又は手術後に得られた情報信号、動脈血、ガス又は心臓ペースメーカ、グルコース、MRI、指紋、他の医療又は診断情報信号（例えばDNA）又は他のソース（写真又はビデオ又は音声信号）又は信号源の組み合わせを提供する。信号及び／又は信号源はまた、信号、尿、排泄物、皮膚信号、ECG、グルコース、体温、動脈血、ガス、センサにより提供された信号、DNAを含む信号、指紋又は写真又はビデオ信号及び／又はビデオクリップ信号を含み、血圧又は他の血液診断を有してもよい。手術中及び／又は手術後センサ、プローブ及び他の医療装置は、患者の体内の一部に取り付けられ、及び／又は接続又は挿入され、特定の実装では、これらの装置は、１つの製品に統合される。この製品は、図２６に示す１つ以上又は全ての要素を有してもよく、このような統合製品は、従来技術のケーブル及び／又は他の物理的な面倒な装置に代わりに、無線手段により信号を含む医療情報を提供することを可能にする。ユニット26.7〜26.11は、増幅器又は信号プロセッサ又は信号変換装置又はトランスデューサ（例えば、音響−電気又は圧力−電気又は化学物−電気信号変換器（トランスデューサ））及び／又は26.1〜26.6の信号源とユニット26.13との間の単なるインタフェースポイントである。ユニット26.13は、単一又は複数の信号送信ユニット26.14への１つ以上の変調信号の変調及び接続のため、単一又は複数のプロセッサ及び／又は単一又は複数の信号変調器を有する。単一又は複数の信号送信機26.14は、１つ以上の送信インタフェース出力要素26.15及び／又は26.16に信号を提供する。逆の信号パス26.17では、制御及び情報信号が図２６の様々なユニットに提供される。この逆のパスの制御信号の目的は、信号パラメータ、信号送信フォーマット及び方法の何らかの処理手段を変更することを可能にし、特定の医療的に許可された場合には、医療措置（例えば、酸素流量又は鎮静剤、薬等の量又は速度）を変更することを可能にする。逆の信号パスは、プッシュツートーク（PTT）の選択肢を有してもよく、特定の場合には、他のセットの信号（例えば、移動緊急車両での患者の措置に関する緊急の医師の命令、又は遠隔施設での患者管理の注文）を有する。
【００５３】
図２７は、自動車又はオートバイ又は他の乗物装置の無線ドアオープナー及び／又は点火起動装置又は窓オープナー、ガレージのドア又は家のドアのオープナー、及び／又はロック制御、家又は会社の装置の制御、コンピュータ又は他の有線又は無線装置の電源オン又は電源オフ、他のシステムの警告システム、監視装置及び／又は監視装置の指向性及び／又は記録パラメータを含み、１つ又は複数の遠隔制御又はユニバーサルリモコン（URC：Universal  Remote  Control）装置を含むユニバーサルシステムである。図２７に示す装置間、図１６及び／又は他の図面に示すユニット（例えば図２６に示す医療装置）間の任意選択の接続及び／又は通信又は制御は、有線又は無線接続27.9により提供される。ユニット27.1は、単一又は複数のアンテナ27.2への単一又は複数の信号送信及びこれからの信号受信のためのインタフェース装置及び／又はプロセッサ装置及び／又はセンサ及び／又は信号生成装置及び／又は通信装置である。ユニット27.3は、信号インタフェースユニット、プロセッサ、送信機、受信機及び送信及び受信アンテナ（図面に図示せず）への接続を含み、ユニット27.5により提供されるオーディオ及び／又はテレビ、ラジオ又はCDプレイヤ及び／又はビデオ画面情報を含む信号をリード27.4で提供／受信するセルラ電話（携帯電話）及び／又は他の無線又は移動又はポータブル装置である。有線及び／又は無線接続27.6及び27.7は、ユニット27.3及び27.5とユニット27.8との間で更なる通信、処理及び制御手段を提供する。ユニット27.8は、Bluetooth又は他の無線装置を有する。ユニット27.3は、信号リピータ動作を提供するために備えられる。信号リピータという用語は、リピータ装置が送信信号の受信に続いて他の送信機から受信した信号を処理及び／又は増幅し、信号が次の送信のための処理及び増幅に提供されることを意味する。
【００５４】
図２８は、無線多モードシステム内のテスト及び測定機器システムである。単一又は複数のアンテナ28.1、28.4、28.6及び28.8は、それぞれ単一又は複数のトランシーバ28.2、28.5、28.7及び28.9から／へ信号を受信／送信する。特定の場合には、これらのトランシーバは、基地局ユニット又は移動ユニットの一部にある。有線及び／又は無線接続28.10は、図２８に示す１つ以上又は全てのユニットの間で制御及び通信信号を提供する。テスト信号は、ユニット28.9で生成される。これらのテスト信号は、性能測定、１つ又は複数のシステム性能パラメータ及び／又はシステム仕様のテスト及び確認のためである。特定の場合には、全体のユニット28.9又はユニット28.9の一部は、ユニット28.2及び／又は28.5又は28.7内に実装される。
【００５５】
図２９は、単一又は複数のアンテナを有する単一又は複数の基地局トランシーバ（BST）と通信する単一又は複数のセルラ電話又は他の移動装置の実装である。BSTは、いくつかの実装で同じ位置に配置されるが、他の場合には、異なる位置にある。単一又は複数のアンテナ29.1及び／又は29.4は、単一又は複数のBST29.2及び29.5へ／から信号を送信及び／又は受信する。ユニット29.8は、１つ以上のセルラ電話及び／又は他の無線又は他の通信装置を有する。単一又は複数のアンテナ29.7は、ここでは移動ユニットとしても表されるユニット29.8へ又はから信号を受信及び／又は送信及び接続する。１つの実装では、BST29.2及び／又はBST29.5は、WCDMA信号及び／又はCDMA信号のための１つ以上の送受信機（T/R又はトランシーバ）、及び／又はGSM又はGPRS及び／又はEDGE信号及び／又はOFDM信号又は他のスペクトル拡散信号のためのトランシーバを有する。ユニット29.8は、１つ以上のトランシーバを有する。ある実装では、移動ユニット29.8及び／又は何らかのBSTユニットは、リピータモードで接続される。リピータモードは、受信信号を増幅及び再送信することにより、信号サービスエリアを拡張するために使用される。
【００５６】
図３０は、本発明の単一又は複数の無線通信及び制御システムを有する心刺激装置、心臓、及び単一心室及び／又は二重心室ペースメーカのブロック図を示している。例示的な従来技術の単一心室ペースメーカ及び／又は二重心室ペースメーカ及び移植可能な心刺激装置は、米国特許6,539,253,  Thompson他:“Implantable  medical  device  incorporating  integrated  circuit  notch  filters”2003年3月25日発行（略して“Thompson特許”又は“’253特許”又は“Thompsonの’253特許”）、及び米国特許6,907,291,  2005年6月14日発行,  Snell他:“Secure  telemetry  system  and  method  for  an  implantable  cardiac  stimulation  device”Pacesetter,  Inc.,  Sylmar,  CAに譲渡（略して“Snell特許”又は“’291特許”又は“Snellの’291特許”）に記載されている。本発明のペースメーカ及び移植可能な心刺激装置は、リード30.4a及び30.4bを用いて心臓30.1に結合されており、リード30.4aは、心臓の１つの心房に接触する電極30.2を有し、リード30.4は、心臓の１つの心室に接触する電極30.3を有する。リード30.4a及び30.4bは、ペースメーカ及び移植可能な心刺激装置の一部を形成する接続インタフェース及び／又はプロセッサユニット30.5を通じてペースメーカに接続される。特定の他の実装及び／又は他の用途では、ユニット30.1は、心臓以外の他の体内部又は他の体器官を有する。例えば、ユニット30.1は、腎臓、手足、頭、皮膚又は体内の管でもよく、ユニット30.2及びユニット30.3は、電極以外の装置又は医療プローブ又は他の装置でもよい。ユニット30.6は、ユニット30.5と30.7との間の単一又は複数の信号の接続のための単一又は複数のリードを有する。特定の実施形態では、ユニット30.5は、リード30.4a及び30.4bとユニット30.7との間のインタフェースコネクタ又は接続及び／又は何らかの信号処理を表すが、他の実施形態では、ユニット30.5は、ユニット30.7から受信した信号を検出し、心刺激装置・心臓ペースメーカ、パルス生成器、増幅器、プロセッサ、メモリ、センサ、電池、及びペースメーカの動作条件及び／又は他の医療パラメータの動作、制御及び変更のための他の構成要素のパラメータの動作及び変更のための制御信号を生成するマイクロプロセッサを有する。ある実装では、ユニット30.5は、心房パルス生成及び心室パルス生成のための刺激パルス生成器、１つ以上の検出回路及び増幅器を有する。典型的には、ユニット30.5に含まれる１つの増幅器は、印加された刺激に応じて心臓30.1から引き起こされた応答を検出するように構成され、これによって、“キャプチャ”の検出を支援する。キャプチャは、心臓に印加された電気刺激が心臓組織を復極するのに十分なエネルギーであるときに生じ、これによって、心臓の筋肉が収縮することをもたらす。すなわち、心臓が鼓動することをもたらす。キャプチャは、心臓に印加される電気刺激が心臓組織を復極するのに不十分なエネルギーであるときには生じない。本発明のユニット30.5は、例えば電極が高電圧信号で接触することになるような場合に電極30.2及び／又は30.3に現れ得る過度のショック又は電圧から、除細動ショックからペースメーカを保護するための保護回路を有してもよい。ユニット30.7は、リード30.8及び／又は30.11によりユニット30.10及び／又はユニット30.12に接続される１つ又は複数の信号の送信及び／又は受信のために、１つ以上の送信機又は受信機及び／又はトランシーバ（T/R）として知られる送信機及び受信機を有する。特定の実施形態では、ユニット30.7の単一又は複数のトランシーバは、１つ又は複数のMFS（Modulation  Format  Selectable）及び／又は前述のようなコード選択可能な実施形態（例えば、GSM、WCDMA、スペクトル拡散、Bluetooth、Wi-Fi、EDGE又は他のシステム指定の変調フォーマット）を有する。ユニット30.7の特定の実施形態では、所定のEMI（Electromagnetic  Interference）信号をブロックする入力及び出力を有する、帯域消去フィルタとしても知られる少なくとも１つのノッチフィルタが存在する。ユニット30.10は、１つ又は複数のアンテナ30.9へのインタフェース回路及び／又は接続回路・リードを有する。ユニット30.12は、信号の送信及び／又は受信用のインタフェース接続である。
【００５７】
従来技術のペースメーカ（例えば、Snellの’291特許）では、ペースメーカは、磁気検出回路を更に有する。磁気がペースメーカの上に置かれたときを検出することが磁気検出回路の目的である。磁気は、ペースメーカの様々なリセット機能を実行するために医師又は他の医療関係者により使用され得る。従来技術のペースメーカの制御は、磁気制御されるペースメーカのパラメータのための磁気検出回路を必要とする。不都合なことに、ペースメーカのパラメータのこの磁石に依存する動作／変更は、多くの場合に課題を生じ、ペースメーカを有する患者でMRI（Magnetic  Resonance  Imaging）及び／又はMRI走査を不可能にする。MRIは、診断目的のために頻繁に要求される診断手順であるため、MRI走査からの情報が救命である緊急時であっても、MRIは現在利用可能な磁気検出・磁気制御型ペースメーカの正確な動作と干渉するため、実質的な磁気素材なしに（すなわち、磁気型検出及び磁気制御の必要なしに）動作及び制御され得る新世代のペースメーカを開発することがかなり望ましい。従来技術の磁気検出回路、及び磁石をペースメーカの上に置くことによる医師及び他の医療関係者により実行されるペースメーカの様々なリセット機能と異なり、ペースメーカのパラメータ及び機能／動作をリセット又は変更するために、磁気検出回路の必要性はなく、磁石がペースメーカの上に配置される必要はない。本発明では、ペースメーカの磁気検出及び磁気制御は、無線信号検出により置換され、検出された無線信号及び（医者の動作する無線送信機から受信した）この無線検出信号の処理に基づいて、ペースメーカのパラメータ及び動作を制御する制御信号が生成される。
【００５８】
従来技術及びSnellの’291特許と異なり、本発明は、心刺激（例えば心臓ペースメーカ装置）及び／又は他の医療装置のパラメータを調整又はリセットするために磁気結合をする必要なく、多用途及び／又は多目的の有線及び／又は無線送信機及び受信機の新しい構成及び実施形態を提供する。提示された実施形態の利点は、患者がMRI（Magnetic  Resonant  Imaging）診断テストを有している緊急治療室又は他の環境であっても、刺激装置が動作し続けるという点にある。
【００５９】
［追記］
特定の図面又は図面のグループに関して本発明の構成及び方法の多数の実施形態について記載し、本発明の構成及び方法により提供される利点のいくつかを示したが、特定の特徴の組み合わせを有するいくつかの特定の実施形態に焦点を当てる。前記の実施形態及び以下に記載する実施形態は、本発明の動作に必須ではない任意選択の要素又は特徴を有する点に留意すべきである。
【００６０】
1.第１の実施形態は、位置検出及び通信装置であり、
２つ以上の位置決定送信機から位置決定信号を受信する２つ以上のアンテナ又は受信ポートと、
この位置決定信号を処理する２つ以上の受信機と、
１つ以上の受信した位置決定信号を選択又は結合するセレクタ又はコンバイナ装置と、
２つ以上の通信送信機と、
選択又は結合処理された位置決定信号を１つ以上の通信送信機に接続する接続回路と、
この位置決定信号を１つ以上のこの通信送信機に選択及び接続する制御及び選択装置と
を有する。
【００６１】
2.第２の実施形態は、位置検出及びMFS（modulation-demodulation  （modem）  format  selectable）及びBRA（bit  rate  agile）通信システムであり、
１つ以上の位置決定送信機から位置決定信号を受信する１つ以上の受信ポートと、
この位置決定信号を受信してベースバンド信号に復調する１つ以上の受信機及び復調器と、
１つ以上のベースバンド信号を選択するセレクタと、
選択されたベースバンド信号を１つ又は複数の送信機に接続する接続回路と、
２つ以上の通信送信機と、
選択されたベースバンド信号をインタフェース接続及び受信するベースバンド信号インタフェース回路と、
このベースバンドインタフェース回路により提供されたベースバンド信号を処理し、相互相関ベースバンド信号を生成する相互相関回路と、
同位相及び直角位相ベースバンドチャネルで形成及びフィルタリングされた信号を提供する形成TCS（Time  Constrained  Signal）ウェーブレットプロセッサ及びビットレート機動的なLR（Long  Response）フィルタと、
モデムフォーマット選択可能又はコード選択可能な相互相関処理されてフィルタリングされた同位相及び直角位相ベースバンド信号を提供する変復調（モデム）フォーマット選択可能又はコード選択可能ベースバンド構成と、
同位相及び直角位相ベースバンド信号を直交変調する変調器と、
この直交変調器の変調出力信号を線形及び／又は非線形増幅（NLA）する１つ以上の増幅器と、
線形又は非線型増幅（NLA）された変調信号を選択するスイッチ又はレベルコントローラと
を有する。
【００６２】
3.第３の実施形態は、位置検出及び通信システムを提供し、
１つ以上の位置決定送信機又は１つ以上の位置検出信号以外の送信機から位置検出信号及び／又は位置検出以外の信号を受信する２つ以上の受信ポートと、
この位置検出信号を受信してベースバンド信号に復調する１つ以上の受信機及び復調器と、
この位置検出以外の信号を受信してベースバンド信号に復調する１つ以上の受信機及び復調器と、
１つ又は複数のベースバンド信号を選択又は結合するセレクタ又はコンバイナ装置と、
２つ以上の信号変調器と、
選択又は結合された単一又は複数のベースバンド信号を１つ以上のこの信号変調器に接続する接続回路と、
接続回路からベースバンド信号を受信し、第１の指定ビットレートで相互相関した同位相及び直角位相ベースバンド信号を提供する信号処理ネットワークと、
選択又は結合されたベースバンド信号を受信し、第２の指定ビットレートでフィルタリングされた信号を提供する信号処理ネットワークと、
相互相関信号、フィルタリングされた信号又は相互相関信号とフィルタリングされた信号との双方を選択するセレクタと、
信号変調のために選択された信号を１つ以上の変調器に提供する接続と
を有する。
【００６３】
4.第４の実装は、RFID（radio  frequency  identification）検出及び通信システムであり、
１つ以上のRFID及び／又は位置決定及び／又は通信送信機から無線周波数（RF）信号を受信する１つ又は１つより多くのアンテナと、
この信号を受信してベースバンド信号に復調する１つ以上の受信機及び復調器と、
このベースバンド信号を受信して処理するベースバンド信号処理ネットワークと、
この処理されたベースバンド信号を相互相関し、相互相関したベースバンド信号を生成する相互相関回路と、
同位相及び直角位相ベースバンドチャネルで形成されてビットレート機動的にフィルタリングされた信号を提供する形成TCS（Time  Constrained  Signal）ウェーブレットプロセッサ及びビットレート機動的LR（Long  Response）フィルタ構成と、
同位相及び直角位相ベースバンド信号を直交変調する変調器と
を有する。
【００６４】
5.第５の実施形態は、RFID（Radio  Frequency  Identification）及び通信システムであり、
RFID送信信号を受信してベースバンド信号に復調する受信機と、
このベースバンド信号を処理し、相互相関した同位相及び直角位相ベースバンド信号を生成する相互相関器と、
同位相及び直角位相ベースバンド信号を直交変調する変調器と
を有する。
【００６５】
6.第６の実施形態は、RFID（Radio  Frequency  Identification）及び通信システムであり、改善点は、
RFID送信信号を受信してベースバンド信号に復調し、ベースバンドスペクトル拡散信号を直交変調するスペクトル拡散ベースバンドプロセッサ及び次の直交復調器に、及びこのベースバンドフィルタリングされた信号を変調するベースバンドフィルタ及び次の変調器に、このベースバンド信号を提供する１つ以上の受信機及び１つ以上の復調器と、
スペクトル拡散変調信号若しくはフィルタリングされた変調信号又は変調されたスペクトル拡散信号とフィルタリングされた変調信号との双方を、スペクトル拡散変調信号及び／又はフィルタリングされた変調信号を送信する１つ又は１つより多くの送信機に提供する接続回路と
を有する。
【００６６】
7.第７の実施形態は、位置検出及びRFID（Radio  Frequency  Identification）信号復調及び変調システムであり、
１つ又は１つより多くの位置検出及び／又はRFID送信機から変調無線周波数（RF）位置検出及び／又はRFID（Radio  Frequency  Identification）信号を受信する１つ以上のアンテナと、
この変調RF又はRFID信号を受信してベースバンド信号に復調する１つ以上の受信機及び復調器と、
このベースバンド信号を受信し、第１の指定ビットレートで相互相関した同位相及び直角位相ベースバンド信号を提供する信号処理ネットワークと、
このベースバンド信号を受信し、第２の指定ビットレートでフィルタリングされた信号を提供する信号処理ネットワークと、
相互相関信号若しくはフィルタリングされた信号又は相互相関信号とフィルタリングされた信号との双方を選択するセレクタと、
信号変調のために選択された信号を１つ以上の変調器に提供する接続回路と
を有する。
【００６７】
8.第８の実施形態は、位置検出及び通信システムを有し、
３つ以上の位置検出及び通信システム送信機から変調無線周波数（RF）位置検出信号及び通信信号を受信する２つ以上のアンテナと、
この変調RF信号を受信してベースバンド信号に復調する２つ以上の受信機及び復調器と、
このベースバンド信号を受信し、第１の指定ビットレートで相互相関した同位相及び直角位相ベースバンド信号を提供する信号処理ネットワークと、
このベースバンド信号を受信し、第２の指定ビットレートでフィルタリングされた信号を提供する信号処理ネットワークと、
相互相関信号若しくはフィルタリングされた信号又は相互相関信号とフィルタリングされた信号との双方を選択するセレクタと、
信号変調のために、選択された信号を１つ又は１つより多くの変調器に提供する接続回路と、
増幅された変調信号を増幅して送信する２つ又は２つより多くの増幅器及び２つ又は２つより多くのアンテナに変調信号を提供する接続回路と、
を有する。
【００６８】
9.第９の実施形態は、位置検出及び通信システムを提供し、
１つ以上の位置検出及び通信システム送信機から変調された位置検出信号を受信する１つ以上の受信ポートと、
この変調信号を受信してベースバンド信号に復調する１つ以上の受信機及び復調器と、
このベースバンド信号を受信し、第１の指定ビットレートで相互相関した同位相及び直角位相ベースバンド信号を提供する信号処理ネットワークと、
相互相関信号を直交変調する第１の直交変調器と、
第１のビットレートの信号と異なるビットレートを有する第２のビットレートの信号をフィルタリングし、フィルタリングされたベースバンド信号を提供するフィルタと、
フィルタリングされたベースバンド信号を変調する第２の変調器と、
相互相関した第１のビットレートの変調信号又はフィルタリングされた第２のビットレートの変調信号を送信機に選択及び接続するスイッチ回路と
を有する。
【００６９】
10.第１０の実施形態は、バーコードリーダ、位置検出及び通信システムであり、
バーコード情報を読み取り、このバーコード情報を電気信号に処理するバーコードリーダと、
１つ以上の位置検出及び通信システム送信機から変調された位置検出信号を受信する１つ以上の受信ポートと、
この変調信号を受信してベースバンド信号に復調する１つ以上の受信機及び復調器と、
このベースバンド信号及びこのバーコード電気信号を受信及び処理し、同位相及び直角位相ベースバンド信号を提供する信号処理ネットワークと、
このベースバンド信号及びこのバーコード電気信号をフィルタリングし、フィルタリングされたベースバンド信号及びこのバーコード電気信号を提供するフィルタと、
同位相及び直角位相ベースバンド信号を直交変調する第１の直交変調器と、
このフィルタリングされたベースバンド及びこのバーコード電気信号を変調する第２の変調器と、
直交変調又はフィルタリングされた変調信号を送信機に選択及び接続するスイッチ回路と
を有する。
【００７０】
11.第１１の実施形態は、刺激装置及び通信システムであり、
１つ以上の電極へ及び／又はから刺激パルスを伝達するリードと、
刺激パルスを生成し、このリードによりこのパルスを電極に提供するパルス生成器と、
１つ以上の無線信号を送信及び／又は受信するために、１つ以上の無線送受信（T/R）回路へ及び／又はからこの刺激パルスを接続するインタフェース回路及び／又はプロセッサと、
１つ以上のこの無線送受信回路に結合され、移植可能な心刺激装置の動作パラメータを制御する制御信号を生成する制御信号生成器を有する制御回路と
を有する。
【００７１】
12.第１２の実施形態は、心刺激及び通信システムを提供し、
心臓に位置する１つ以上の電極へ及び／から刺激パルスを処理するパルス生成器及びプロセッサと、
この刺激パルスを受信し、相互相関した同位相及び直角位相ベースバンド信号を提供する信号処理ネットワークと、
この刺激パルスを受信し、フィルタリングされたベースバンド信号を提供する信号処理ネットワークと、
相互相関信号若しくはフィルタリングされた信号又は相互相関信号とフィルタリングされた信号との双方を選択し、信号変調のために選択された信号を１つ以上の変調器に提供するセレクタと
を有する。
【００７２】
13.第１３の実施形態は、移植可能な心刺激及び変調システムを提供し、
１つ以上の電極へ及び／又はから刺激パルスを処理するプロセッサと、
この刺激パルスを受信し、同位相及び直角位相ベースバンド信号を提供する信号処理ネットワークと、
この刺激パルスを受信し、フィルタリングされたベースバンド信号を提供する信号処理ネットワークと、
同位相及び直角位相ベースバンド信号若しくはフィルタリングされた信号又は同位相及び直角位相ベースバンド信号をとフィルタリングされた信号との双方を選択し、信号変調のために選択された信号を１つ以上の変調器に提供するセレクタと
を有する。
【００７３】
14.第１４の実施形態は、医療診断及び通信システムを提供し、
１つ以上の医療診断装置から受信した信号を処理するプロセッサと、
この処理された信号を受信し、同位相及び直角位相ベースバンド信号を提供する第１の信号処理ネットワークと、
この処理された信号を受信し、フィルタリングされたベースバンド信号を提供する第２の信号処理ネットワークと、
同位相及び直角位相ベースバンド信号若しくはフィルタリングされたベースバンド信号又は同位相及び直角位相ベースバンド信号とフィルタリングされた信号との双方を選択し、信号変調のために選択された信号を１つ以上の変調器に提供するセレクタと
を有する。
【００７４】
15.第１５の実施形態は、医療診断及び通信システムであり、
１つ以上の医療診断装置から受信した信号を処理するプロセッサと、
この処理された信号を受信し、第１の指定ビットレートを有するベースバンド信号を提供する第１の信号処理ネットワークと、
この処理された信号を受信し、第２の指定ビットレートを有するベースバンド信号を提供する第２の信号処理ネットワークと、
第１の指定ビットレートの信号若しくは第２の指定ビットレートの信号又は第１の指定ビットレートの信号と第２の指定ビットレートの信号との双方を選択し、信号変調のために選択された信号を１つ以上の変調器に提供するセレクタと
を有する。
【００７５】
16.第１６の実施形態は、医療及び診断通信システムであり、
改善点は、
医療装置により生成された信号の送信機と、
この医療装置により生成された信号を受信してベースバンド信号に処理する受信機と、
同位相及び直角位相スペクトル拡散ベースバンド信号を生成するためにこのベースバンド信号を処理する回路と、
同位相及び直角位相ベースバンドスペクトル拡散信号を直交変調する変調器と
を有する。
【００７６】
17.第１７の実施形態は、刺激装置及び通信システムであり、
１つ以上の電極に及び／又はから刺激パルスを伝達するリードと、
刺激パルスを生成するように構成され、このリードによりこのパルスを電極に提供するパルス生成器と、
１つ以上のスペクトル拡散信号の送信及び／又は受信のため、１つ以上のスペクトル拡散送受信（T/R）回路へ及び／又はからこの刺激パルスを接続するインタフェース回路及び／又はプロセッサと、
１つ以上のこのスペクトル拡散送受信回路及びこのパルス生成器に結合され、１つ以上の受信信号を処理及び検出するように更に構成された制御回路であり、刺激装置の動作パラメータを制御する制御信号生成器を有する制御回路と
を有する。
【００７７】
18.第１８の実施形態は、複数変調システムを提供し、
１つ以上の指紋情報を処理し、信号送信のために１つ又は複数の変調器を起動する指紋センサ、検出、識別及び処理装置と、
ユーザの位置を受信して処理する位置情報受信機及びプロセッサと、
ユーザにより生成された信号を有する更なるユーザ信号で位置情報と指紋情報とにより起動された信号を処理して結合し、処理された信号を第１及び／又は第２の変調器に提供するプロセッサ装置と、
処理されたベースバンド信号をスペクトル拡散符号化及び変調する第１の変調器と、
処理されたベースバンド信号をフィルタリングして変調する第２の変調器と、
信号送信のために、スペクトル拡散変調信号若しくはフィルタリングされた変調信号又はスペクトル拡散変調信号とフィルタリングされた変調信号との双方を１つ以上の送信機に提供する接続回路と
を有する。
【００７８】
19.第１９の実施形態は、二重変調送信装置であり、
１つ又は複数の指紋を処理し、信号送信のために変調器を起動する指紋センサ、検出、識別及び処理装置と、
ユーザの位置を受信して処理する位置情報受信機及びプロセッサと、
更なるユーザ信号で位置情報及び指紋により起動された信号を処理及び結合し、処理されたベースバンド信号を第１及び第２の変調器に提供するプロセッサ装置と、
処理されたベースバンド信号をスペクトル拡散符号化及び変調する第１の変調器と、
処理されたベースバンド信号をフィルタリング及び変調する第２の変調器と、
信号送信のために、スペクトル拡散変調信号若しくはフィルタリングされた変調信号又は変調されたスペクトル拡散信号と変調されてフィルタリングされた信号との双方を１つ以上のアンテナに提供する接続回路と
を有する。
【００７９】
20.第２０の実施形態は、多目的システムを提供し、
１つ又は複数の指紋を処理し、変調及び信号送信のために１つ又は複数の指紋により生成された信号を起動する指紋センサ、検出、識別及び処理装置と、
ユーザの位置を受信して処理する位置情報受信機及びプロセッサと
ユーザにより生成された信号を有する更なるユーザ信号で位置情報及び指紋により起動された信号を処理して結合し、処理されたベースバンド信号を第１及び第２の変調器に提供するプロセッサ装置と、
処理されたベースバンド信号を直交変調する第１の変調器と、
処理されたベースバンド信号をフィルタリングして変調する第２の変調器と、
信号送信のために、直交変調信号若しくはフィルタリングされた変調信号又は直交変調信号と変調されてフィルタリングされた信号との双方を１つ以上のアンテナに提供する接続回路と
を有する。
【００８０】
21.第２１の実施形態は、複数パス送信システムであり、
１つ又は複数の指紋を処理し、信号送信のために１つ又は複数の変調器を起動する指紋センサ、検出、識別及び処理装置と、
ユーザの位置を受信して処理する位置情報受信機及びプロセッサと、
更なるユーザ信号で位置情報及び指紋により起動された信号を処理して結合し、処理されたベースバンド信号を第１及び第２の変調器に提供するプロセッサ装置と、
処理されたベースバンド信号を相互相関して直交変調する第１の変調器と、
処理されたベースバンド信号をフィルタリングして変調する第２の変調器と、
信号送信のために、直交変調信号若しくはフィルタリングされた変調信号又は直交変調信号と変調されてフィルタリングされた信号との双方を１つ以上のアンテナに提供する接続回路と
を有する。
【００８１】
22.第２２の実施形態は、複数変調システムを提供し、
１つ又は複数の指紋情報を処理し、信号送信のために１つ又は複数の変調器を起動する指紋センサ、検出、識別及び処理装置と、
ユーザの位置を受信して処理する位置情報受信機及びプロセッサと
ユーザにより生成された信号を有する更なるユーザ信号で位置情報及び指紋情報により起動された信号を処理して結合し、処理された信号を第１及び第２の変調器に提供するプロセッサ装置と、
処理された信号を相互相関して直交変調する第１の変調器と、
処理された信号をフィルタリングして変調する第２の変調器と、
信号送信のために直交変調信号又はフィルタリングされた変調信号、又は直交変調信号と変調されてフィルタリングされた信号を２つ以上の送信機に提供する接続回路と
を有する。
【００８２】
23.第２３の実施形態は、複数パス通信装置であり、
ユーザを識別し、ユーザの検出された認証識別情報を処理し、認証情報信号を生成するユーザ検出及び認証装置と、
この情報信号及び他のユーザにより生成された入力信号に結合された変調器を有する第１の信号パスであり、この入力信号は、ユーザにより生成された信号を有する第１の信号パスと、
この情報信号及び／又はこのユーザにより生成された信号から同位相（I）及び直角位相（Q）の相互相関したベースバンド信号を生成する相互相関器を有する第２の信号パスと、
この相互相関したベースバンド信号に結合された直交変調器と、
送信機に結合された第３の信号パスと、
第１の条件で第３の信号パスを第１の信号パスに結合するように、第２の条件で第３の信号パスを第２の信号パスに結合するように、又は第３の条件で第３の信号パスを第１の信号パス及び第２の信号パスに結合するように構成されたスイッチ又はコンバイナと
を有する。
【００８３】
24.第２４の実施形態は、システムであり、
ユーザを識別し、ユーザの検出された認証識別情報を処理し、認証情報信号を生成するユーザ検出及び認証装置と、
この情報信号及び他のユーザにより生成された入力信号に結合された変調器を有する第１の信号パスであり、この入力信号はユーザにより生成された信号を有する第１の信号パスと、
この情報及び／又は他のユーザにより生成された信号に結合された直交変調器を有する第２の信号パスと、
信号送信のために、第１の条件で第１の信号パスを、第２の条件で第２の信号パスを、又は第３の条件で第３の信号パスを結合するように構成されたスイッチ又はコンバイナと
を有する。
【００８４】
本発明は、前述に記載の構成、装置、機器及びシステムにより実行される方法及び手順と、前記に記載の構成の組み合わせ及び小結合を組み込んだ他の実施形態とを更に提供する。
【００８５】
刊行物及び／又はこの特許／発明に記載の特許、継続中の特許及びレポートを含む全ての刊行物は、各刊行物又はレポート又は特許又は継続中の特許及び／又は刊行物、レポート、特許又は継続中の特許に記載の参照文献が特に個別に参照として取り込まれることを示す程度に、参照として取り込まれる。本発明について十分に説明したが、特許請求の範囲又は要旨を逸脱することなく、多くの変更及び変形が行われ得ることは、当業者に明らかである。
【００８６】
［同時継続の関連特許出願］
この出願は、出願人／発明者Kamilo  Feherにより提出された以下の３つの同時継続の関連米国特許出願の利益を主張し、これらが参照として取り込まれる。
【００８７】
2005年8月3日に米国特許商標庁（USPTO）に出願された米国特許出願第11/197,609号、Ref  No.  (58),  “Multimode  communication  system”
2005年8月3日に米国特許商標庁（USPTO）に出願された米国特許出願第11/197,610号、Ref  No.  (56),  “Location  finder,  tracker,  communication  and  remote  control  system”
2005年8月3日に米国特許商標庁（USPTO）に出願された米国特許出願第11/197,670号、Ref  No.  (57),  “Medical  diagnostic  and  communication  system”
【００８８】
［引用文献・関連文献の部分リスト］
発行された米国特許と継続中の米国特許と他の参照文献とを含み、複数の参照文献が、本発明が行われた範囲、本発明の前に知られていた発明の構造及び方法の識別、並びにこの新規な発明の利点を理解する際に読者を支援するためにここに特定される。これらの全ての内容が参照として取り込まれる。このリストは網羅的ではなく、例示的であることを意図する。
【００８９】
前述の公開物及び／又はこの開示の特許／発明に包含、記載又は引用される特許、継続中の特許、文献、刊行物、記事、レポートを含む全ての刊行物は、各刊行物、レポート、特許、継続中の特許及び／又はこれらの刊行物、レポート、特許、継続中の特許に記載の参照文献が個々に参照として取り込まれるように、同じ程度で参照として取り込まれる。
【００９０】
［米国特許への相互参照］
以下の参照文献は、この開示に開示されたものに関係する対象を含む。
1.  米国特許6,907,291,  2005年6月14日発行,  Snell他:“Secure  telemetry  system  and  method  for  an  implantable  cardiac  stimulation  device”,出願人Pacesetter,  Inc.,  Sylmar,  CA.
2.  米国特許6,906,996,  2005年6月14日発行,  Ballantyne,  G.  J.:“Multiple  modulation  wireless  transmitter”
3.  米国特許6,889,135,  2005年5月3日発行,  Curatolo,  B.  S.他:“Security  and  tracking  system”
4.  米国特許6,879,842,  2005年4月12日発行,  King,  J.他:“Foldable  Wireless  Communication  Device  Functioning  as  a  Cellular  Telephone  and  Personal  Digital  Assistant”
5.  米国特許6,879,584,  2005年4月12日発行,  Thro他:“Communication  services  through  multiple  service  providers”
6.  米国特許6,876,859,  2005年4月5日発行,  Anderson,  R.  J.他:“Method  for  Estimating  TDOA  and  FDOA  in  a  Wireless  Location  System”
7.  米国特許6,876,310,  2005年4月5日発行,  Dunstan,  R.  A.:“Method  and  apparatus  to  locate  a  device  in  a  dwelling  or  other  enclosed  space”
8.  米国特許6,865,395,  2005年3月8日発行,  Riley,  W.:“Area  based  position  determination  for  terminals  in  a  wireless  network”
9.  米国特許6,842,617,  2005年1月11日発行,  Williams  B.  G.:“Wireless  Communication  Device  with  Multiple  External  Communication  Links”
10.  米国特許6,823,181,  2004年11月23日発行,  Kohno他:“Universal  platform  for  software  defined  radio”
11.  米国特許6,807,564,  2005年4月12日発行,  Zellner他:“Panic  button  IP  device”
12.  米国特許6,788,946,  2004年9月7日発行,  Winchell,  D他:“Systems  and  Methods  for  Delivering  Information  within  a  Group  of  Communication  System”
13.  米国特許6,741,187,  2004年5月25日発行,  Flick,  K.:“Vehicle  tracker  providing  vehicle  alarm  alert  features  and  related  methods”
14.  米国特許6,711,440,  2004年3月23日発行,  Deal他:“MRI  compatible  medical  device  with  passive  generation  of  optical  sensing  signals”,  Biophan  Technologies,  Inc.への発行
15.  米国特許6,424,867,  2002年7月23日発行,  Snell他:“Secure  telemetry  system  and  method  for  an  implantable  cardiac  stimulation  device”,  Pacesetter,  Inc.,  Sylmar,  CAの出願
16.  米国特許6,393,294,  2002年5月21日発行,  Perez-Breva他:“Location  determination  using  RF  fingerprinting”
17.  米国特許6,067,018,  2000年5月23日発行,  Skelton他:“Lost  Pet  Notification  System”
18.  米国特許6,591,084,  2003年7月8日発行,  Chuprun他:“Satellite  based  data  transfer  and  delivery  system”
19.  米国特許6,772,063,  Ihara他:“Navigation  Device,  Digital  Map  Display  System,  Digital  Map  Displaying  Method  in  Navigation  Device,  and  Program”,2004年8月3日発行
20.  米国特許6,775,254,  Willenegger他:“Method  and  Apparatus  for  Multiplexing  High  Speed  Packet  Data  Transmission  with  Voice/Data  Transmission”,2004年8月10日発行
21.  米国特許6,748,021,  Daly,  N.:“Cellular  radio  communications  system”,2004年6月8日発行
22.  米国特許6,775,371,  Elsey他:“Technique  for  Effectively  Providing  Concierge  Like  Services  in  a  Directory  Assistance  System”,2004年8月10日発行
23.  米国特許6,539,253,  Thompson他:“Implantable  medical  device  incorporating  integrated  circuit  notch  filters”2003年3月25n日発行
24.  米国特許6,418,324,  Doviak他:“Apparatus  and  method  for  transparent  wireless  communication  between  a  remote  device  and  host  system”,2002年7月9日
25.  米国特許6,128,330,  Schilling  D.  L.:“Efficient  shadow  reduction  antenna  system  for  spread  spectrum”,2000年10月3日発行
26.  米国特許6,101,224,  Lindoff他:“Method  apparatus  for  linearly  modulated  signal  using  polar  modulation”2000年8月8日発行
27.  米国特許6,088,585,  Schmitt,  J.  C.及びSetlak,  D.  R.  :“Portable  telecommunication  device  including  a  fingerprint  sensor  and  related  methods”,2000年7月11日発行
28.  米国特許5,479,448,  Seshadri,  N.:“Method  and  Apparatus  for  Providing  Antenna  Diversity”,1995年12月26日発行
29.  米国特許5,430,416,  1995年7月4日発行,  Black他:“Power  amplifier  having  nested  amplitude  modulation  controller  and  phase  modulation  controller”
30.  米国特許4,745,628,  McDavid他:“Symbol  Generator  for  Phase  Modulated  Systems”,1998年5月17日発行
31.  米国特許3,944,926,  Feher,  K.:“Timing  Technique  for  NRZ  Data  Signals”,1976年3月16日発行
32.  米国特許4,339,724,  Feher,  K.:“Filter”,1982年7月13日発行
33.  米国特許4,720,839,  Feher他:“Efficiency  Data  Transmission  Techniques”,1998年1月19日発行
34.  米国特許4,350,879,  Feher,  K.:“Time  Jitter  Determining  Apparatus”,1982年9月21日発行
35.  米国特許4,567,602,  S.  Kato,  K.  Feher:“Correlated  Signal  Processor”,  1986年1月28日発行
36.  米国特許4,644,565,  1987年2月17日発行,  J.  Seo,  K.  Feher:“Superposed  Quadrature  Modulated  Baseband  Signal  Processor”
37.  米国特許5,491,457,  1996年2月13日発行:  K.  Feher:“F-Modulation  Amplification”
38.  米国特許5,784,402,  1998年7月21日発行:  K.  Feher:“FMOD  Transceivers  Including  Continuous  and  Burst  Operated  TDMA,  FDMA,  Spread  Spectrum  CDMA,  WCDMA  and  CSMA”
39.  米国特許6,445,749,  2002年9月3日発行,  K.  Feher:“FMOD  Transceivers  Including  Continuous  and  Burst  Operated  TDMA,  FDMA,  Spread  Spectrum  CDMA,  WCDMA  and  CSMA”
40.  米国特許6,198,777,  2001年3月6日発行,  K.  Feher:“Feher  Keying  (FK)  Modulation  and  Transceivers  Including  Clock  Shaping  Processors”
41.  米国特許6,470,055,  2002年9月3日発行,  K.  Feher:“Spectrally  efficient  FQPSK,  FGMSK,  and  FQAM  for  enhanced  performance  CDMA,  TDMA,  GSM,  OFDN,  and  other  systems”
42.  米国特許6,665,348,  K.  Feher:“System  and  Method  for  Interoperable  Multiple  Standard  Modulation  and  Code  Selectable  Feher’s  GMSK,  Enhanced  GSM,  CSMA,  TDMA,  OFDM,  and  other  Third-Generation  CDMA,  WCDMA  and  B-CDMA”,2003年12月16日発行
43.  米国特許6,757,334,  K.  Feher:“Bit  Rate  Agile  Third-Generation  wireless  CDMA,  GSM,  TDMA  and  OFDM  System”,2004年6月29日発行
［関連米国特許出願への相互参照］
44.  米国特許出願No.:10/205,478,  K.  Feher:“Modulation  and  Demodulation  Format  Selectable  System”7/24/2002出願.  1999年8月9日に出願された米国特許出願SN09/370,360（現在の米国特許6,470,055）の継続出願
45.  米国特許出願No.:10/831,562,  K.  Feher:“Adaptive  Receivers  for  Bit  Rate  Agile  (BRA)  and  Modulation  Demodulation  (Modem)  Format  Selectable  (MFS)  Signals”,  1999年8月9日に出願された出願No.09/370,362（現在の米国特許6,757,334）の継続出願
46.  米国特許出願No.:10/831,724,  2004年4月24日出願,  K.  Feher:“CDMA5W-CDMA,  3rd  Generation  Interoperable  Modem  Format  Selectable  (MFS)  systems  with  GMSK  modulated  systems”,  1999年8月9日に出願された09.370,362（現在の米国特許6,757,334）の継続出願
47.  米国特許出願No.:09/732,953（公開番号No.:2001/0016013）,  2001年8月23日公開,  K.  Feher:“Ultra  Efficient  Modulation  and  Transceivers”
48.  米国特許出願No.:11/023,279,  12/28/2004出願,  Feher,  K.  “BROADBAND,  ULTRA  WIDEBAND  AND  ULTRA  NARROWBAND  RECONFIGURABLE  INTEROPERABLE  SYSTEMS”,仮出願“Ultra  Wideband,  Ultra  Narrowband  and  Reconfigurable  Interoperable  Systems”,  60/615,678,  10/05/2004出願の利益を主張
49.  米国特許出願No.:11/023,254,  12/28/2004出願;  Feher,  K.“DATA  COMMUNICATION  FOR  WIRED  AND  WIRELESS  COMMUNICATION”
50.  米国特許出願No.:11/102,896,  出願人Feher,  K.,  “HYBRID  COMMUNICATION  AND  BROADCAST  SYSTEMS”,  仮出願“Ultra  Wideband,  Ultra  Narrowband  and  Reconfigurable  Interoperable  Systems”,  60/615,678,  10/05/2004出願,  2004年12月22日にUSTPOに提出,    2005年3月28日にUSTPOに出願の利益を主張
51.  米国特許出願No.:11/105,295,  出願人Feher,  K.  “OFDM,  CDMA,  SPREAD  SPECTRUM,  TDMA,  CROSS-CORRELATED  AND  FILTERED  MODULATION”,  米国特許出願10/205,478及び米国特許出願09/370,360（現在の米国特許6,470,055）の継続出願.  この出願は、2005年4月11日にUSPTOに提出された
52.  米国特許出願No.11/023,279,  出願人Feher,  K.,“BROADBAND,  ULTRA  WIDEBAND  AND  ULTRA  NARROWBAND  RECONFIGURABLE  INTEROPERABLE  SYSTEMS”,米国特許商標庁（USPTO）に2004年12月28日に出願
53.  米国特許出願No.11/102,896,  出願人Feher,  K.,“HYBRID  COMMUNICATION  AND  BROADCAST  SYSTEMS”,  2004年12月22日に米国特許商標庁（USPTO）に提出,  2005年3月28日にUSPTOに出願
54.  米国特許出願No.11/023,254,  出願人Feher,  K.,“DATA  COMMUNICATION  FOR  WIRED  AND  WIRELESS  COMMUNICATION”,2004年12月22日に米国特許商標庁（USPTO）に提出
55.  米国特許6,665,348（2003年12月16日発行）の米国特許再審査出願No.90/007,305“System  and  Method  for  Interoperable  Multiple-Standard  Modulation  and  Code  Selectable  Feher’s  GMSK,  Enhanced  GSM,  CSMA,  TDMA,  OFDM,  and  other  Third-Generation  CDMA,  WCDMA  and  B-CDMA”,  親特許出願No.:09/370,361.  2004年11月19日に出願された再審査出願
［同時継続の関連米国特許出願への相互参照］
出願人／発明者Kamilo  Feherにより提出された以下の３つの関連米国特許出願が同時継続である。
56.  米国特許出願No.11/197,610,  Ref.  No.  (56),“Location  finder,  tracker,  communication  and  remote  control  system”,2005年8月3日に米国特許商標庁（USPTO）に提出
57.  米国特許出願No.11/197,670,  Ref.  No.  (57),“Medical  diagnostic  and  communication  system”,2005年8月3日に米国特許商標庁（USPTO）に提出
58.  米国特許出願No.11/197,609,  Ref.  No.  (58),“Multimode  communication  system”,2005年8月3日に米国特許商標庁（USPTO）に提出
［刊行物への相互参照］
59.  3GPP  TS  25.213  V6.0.0  (2003-12)  3rd  Generation  Partnership  Project;  Technical  Specification  Group  Radio  Access  Network  Spreading  and  Modulation  (FDD)  (Release  6)  28ページ
60.  3GPP  TS  05.04  V8.4.0  (2001-11)  Technical  Specification  Group  GSM/EDGE  Radio  Access  Network;  Digital  cellular  telecommunications  system  (Phase  2+);  Modulation  (Release  1999);  3GPP:3rd  Generation  Partnership  Project;  (10ページ)
61.  Brown,  C,  Feher,  K:“A  reconfigurable  modem  for  increased  network  capacity  and  video,  voice,  and  data  transmission  over  GSM  PCS”,  IEEE  Transactions  on  Circuits  and  Systems  for  Video  Technology,  pp:215-224;  Volume:6,  No.2,  1996年4月（10ページ）
62.  Brown,  CW.:“New  Modulation  and  Digital  Synchronization  Techniques  for  Higher  Capacity  Mobile  and  Personal  Communications  Systems”,  Ph.D.  Thesis  University  of  California,  Davis,  Novl,  1996,pp:i-vii;138-190;269-272;288-289;291.
63.  Brown,  C,  Feher,  K.:“A  Flexible  Modem  Structure  for  Increased  Network  Capacity  and  Multimedia  Transmission  in  GSM  PCS”,  Proceedings  of  the  Fifteenths  Annual  Joint  Conference  of  the  IEEE  Computer  and  Communication  Societies  (INFOCOM  ‘96),  1996  (8ページ)
64.  Furuscar,  A.他:“EDGE:  Enhanced  Data  Rates  for  GSM  and  TDMA  /136  Evolution  ”,  IEEE  Personal  Communications,  1999年6月,  pp:56-66.
65.  Qualcomm:“MSM  6275  Chipset  Solution  ”,Qualcomm  CDMA  Technologies,  San  Diego,  CA,  2004(8ページ)
66.  Qualcomm:“MSM  6300  Chipset  Solution”,Qualcomm  CDMA  Technologies,  San  Diego,  CA,  2004  (8ページ)
67.  Baisa,  N.“Designing  wireless  interfaces  for  patient  monitoring  equipment”,RF  Design  Magazine,  2005年4月,  www.rfdesign.com  (5ページ)
68.  Hickling,  R.M.:“New  technology  facilitates  true  software-defined  radio”RF  Design  Magazine,  2005年4月,  www.rfdesign.com  (5ページ)
69.  Feher,  K.:“Wireless  Digital  Communications:  Modulation  &  Spread  Spectrum  Applications”,Prentice  Hall  PTR,  Upper  Saddle  River,  NJ  07458,  Copyright  1995,  Book  ISBN  No:0-13-098617-8  (ページ:表紙;  copyright  page;  pp.  164-177;  461-471;  475-483)
70.  Holma,  H.,  Toskala  ,A.:“WCDMA  for  UMTS  Radio  Access  for  Third  Generation  Mobile  Communications”,  Second  Edition,  John  Wiley  &  Sons  Ltd.  Chichester,  West  Sussex,  England,  Copyright  2002,  ISBN  0-470-84467-1  (ページ:表紙;  copyright  page;  pp.xv-xvi;  1-4;  90-95;  199-201;  235-236)
71.  Tuttlebee,  W.:“Software  Defined  Radio:  Baseband  Technology  for  3G  Handsets  and  Basestations”,  John  Wiley  &  Sons,  Ltd.,  Chichester,  West  Sussex,  England,  Copyright  2004,  ISBN  0-470-86770-1.  (ページ:表紙;  copyright  page;  pp.  1-3;  8-15;  34-39;  274-279)
72.  Dobkin,D.M.  and  Wandinger,  T.:“A  Radio  Oriented  Introduction  to  Radio  Frequency  Identification”RFID  Tutorial,  High  Frequency  Electronics,  June  2005,  Copyright  2005  Summit  Technical  Media  (6ページ)
73.  Dale  Setlak:“Fingerprint  sensors  in  Wireless  handsets”,  EOEM  Design  Expoデのプレゼンテーション,  2005年6月22日,  Wireless  OEM  Design  Expo  Online  Conference  &  Exhibition,  http://www.reedbusinessinteractive.com/eoem/index.asp  (38ページ)
【００９１】
［略語］
この開示の理解を容易にするために、従来技術及び／又はこの開示で頻繁に使用される略語又は省略について以下の略語リストで説明する。
2G  第２世代無線又はセルラシステム
3D  ３次元
3G  第３世代無線又はセルラシステム
4G  第４世代無線又はセルラシステム
5G  第５世代以降
AM  Amplitude  Modulation
AMC  Adaptive  Modulation  and  Coding
ACM  Adaptive  Coding  and  Modulation
Bluetooth  Bluetooth組織により標準化されている無線システム
BPSK  Binary  Phase  Shift  Keying
BRA  Bit  Rate  Agile又はBit  Rate  Adaptive
BST  Base  Station  Transceiver
BWA  Broadband  Wireless  Access
CC  cross-correlation又はcross-correlate
CCOR  cross-correlation又はcross-correlate
CDMA  Code  Division  Multiple  Access
CM  Clock  Modulated
CS  Code  Selectable
CSMA  Collision  Sense  Multiple  Access
CL  Clock  Shaped
DECT  Digital  European  Cordless  Telecommunication
DNA  Deoxyribose  Nucleic  Acid
DS-SS  Direct  Sequence  Spread  Spectrum
EDGE  Enhanced  Digital  GSM  Evolution;  GSM又はE-GSMの発展型
EMI  Electromagnetic  Interference
FA  Frequency  Agile  (選択可能又は交換型IF又はRF周波数)
FDM  Frequency  Division  Multiplex
FH-SS  Frequency  Hopped  Spread  Spectrum
FQPSK  FeherのQPSK又はFeherの特許のQPSK
FOC  Fiber  Optic  Communication
FSK  Frequency  Shift  Keying
GFSK  Gaussian  Frequency  Shift  Keying
GPS  Global  Positioning  System
GPRS  General  Packet  Radio  Service
GMSK  Gaussian  Minimum  Shift  Keying
GSM  Global  Mobile  System
HDR  Hybrid  Defined  Radio
IEEE  802  Institute  of  Electrical  and  Electronics  Engineers  Standard  Number  802
IR  Infrared
LAN  Local  Are  Network
LINA  Linearly  amplified、Linear  amplifier又はlinearized  amplifier  Non-Linearly
LR  Long  Response
MES  Modulation  Embodiment  Selectable
MFS  Modulation  Format  Selectable
MIMO  Multiple  Input  Multiple  Output
MISO  Multiple  Input  Single  Output
MMIMO  Multimode  Multiple  Input  Multiple  Output
MSDR  Multiple  Software  Defined  Radio
NLA  Non-Linearly  Amplified又はNon-Linear  Amplifier
NQM  non-quadrature  modulation
NonQUAD  non-quadrature  modulator
NRZ  Non  Return  to  Zero
OFDM  Orthogonal  Frequency  Division  Multiple  Access
PDA  Personal  Digital  Assistants
PDD  Position  Determining  Device
PDE  Position  Determining  Entity
PTT  push  to  talk
QUAD  Quadrature;  quadrature  modulation  quad  Quadratureにも使用される;  quadrature  modulationにも使用される
QM  Quadrature  Modulation
QPSK  Quadrature  Phase  Shift  Keying
RC  Remote  Control
RFA  Radio  Frequency  Agile
RFID  Radio  Frequency  Identification
Rx  receive
SDR  Software  Defined  Radio  (SDR)
SIMO  Single  Input  Multiple  Output
STCS  Shaped  Time  Constrained  Signal
TBD  to  be  decided
TCS  Time  Constrained  Signal
TDM  Time  Division  Multiplex
TDMA  Time  Division  Multiple  Access
TR  transceiver  (transmitter-receiver)
Tx  transmit
TV  television
UMTS  Universal  Mobile  Telecommunication  System
UNB  Ultra  narrowband又はUltra  narrow  band
URC  Universal  Remote  Control
UWB  Ultrawideband又はultra  wideband
UWN  Ultrawideband  -Ultra  Narrow  Band
ViIP  Video  over  Internet  Protocol
VoIP  Voice  over  Internet  Protocol
W  waveform、wavelet又はwave(信号成分)
WAN  Wide  Area  Network
WCDMA  Wideband  Code  Division  Multiple  Access
W-CDMA  Wideband  Code  Division  Multiple  Access
Wi  Fi  Wireless  Fidelity又はIEEE  802.x標準システムのようなシステムで使用される関連用語（Wi-Fi参照）
Wi-Fi  wireless  fidelity
WLAN  Wireless  Local  Area  Network
www  World  Wide  Web  (又はWWW)又はWEB
XCor  cross-correlation、cross-correlator又はcross-correlate
【図面の簡単な説明】
【００９２】
【図１】単一及び／又は複数の位置検出システム、RFID、医療診断、緊急及び遠隔制御システムを含む、単一及び／又は複数の通信システムの実装構成
【図２】単一又は複数の通信回線及び／又は通信トランシーバ（T/R）及び／又は通信及び制御ユニットでの無線、有線（又はケーブル）及びインターネットウェブ型接続を含む、多モード位置及び多モード通信システムの構成
【図３】単一又は複数の選択可能なPDE（Position  Determining  Entity）、BSC（Base  Station  Controller）、端末（加入者ユニット）、BTS（Base  Station  Transceiver  Subsystem）装置を有するシステムの構成
【図４】複数のPDE（Position  Determining  Entity）、BSC（Base  Station  Controller）ユニット、端末又は加入者ユニット（SU）及びBTS（Base  Station  Transceiver  Subsystem）ユニットを有するシステム及びネットワークの実施形態及び構成
【図５】単一又は複数の受信機と単一又は複数の送信信号（１つ以上のアンテナからの位置検出信号を含む）とについての実装アーキテクチャ及び構成
【図６】Feherの米国特許6,665,348（’348特許）に開示された一般的な従来技術の送信機及び受信機（トランシーバ又はT/R）
【図７】従来技術の相互相関信号（特に時間ドメインに表示された同位相（I）及び直角位相（Q）信号パターン）
【図８】GSMシステムで指定されたBTb=0.3を用いて、従来技術で測定されたGMSK変調器の相互相関の同位相（I）及び直角位相（Q）のベースバンド信号
【図９】１つ以上のプロセッサ及び／又は単一又は複数の変調器及びアンテナでの直交及び非直交アーキテクチャ
【図１０】１つ以上のプロ背差、変調器及び復調器、アンテナ、有線若しくはケーブル又は他の送信媒体へのインタフェース接続を有する複数BRA及びMFS送信アーキテクチャ
【図１１ａ】カスケード回線としても表される複数通信回線の新規な実装アーキテクチャ及びブロック図、又は固定位置システム及び移動システムを含み、多モード動作無線及び／又は有線及びインターネットシステムで順次相互作用するカスケード型ユニットを有するシステム
【図１１ｂ】従来技術の直交変調器
【図１２】ベースバンド及び／又はIF処理ユニットと共にある又は遠隔位置にあるRFヘッドエンド（代替としてRFサブシステム又はRF部として表される）の実施形態
【図１３】単一又は複数の無線、有線、ケーブル若しくは光ファイバ通信（FOC）接続及び／又はインターネット若しくは移動インターネットウェブ型システムに接続された多モードBRA及びMFSシステムの代替実施形態
【図１４】BRA、MFS及び符号選択可能なOFDM、WCDMA、Wi-Fi、Wi-Max、WLAN、赤外線、Bluetooth及び／又は他のスペクトル拡散若しくは連続データシステムを有する多モード、多ビットレートシステムの実施形態
【図１５】適応的無線周波数（RF）波生成器、RFプロセッサ、無線及び変調器の構成
【図１６】シームレスな適応的通信、緊急報告、位置検出及び遠隔制御の実施形態についての信号処理及び格納、医療診断、放送、娯楽、教育及び警告システムを含む、複数の用途についての多モード、多目的システムの実施形態
【図１７ａ】極性変調構成を含む、非直交（non-Quad）及び直交変調（Quad  Mod又はQUAD  mod）の複数変調の実施形態
【図１７ｂ】極性（非直交）の例示的な従来技術の変調器の実装ブロック図
【図１７ｃ】非直交（non-QUAD）の例示的な従来技術の変調器アーキテクチャ
【図１８】多モード又は単一モードの無線送信機への他のド位置受信機の接続
【図１９】単一又は複数のプロセッサ、単一及び／又は複数のRF増幅器及びアンテナ、並びに単一又は複数のSER及び／又は非SDR実装アーキテクチャを有するSDR（Software  Defined  Radio）、MSDR（Multiple  SDR）及びHDR（Hybrid  Defined  Radio）送信機及び受信機の実施形態
【図２０】送信媒体にRF信号を提供するインタフェース及び／又はプロセッサユニット、一式の変調器、増幅器、選択装置及び／又は結合装置
【図２１】単一又は複数の送信機を使用した単一又は複数の送信アーキテクチャの実施形態（複数の送信機の実装はダイバーシチ送信機としても表される）
【図２２】MIMO（Multiple  Input  Multiple  Outputシステム
【図２３】１つ又は複数のRFインタフェース点及び／又は１つ又は複数のアンテナを有するSIMO（Single  Input  Multiple  Output）、MIMO（Multiple  Input  Multiple  Output）及び／又はMISO（Multiple  Input  Single  Output）の実施形態
【図２４】送信アンテナダイバーシチ及び受信アンテナダイバーシチシステムを含む、MIMO（Multiple  Input  Multiple  Output）及び／又はSIMO（Single  Input  Multiple  Output）及び／又はMISO（Multiple  Input  Single  Output）通信、位置検出及び放送送受信システムを実装するアンテナアレイ
【図２５】ダイバーシチシステムを含む、MIMO（Multiple  Input  Multiple  Output）及び／又はSIMO（Single  Input  Multiple  Output）及び／又はMISO（Multiple  Input  Single  Output）のSDR（Software  Defined  Radio）及びHDR（Hybrid  Defined  Radio）システム
【図２６】情報監視処理及び通信システム（このシステムは特定の用途で患者監視及び診断システムを含む）
【図２７】有線又は無線装置を含む、１つ又は複数の遠隔制御又はユニバーサルリモコン（URC）装置を含むユニバーサルシステム
【図２８】無線多モードシステム内での検査及び測定器具システム
【図２９】単一又は複数のアンテナを有する単一又は複数のBST（Base  Station  Transceiver）と通信する単一又は複数のセルラ電話又は他の移動装置の実装アーキテクチャ
【図３０】移植可能な心刺激装置、心臓、並びに単一又は複数の無線通信及び制御システムを有する単一心室及び二重心室ペースメーカのブロック図
【図１】
2009505454.tif 000003
【図２】
2009505454.tif 000004
【図３】
2009505454.tif 000005
【図４】
2009505454.tif 000006
【図５】
2009505454.tif 000007
【図６】
2009505454.tif 000008
【図７】
2009505454.tif 000009
【図８】
2009505454.tif 000010
【図９】
2009505454.tif 000011
【図１０】
2009505454.tif 000012
【図１１】
2009505454.tif 000013
【図１２】
2009505454.tif 000014
【図１３】
2009505454.tif 000015
【図１４】
2009505454.tif 000016
【図１５】
2009505454.tif 000017
【図１６】
2009505454.tif 000018
【図１７】
2009505454.tif 000019
【図１８】
2009505454.tif 000020
【図１９】
2009505454.tif 000021
【図２０】
2009505454.tif 000022
【図２１】
2009505454.tif 000023
【図２２】
2009505454.tif 000024
【図２３】
2009505454.tif 000025
【図２４】
2009505454.tif 000026
【図２５】
2009505454.tif 000027
【図２６】
2009505454.tif 000028
【図２７】
2009505454.tif 000029
【図２８】
2009505454.tif 000030
【図２９】
2009505454.tif 000031
【図３０】
2009505454.tif 000032
【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
位置検出及び通信システムであって、
複数の位置から受信した複数の信号を受信及び処理し、前記受信した信号から処理された位置検出信号を生成する第１のプロセッサと、
第１の相互相関器と送信ベースバンドフィルタとを有し、入力信号から相互相関した同位相及び直角位相に処理されたフィルタリング後のベースバンド信号を生成する第２のプロセッサと、
スペクトル拡散プロセッサと第２の相互相関器とを有し、相互相関した同位相及び直角位相に処理されたスペクトル拡散信号を生成する第３のプロセッサと、
直交周波数分割プロセッサを有し、直交周波数分割処理された信号を生成する第４のプロセッサと、
前記第２、第３及び第４のプロセッサにより生成された１つ以上の信号を用いて、前記第１のプロセッサにより生成された前記処理された位置検出信号を処理することから信号を生成する第５のプロセッサと、
前記第５のプロセッサにより生成された前記信号を直交変調する直交変調器と、
前記直交変調された信号を送信する送信機と
を有するシステム。
【請求項２】
変調された信号を受信及び復調する受信機及び復調器を更に有する、請求項１に記載のシステム。
【請求項３】
前記受信した複数の信号は、２つ以上の衛星送信機及び２つ以上の陸上型送信機から受信され、衛星送信機からの前記受信した信号は、陸上型送信機からの前記受信した信号と異なる無線周波数帯域で受信される、請求項１に記載のシステム。
【請求項４】
前記スペクトル拡散プロセッサ及び第２の相互相関器は、前記第２のプロセッサで生成された相互相関した同位相及び直角位相に処理されたフィルタリング後のベースバンド信号と異なる変調フォーマット及び異なるビットレートを有する符号分割多重アクセスの相互相関した同位相及び直角位相のフィルタリング後の信号を提供する符号分割多重アクセスプロセッサ及びフィルタを有する、請求項１に記載のシステム。
【請求項５】
前記直交周波数分割処理された信号は、OFDM（Orthogonal  Frequency  Division  Multiplexed）又はOFDMA（Orthogonal  Frequency  Division  Multiple  Access）処理された音声又はビデオ信号である、請求項１に記載のシステム。
【請求項６】
前記直交変調された信号を送信する前記送信機は、線形増幅（LINA）モードで第１の無線周波数（RF）帯域で動作する第１の増幅器と、第２の無線周波数（RF）帯域で動作する第２の増幅器とを有し、
前記第２のRF帯域は前記第１のRF帯域と異なり、前記第２の増幅器は、非線形増幅（NLA）モードで動作する、請求項１に記載のシステム。
【請求項７】
前記相互相関した同位相及び直角位相に処理されたフィルタリング後のベースバンド信号と、前記相互相関した同位相及び直角位相に処理されたスペクトル拡散信号とは、セルラ通信システムで使用され、前記直交周波数分割処理された信号は、無線ローカルエリアネットワークで使用され、
前記セルラ通信システムと前記無線ローカルエリアネットワークとは、異なる通信システム及びネットワークである、請求項１に記載のシステム。
【請求項８】
前記第１の相互相関器は、同位相の信号が最大の振幅を有するときに、直角位相の信号がゼロの値を有し、同位相の信号が最大値を有するときに、直角位相の信号が局所最小値を有するように、相互相関した同位相及び直角位相に処理されたベースバンド信号を生成する、請求項１に記載のシステム。
【請求項９】
直交周波数分割処理された信号を提供する前記直交周波数分割プロセッサは、インターネットシステムに接続された有線、ケーブル又は光ファイバ通信から処理されたビデオ信号を受信する有線の多モード通信コネクタを有する、請求項１に記載のシステム。
【請求項１０】
変調された信号を受信及び復調する受信機及び復調器を更に有し、
前記受信機及び復調器は、前記変調された信号を受信する４つ以上のアンテナのアンテナアレイと、前記復調された信号を受信及びフィルタリングし、相互相関した同位相及び直角位相のフィルタリング後のベースバンド信号を提供する受信ベースバンドフィルタとを有し、前記受信ベースバンドフィルタは、前記送信ベースバンドフィルタとミスマッチである、請求項１に記載のシステム。
【国際調査報告】
2009505454.tif 000033
2009505454.tif 000034